(57)【要約】  光ディスクの記録密度を高密度化してもデータの再生を安定に行うことができるようにするランイン領域のビットパターンを提供する。  本発明の光ディスクは、複数の記録ブロックに分割されたトラックを複数備えている。複数の記録ブロックの各々はランイン領域とデータ領域とを含む。ランイン領域には所定のランインビットパターンを記録可能であり、データ領域には記録対象のデータを所定の変調則に従って変調した複数種類のビット長のビットパターンを記録可能である。この光ディスクでは、複数種類のビット長のビットパターンのうち、各ビットパターンに対応する空間周波数の少なくとも１つが、ＯＴＦカットオフ周波数より高い。ランイン領域に記録されるランインビットパターンは、複数種類のビット長のビットパターンのうち、空間周波数がＯＴＦカットオフ周波数よりも高いビットパターンを除いたビットパターンで構成される。
2009066460.tif 000002
【特許請求の範囲】
【請求項１】
複数の記録ブロックに分割されたトラックを複数備え、
前記複数の記録ブロックのそれぞれはランイン領域とデータ領域とを含み、
前記ランイン領域には所定のランインビットパターンを記録することが可能であり、
前記データ領域には記録対象のデータを所定の変調則に従って変調した複数種類のビット長のビットパターンを記録することが可能であり、
前記所定の変調則に従った複数種類のビット長のビットパターンのうち、各ビットパターンに対応する空間周波数の少なくとも１つがカットオフ周波数より高い光ディスクであって、
前記カットオフ周波数は、光学的伝達関数（Ｏｐｔｉｃａｌ  Ｔｒａｎｓｆｅｒ  Ｆｕｎｃｔｉｏｎ：ＯＴＦ）のゲインが０倍となる周波数として定められ、
前記ランイン領域に記録されるランインビットパターンは、前記複数種類のビット長のビットパターンのうち、空間周波数が前記ＯＴＦカットオフ周波数よりも高いビットパターンを除いたビットパターンで構成される、光ディスク。
【請求項２】
前記ランインビットパターンは、前記複数種類のビット長のビットパターンのうち、前記ＯＴＦカットオフ周波数より空間周波数が高いビット長のビットパターンを除き、かつ、所定の光ビームを照射したときの反射光から得られる前記ランインビットパターンの再生信号の信号振幅が最大となるビット長以下のビットパターンで構成される、請求項１に記載の光ディスク。
【請求項３】
前記ランインビットパターンは、ｎを自然数とするとき、差がｎＴ以下のビット長のビットパターンの組み合わせ、および、差が（ｎ＋１）以上のビット長のビットパターンの組み合わせの両方を含むビットパターンで構成される、請求項１に記載の光ディスク。
【請求項４】
前記ランインビットパターンのうち、前記ランイン領域の始端から所定長までの部分は、前記ランイン領域の始端から所定長以降の部分よりも短いビット長の頻度が高いパターンで構成される、請求項１に記載の光ディスク。
【請求項５】
複数の記録ブロックに分割されたトラックを複数備え、
前記複数の記録ブロックのそれぞれはランイン領域とデータ領域とを含み、
前記ランイン領域には所定のランインビットパターンを記録することが可能であり、
前記データ領域には記録対象のデータを所定の変調則に従って変調した複数種類のビット長のビットパターンを記録することが可能であり、
複数種類のビット長のビットパターンの最短マーク長をＴＭｎｍ、最短スペース長をＴＳｎｍ、前記トラックに照射されるレーザの波長をλｎｍ、前記レーザを集光する対物レンズの開口数をＮＡとしたとき、ＴＭ＋ＴＳ  ＜  λ÷（２ｘＮＡ）  となる光ディスクであって、
前記ランイン領域に記録されるランインビットパターンは、前記複数種類のビット長のビットパターンのうち、λ÷（２ｘＮＡ）÷２以下の長さとなるビット長のビットパターンを除いたビットパターンで構成される、光ディスク。
【請求項６】
前記トラックに照射されるレーザの波長λが４００〜４１０ｎｍである、請求項５に記載の光ディスク。
【請求項７】
前記対物レンズの開口数（ＮＡ，Ｎｕｍｅｒｉｃａｌ  Ａｐｅｒｔｕｒｅ）が０．８４〜０．８６である、請求項５に記載の光ディスク。
【請求項８】
前記最短マーク長と前記最短スペース長との合計長（ＴＭ＋ＴＳ）が２３８．２ｎｍ未満（４０５／（２ｘ０．８５））である、請求項５に記載の光ディスク。
【請求項９】
前記記録対象のデータは、１−７変調則を用いて変調され、前記最短マーク長は２Ｔ、かつ、最短スペース長は２Ｔである、請求項５に記載の光ディスク。
【請求項１０】
請求項１に記載の光ディスクに記録されたデータを再生する再生方法であって、
前記光ディスクの前記トラックに記録されたビットパターンを再生した再生信号を検出するステップと、
前記再生信号のビットに位相同期したクロック信号を生成するステップと、
前記再生信号を適応等化したのちに２値化した２値化信号を出力するステップと、
前記データ領域において前記２値化信号を前記所定の変調則に従って復調することにより前記記録データを抽出するステップと
を包含し、
前記クロック信号を生成するステップは、前記ランイン領域では前記データ領域よりも高いゲインで前記再生信号と前記クロック信号の位相同期の引き込み制御を行い、
前記２値化信号を出力するステップは、前記ランイン領域では前記データ領域よりも高いゲインで適応等化の引き込み制御を行う、再生方法。
【請求項１１】
請求項５に記載の光ディスクに記録されたデータを再生する再生方法であって、
前記光ディスクの前記トラックに記録されたビットパターンを再生した再生信号を検出するステップと、
前記再生信号のビットに位相同期したクロック信号を生成するステップと、
前記再生信号を適応等化したのちに２値化した２値化信号を出力するステップと、
前記データ領域において前記２値化信号を前記所定の変調則に従って復調することにより前記記録データを抽出するステップと
を包含し、
前記クロック信号を生成するステップは、前記ランイン領域では前記データ領域よりも高いゲインで前記再生信号と前記クロック信号の位相同期の引き込み制御を行い、
前記２値化信号を出力するステップは、前記ランイン領域では前記データ領域よりも高いゲインで適応等化の引き込み制御を行う、再生方法。
【請求項１２】
請求項１に記載の光ディスクに対し、前記記録データを記録する光ディスク記録方法であって、
前記ランインビットパターンを生成するステップと、
前記記録対象のデータを所定の変調則に従って変調し、さらに所定のフレーム長毎に所定のフレーム同期パターンを挿入したデータビットパターンを生成するステップと、
各記録ブロックのランイン領域では前記ランインビットパターンを前記光ディスクに記録し、データ領域では前記データビットパターンを前記光ディスクに記録するステップと、
を包含し、前記ランインビットパターンは、前記複数種類のビット長のビットパターンのうち、空間周波数が前記ＯＴＦカットオフ周波数よりも高いビットパターンを除いたビットパターンで構成される、光ディスク記録方法。
【請求項１３】
請求項５に記載の光ディスクに対し、前記記録データを記録する光ディスク記録方法であって、
前記ランインビットパターンを生成するステップと、
前記記録対象のデータを所定の変調則に従って変調し、さらに所定のフレーム長毎に所定のフレーム同期パターンを挿入したデータビットパターンを生成するステップと、
各記録ブロックのランイン領域では前記ランインビットパターンを前記光ディスクに記録し、データ領域では前記データビットパターンを前記光ディスクに記録するステップと、
を包含し、前記ランインビットパターンは、前記複数種類のビット長のビットパターンのうち、空間周波数が前記ＯＴＦカットオフ周波数よりも高いビットパターンを除いたビットパターンで構成される、光ディスク記録方法。
【請求項１４】
複数の記録ブロックに分割された複数のトラックを備え、
前記複数の記録ブロックのそれぞれはランイン領域とデータ領域とを含み、
前記ランイン領域には所定のランインビットパターンが記録され、
前記データ領域には記録データを所定の変調則に従って変調し、さらに所定のフレーム長毎に所定のフレーム同期パターンを挿入したビットパターンが記録される光ディスクであって、
前記ランイン領域に記録されるランインビットパターンは、前記データ領域に記録されるビットパターンに含まれる最長ビット長およびフレーム同期パターンのビット長よりも長いビットパターンで構成されるランイン同期パターンを含む、光ディスク。
【請求項１５】
前記ランインビットパターンは、前記ランイン同期パターンを複数含み、複数のランイン同期パターンはそれぞれ異なるビットパターンである、請求項１４に記載の光ディスク。
【請求項１６】
請求項１４に記載の光ディスクから、前記記録データを再生する再生方法であって、
前記光ディスクの前記トラックに記録されたビットパターンを再生した再生信号を検出するステップと、
前記再生信号を２値化した２値化信号を出力するステップと、
前記２値化信号から前記ランイン領域に含まれるランイン同期パターンを検出するステップと、
前記２値化信号から前記データ領域に含まれるフレーム同期パターンを検出するステップと、
前記データ領域において前記２値化信号を前記所定の変調則に従って復調することにより前記記録データを抽出するステップと、
を包含し、前記記録データを抽出するステップは、各記録ブロックのランイン領域において前記ランイン同期検出ステップによりランイン同期パターンが検出され、ランイン領域につづくデータ領域の先頭付近において前記フレーム同期検出ステップによりフレーム同期パターンが検出できない場合、前記ランイン同期検出ステップによるランイン同期パターンを検出したタイミングを基準にデータ領域の復調処理を行う、再生方法。
【請求項１７】
請求項１４に記載の光ディスクに対し、前記記録データを記録する記録方法であって、
前記ランインビットパターンを生成するステップと、
前記記録データを所定の変調則に従って変調し、さらに所定のフレーム長毎に所定のフレーム同期パターンを挿入したデータビットパターンを生成するステップと、
各記録ブロックのランイン領域では前記ランインビットパターンを前記光ディスクに記録し、データ領域では前記データビットパターンを前記光ディスクに記録するステップと、
を包含し、前記ランインビットパターンは、前記データ領域に記録されるデータビットパターンに含まれる最長ビット長およびフレーム同期パターンのビット長よりも長いビットパターンで構成されるランイン同期パターンを含む、記録方法。
【発明の詳細な説明】
【技術分野】
【０００１】
本発明は、情報記録媒体に情報を記録する際の記録フォーマット、および該記録フォーマットに従った情報の記録再生の技術に関する。
【背景技術】
【０００２】
近年、高密度の光ディスクの研究開発が盛んに行われている。現在、たとえば、Ｂｌｕ−ｒａｙ  Ｄｉｓｃ（ＢＤ）が提案、実用化され、デジタル放送の録画等に使用されるようになり、光ディスクは重要な情報媒体としての地位を築きつつある（たとえば非特許文献１参照）。また更なる高密度化の流れとして、ＢＤよりも記録密度を高めて記録容量を拡大する研究開発も行われている。【０００３】
図１７は、従来の記録フォーマットの一例を示している。記録データは、所定のデータ量毎にエラー訂正符号化処理が行われたブロック単位で記録される。ブロックは、先頭には再生時の同期検出に用いるためのランイン領域と、記録データを含むデータ領域から構成される。データ領域は、複数のセクタに分割され、セクタはさらに複数のフレームに分割される。各フレームは、先頭に所定のビットパターンと各フレームに固有の同期ＩＤパターンから構成されるフレーム同期パターンが配置されている。フレーム同期パターン後には、所定の変調符号に従って記録データを変調したビットパターンが記録される。【０００４】
現在実用化されているＢＤでは、１−７ＰＰ変調符号が採用されており、最短ビット長は２Ｔとなる。２Ｔの空間周波数は光学的な分解能の限界に近く、ＢＤの光学的伝達関数（Ｏｐｔｉｃａｌ  Ｔｒａｎｓｆｅｒ  Ｆｕｎｃｔｉｏｎ：ＯＴＦ）のカットオフ周波数の８０％相当である。種々のビット長に関連して検出可能な最大振幅を１００％とすると、２Ｔの再生信号の振幅はその１０％にまで大きく低下してしまう。【０００５】
図１８は、ＢＤの光学分解能と最短ビット長２Ｔとの関係を示している。最短ビット長がＯＴＦカットオフ周波数に近くなると、近接する記録マークあるいはスペースも光スポット内に入ってくるために、再生信号の振幅が小さくなるだけでなく、符号間干渉による波形歪みも発生する。このような振幅低下や波形歪みに対して、従来の技術では、適応等化技術、ビタビ復号などの最尤復号技術を用いたＰＲＭＬ（Ｐａｒｔｉａｌ  Ｒｅｓｐｏｎｓｅ  Ｍａｘｉｍｕｍ  Ｌｉｋｅｌｉｈｏｏｄ）技術を用いて、データの検出精度を向上させている。【０００６】
図１９は、従来の光ディスク装置１１００の構成を示している。光ディスク装置１１００は、光ヘッド１００１と、モータ１００２と、サーボ１００３と、アドレス再生回路１００４と、ＣＰＵ１００５と、ランイン生成回路１００６と、データ変調回路１００７と、記録制御回路１００８と、データ信号抽出回路１００９と、再生クロック生成ＰＬＬ回路１０１０と、適応等化回路１０１１と、データ復調回路１０１２とを有している。また図には、再生可能な形式でデータが記録される光ディスク１０００が記載されている。【０００７】
光ヘッド１００１は、光ディスク１０００にデータの記録再生を行うために光ビームを照射する。モータ１００２は、光ディスク１０００を所定の回転数で回転させる。【０００８】
サーボ１００３は、光ヘッド１００１から得られた再生信号に基づいて光ヘッド１００１の光ビームを照射する位置およびモータ１００２の回転数を適切に制御する。【０００９】
アドレス再生回路１００４は、検出された再生信号に含まれる光ディスク１０００のトラックに予め記録されたアドレス情報を再生する。【００１０】
ＣＰＵ１００５は、全体を制御する。【００１１】
ランイン生成回路１００６は、ランイン領域のビットパターンを生成する。【００１２】
データ変調回路１００７は、記録データにエラー訂正符号化処理と変調を施したビットパターンを生成する。【００１３】
記録制御回路１００８は、指定されたアドレスのブロックにランインビットパターンと記録データのビットパターンを記録するように光ヘッド１００１の光ビームの強度を制御する。【００１４】
データ信号抽出回路１００９は、再生信号から記録データに基づいたデータ信号を抽出する。【００１５】
再生クロック生成ＰＬＬ回路１０１０は、抽出したデータ信号にビット同期した再生クロック信号を生成する。【００１６】
適応等化回路１０１１は、振幅低下や波形歪みを含むデータ信号をＰＲＭＬ技術により適切に２値化する。【００１７】
データ復調回路１０１２は、２値化されたデータ信号を所定の変調則に従った復調とエラー訂正処理を行って再生データを得る。【００１８】
適応等化回路１０１１においてＰＲＭＬ技術を効果的に用いるためには、適応等化回路１０１１の動作タイミングの基準となる再生クロック信号が必要であり、さらに、適応等化回路１０１１が適応引き込み制御を行うことも必要である。【００１９】
再生クロック信号は、データ信号のビット長に同期したクロック信号であり、データ信号を入力信号とした再生クロック生成ＰＬＬ回路１０１０で生成される。通常、再生クロック生成ＰＬＬ回路１０１０の応答特性は、安定した再生クロック信号を生成するために、データ信号の平均的な空間周波数の数百分の一から数十分の一程度の周波数にするのが適切である。【００２０】
一方、光ディスク１０００の内周付近のデータを再生している状態から光ビームの照射位置の移動を行うことによって外周付近のデータを再生する際には、光ディスク１０００を回転させているモータ１００２の回転数や再生する半径位置によってビット長の周波数が大きく変動する状況下において、光ディスク１０００上のデータへのアクセス性を損なわないためにデータ信号に対する同期位置を短時間で検出することが求められる。このとき、再生クロック生成ＰＬＬ回路１０１０の短時間での周波数および位相の引き込み性能が必要となる。【００２１】
これに対し、従来の技術では、データ再生中の再生クロック生成ＰＬＬ回路１０１０の安定性および引き込み性能を両立するため、所定のブロック毎に再生クロック生成ＰＬＬ回路１０１０の引き込みを効率的に行うためのランイン領域が設けられている。ランイン領域のビットパターンとして、例えば図１７（Ａ）のように、４Ｔマーク、４Ｔスペースの同一長ビットが連続する単一ビットパターンが採用されている。簡易なビットパターンが予め分かっていることにより、周波数誤差や位相誤差の検出が容易であり、短時間で安定した再生クロック生成ＰＬＬ回路１０１０の引き込みを行うことが可能となっている。【００２２】
適応等化回路１０１１（図１９）は、等化フィルタ回路と、等化フィルタ回路のフィルタ係数の適応制御回路と、等化フィルタ回路の出力を２値化するビタビ復号回路とからなる（いずれも図示せず）。【００２３】
適応制御回路は、等化フィルタ回路を通した後のデータ信号の信号振幅や波形歪みの状態が、各ビット長に対して予め指定した目標振幅になるように、すなわちデータ信号の周波数特性が予め指定した周波数特性に近づくように、等化フィルタ回路のフィルタ係数を適応的に制御する。データ信号の信号振幅や波形歪みの状態は、主に記録を行ったときの条件により変化するものであるため、適応制御回路のフィルタ係数の制御の応答特性は十分に低くするのが適切である。しかし、適応制御回路は十分に引き込み制御が完了していれば効力があるが、完了していない区間は効力がなく、ビタビ復号回路によるデータの復号時にビットエラーを発生しやすくなる。このため、前述の再生クロック生成ＰＬＬ回路１０１０と同様に、光ディスク１０００上の再生トラック位置が変更されたときに、短時間で安定にデータを再生できる状態となるように、短時間での引き込み制御が必要となる。【００２４】
これに対し、従来、前述のランイン領域のビットパターンを、適応等化回路１０１１の適応引き込み制御を行うことが可能となるように、前記予め指定した全ての目標振幅が存在するビットパターンであり、かつ前述の再生クロック生成ＰＬＬ回路１０１０の引き込みも確保するために簡易な固定ビットパターンとしている。【００２５】
図２０は、図１８に示す光学的伝達関数ＯＴＦで、かつ、適切な等化処理を施した場合における２Ｔから９Ｔまでの各信号波形の理想的な信号振幅と、理想的な再生クロック信号での同期サンプリング点を示す。この図示された例では図１７（Ｂ）のように、全ての目標振幅が存在するように、最短ビット長で再生信号振幅が最小となる２Ｔ、再生信号振幅が中間レベルとなる３Ｔ、再生信号振幅が最大レベルとなる６Ｔの３種類を用い、かつ簡易な固定ビットパターンとして、２Ｔマーク／２Ｔスペース／３Ｔマーク／３Ｔスペース／６Ｔマーク／６Ｔスペースの計２２Ｔの長さのビットパターンなどが利用されている。【００２６】
図２１は、２Ｔマーク／２Ｔスペース／３Ｔマーク／３Ｔスペース／６Ｔマーク／６Ｔスペースの繰返し単位のデータ信号の理想的な信号波形と、理想的な再生クロック信号での同期サンプリング点を示している。これにより再生クロック生成ＰＬＬ回路１０１０の引き込みと適応等化回路１０１１の適応引き込み制御をランイン領域内で行うことができ、ランイン領域につづいて記録されているデータを安定に再生することが可能となっている。
【非特許文献１】図解ブルーレイディスク読本  オーム社
【発明の開示】
【発明が解決しようとする課題】
【００２７】
近年、記録容量を大幅に拡大してほしいという要望を受けて、従来のＢＤの記録密度よりも高い記録密度を有する光ディスクの検討が進められている。記録マークのマーク長およびマーク間の間隔を狭くすることによって、これまで以上の記録容量を確保しようとすると、最短ビット長である２Ｔの空間周波数がＯＴＦカットオフ周波数よりも高くなり、２Ｔの再生信号の振幅が０％となってしまうことがわかった。例えば図２２は、２Ｔの空間周波数がＯＴＦカットオフ周波数よりも高く、かつ、２Ｔの再生信号の振幅が０になっている例を示す。【００２８】
この例に示されるように、従来よりも高密度の光ディスクに対して従来のランイン領域のビットパターンをそのまま用いると、２Ｔおよび２Ｔに近接するマーク／スペースに相当するデータ信号の波形が大きく歪んで正確なビット境界位置が得られず、再生クロック生成ＰＬＬ回路１０１０の引き込みおよび適応等化回路１０１１の引き込みを安定に行うことができなくなってしまうという課題があった。【００２９】
図２３は、図２２に示す光学的伝達関数ＯＴＦで、かつ、適切な等化処理を施した場合における２Ｔから９Ｔまでの各信号波形の理想的な信号振幅と、理想的な再生クロック信号での同期サンプリング点とを示している。３Ｔ以上の各信号の振幅は識別可能に得られるが、２Ｔの信号振幅はゼロとなってしまい、識別ができない。図２４は、この場合の２Ｔマーク／２Ｔスペース／３Ｔマーク／３Ｔスペース／６Ｔマーク／６Ｔスペースの繰返し単位のデータ信号の理想的な信号波形と、理想的な再生クロック信号での同期サンプリング点とを示している。２Ｔの信号振幅はゼロとなってしまうため、マークとスペースのビット境界が正確に得られるのは３Ｔマークと３Ｔスペースの境界、３Ｔスペースと６Ｔマークの境界、６Ｔマークと６Ｔスペースの境界だけであることが分かる。また、２Ｔマークと２Ｔスペースが理想的に記録できていない場合には、２Ｔに隣接する３Ｔや６Ｔの波形が大きく歪み、この影響により３Ｔマークと３Ｔスペースの境界と６Ｔマークと６Ｔスペースの境界がずれてしまい、正確に得られなくなってしまう。そして最悪の場合、再生クロック生成ＰＬＬ回路１０１０の引き込みおよび適応等化回路１０１１の引き込みができずに再生不能となってしまう。【００３０】
また、従来のランイン領域のビットパターンは簡易な固定パターンの繰り返しであるため、データ復調回路１０１２においてデータを復調する同期がとれず、長区間連続してデータがエラーになってしまうという課題もあった。これは、ランイン領域中における正確な位置を特定することができず、再生クロック生成ＰＬＬ回路１０１０の引き込みや適応等化回路１０１１の引き込みが不十分なためにランイン領域につづいて記録されたデータの先頭を示すフレーム０のフレーム同期パターンを検出できなかった場合に生じえる。【００３１】
本発明は上記課題に鑑みてなされたものであり、その目的は、最短ビット長がＯＴＦカットオフ周波数より高い場合でも再生クロック生成ＰＬＬ回路と適応等化回路の安定な引き込みを実現でき、また再生クロック生成ＰＬＬ回路と適応等化回路の引き込みが不十分な場合でもデータの連続エラーを発生させないようにする、ランイン領域のビットパターンを有した光ディスクを提供することである。また、本発明の他の目的は、前記ランイン領域のビットパターンを利用した光ディスク再生装置、光ディスク記録装置を提供することである。
【課題を解決するための手段】
【００３２】
本発明による光ディスクは、複数の記録ブロックに分割されたトラックを複数備え、前記複数の記録ブロックのそれぞれはランイン領域とデータ領域とを含み、前記ランイン領域には所定のランインビットパターンを記録することが可能であり、前記データ領域には記録対象のデータを所定の変調則に従って変調した複数種類のビット長のビットパターンを記録することが可能であり、前記所定の変調則に従った複数種類のビット長のビットパターンのうち、各ビットパターンに対応する空間周波数の少なくとも１つがカットオフ周波数より高い光ディスクであって、前記カットオフ周波数は、光学的伝達関数（Ｏｐｔｉｃａｌ  Ｔｒａｎｓｆｅｒ  Ｆｕｎｃｔｉｏｎ：ＯＴＦ）のゲインが０倍となる周波数として定められ、前記ランイン領域に記録されるランインビットパターンは、前記複数種類のビット長のビットパターンのうち、空間周波数が前記ＯＴＦカットオフ周波数よりも高いビットパターンを除いたビットパターンで構成される。【００３３】
前記ランインビットパターンは、前記複数種類のビット長のビットパターンのうち、前記ＯＴＦカットオフ周波数より空間周波数が高いビット長のビットパターンを除き、かつ、所定の光ビームを照射したときの反射光から得られる前記ランインビットパターンの再生信号の信号振幅が最大となるビット長以下のビットパターンで構成されてもよい。【００３４】
前記ランインビットパターンは、ｎを自然数とするとき、差がｎＴ以下のビット長のビットパターンの組み合わせ、および、差が（ｎ＋１）以上のビット長のビットパターンの組み合わせの両方を含むビットパターンで構成されてもよい。【００３５】
前記ランインビットパターンのうち、前記ランイン領域の始端から所定長までの部分は、前記ランイン領域の始端から所定長以降の部分よりも短いビット長の頻度が高いパターンで構成されてもよい。【００３６】
本発明による光ディスクは、複数の記録ブロックに分割されたトラックを複数備え、前記複数の記録ブロックのそれぞれはランイン領域とデータ領域とを含み、前記ランイン領域には所定のランインビットパターンを記録することが可能であり、前記データ領域には記録対象のデータを所定の変調則に従って変調した複数種類のビット長のビットパターンを記録することが可能であり、複数種類のビット長のビットパターンの最短マーク長をＴＭｎｍ、最短スペース長をＴＳｎｍ、前記トラックに照射されるレーザの波長をλｎｍ、前記レーザを集光する対物レンズの開口数をＮＡとしたとき、ＴＭ＋ＴＳ  ＜  λ÷（２ｘＮＡ）  となる光ディスクであって、前記ランイン領域に記録されるランインビットパターンは、前記複数種類のビット長のビットパターンのうち、λ÷（２ｘＮＡ）÷２以下の長さとなるビット長のビットパターンを除いたビットパターンで構成される。【００３７】
前記トラックに照射されるレーザの波長λは４００〜４１０ｎｍであってもよい。【００３８】
前記対物レンズの開口数（ＮＡ，Ｎｕｍｅｒｉｃａｌ  Ａｐｅｒｔｕｒｅ）は０．８４〜０．８６であってもよい。【００３９】
前記最短マーク長と前記最短スペース長との合計長（ＴＭ＋ＴＳ）は２３８．２ｎｍ未満（４０５／（２ｘ０．８５））であってもよい。【００４０】
前記記録対象のデータは、１−７変調則を用いて変調され、前記最短マーク長は２Ｔ、かつ、最短スペース長は２Ｔであってもよい。【００４１】
本発明による再生方法は、上述の光ディスクに記録されたデータを再生する再生方法であって、前記光ディスクの前記トラックに記録されたビットパターンを再生した再生信号を検出するステップと、前記再生信号のビットに位相同期したクロック信号を生成するステップと、前記再生信号を適応等化したのちに２値化した２値化信号を出力するステップと、前記データ領域において前記２値化信号を前記所定の変調則に従って復調することにより前記記録データを抽出するステップとを包含し、前記クロック信号を生成するステップは、前記ランイン領域では前記データ領域よりも高いゲインで前記再生信号と前記クロック信号の位相同期の引き込み制御を行い、前記２値化信号を出力するステップは、前記ランイン領域では前記データ領域よりも高いゲインで適応等化の引き込み制御を行う。【００４２】
本発明による再生方法は、上述の光ディスクに記録されたデータを再生する再生方法であって、前記光ディスクの前記トラックに記録されたビットパターンを再生した再生信号を検出するステップと、前記再生信号のビットに位相同期したクロック信号を生成するステップと、前記再生信号を適応等化したのちに２値化した２値化信号を出力するステップと、前記データ領域において前記２値化信号を前記所定の変調則に従って復調することにより前記記録データを抽出するステップとを包含し、前記クロック信号を生成するステップは、前記ランイン領域では前記データ領域よりも高いゲインで前記再生信号と前記クロック信号の位相同期の引き込み制御を行い、前記２値化信号を出力するステップは、前記ランイン領域では前記データ領域よりも高いゲインで適応等化の引き込み制御を行う。【００４３】
本発明による記録方法は、上述の光ディスクに対し、前記記録データを記録する光ディスク記録方法であって、前記ランインビットパターンを生成するステップと、前記記録対象のデータを所定の変調則に従って変調し、さらに所定のフレーム長毎に所定のフレーム同期パターンを挿入したデータビットパターンを生成するステップと、各記録ブロックのランイン領域では前記ランインビットパターンを前記光ディスクに記録し、データ領域では前記データビットパターンを前記光ディスクに記録するステップと、を包含し、前記ランインビットパターンは、前記複数種類のビット長のビットパターンのうち、空間周波数が前記ＯＴＦカットオフ周波数よりも高いビットパターンを除いたビットパターンで構成される。【００４４】
本発明による記録方法は、上述の光ディスクに対し、前記記録データを記録する光ディスク記録方法であって、前記ランインビットパターンを生成するステップと、前記記録対象のデータを所定の変調則に従って変調し、さらに所定のフレーム長毎に所定のフレーム同期パターンを挿入したデータビットパターンを生成するステップと、各記録ブロックのランイン領域では前記ランインビットパターンを前記光ディスクに記録し、データ領域では前記データビットパターンを前記光ディスクに記録するステップと、を包含し、前記ランインビットパターンは、前記複数種類のビット長のビットパターンのうち、空間周波数が前記ＯＴＦカットオフ周波数よりも高いビットパターンを除いたビットパターンで構成される。【００４５】
本発明による光ディスクは、複数の記録ブロックに分割された複数のトラックを備え、前記複数の記録ブロックのそれぞれはランイン領域とデータ領域とを含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクであって、前記ランイン領域に記録されるランインビットパターンは、前記データ領域に記録されるビットパターンに含まれる最長ビット長およびフレーム同期パターンのビット長よりも長いビットパターンで構成されるランイン同期パターンを含む。【００４６】
前記ランインビットパターンは、前記ランイン同期パターンを複数含み、複数のランイン同期パターンはそれぞれ異なるビットパターンであってもよい。【００４７】
本発明による再生方法は、上述の光ディスクから、前記記録データを再生する再生方法であって、前記光ディスクの前記トラックに記録されたビットパターンを再生した再生信号を検出するステップと、前記再生信号を２値化した２値化信号を出力するステップと、前記２値化信号から前記ランイン領域に含まれるランイン同期パターンを検出するステップと、前記２値化信号から前記データ領域に含まれるフレーム同期パターンを検出するステップと、前記データ領域において前記２値化信号を前記所定の変調則に従って復調することにより前記記録データを抽出するステップと、を包含し、前記記録データを抽出するステップは、各記録ブロックのランイン領域において前記ランイン同期検出ステップによりランイン同期パターンが検出され、ランイン領域につづくデータ領域の先頭付近において前記フレーム同期検出ステップによりフレーム同期パターンが検出できない場合、前記ランイン同期検出ステップによるランイン同期パターンを検出したタイミングを基準にデータ領域の復調処理を行う。【００４８】
本発明による記録方法は、上述の光ディスクに対し、前記記録データを記録する記録方法であって、前記ランインビットパターンを生成するステップと、前記記録データを所定の変調則に従って変調し、さらに所定のフレーム長毎に所定のフレーム同期パターンを挿入したデータビットパターンを生成するステップと、各記録ブロックのランイン領域では前記ランインビットパターンを前記光ディスクに記録し、データ領域では前記データビットパターンを前記光ディスクに記録するステップと、を包含し、前記ランインビットパターンは、前記データ領域に記録されるデータビットパターンに含まれる最長ビット長およびフレーム同期パターンのビット長よりも長いビットパターンで構成されるランイン同期パターンを含む。【００４９】
さらに、前記課題を解決するため、本発明の光ディスクは、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクであって、前記ランイン領域に記録されるランインビットパターンは、前記データ領域に記録されるビットパターンに含まれる最長ビット長およびフレーム同期パターンのビット長よりも長いビットパターンで構成されるランイン同期パターンを含むことを特徴とする。【００５０】
また、前記ランインビットパターンは、前記ランイン同期パターンを複数含み、複数のランイン同期パターンはそれぞれ異なるビットパターンであってもよい。【００５１】
本発明の光ディスクは、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高い光ディスクであって、前記ランイン領域に記録されるランインビットパターンは、前記所定の変調則によって生成されるビット長のうち、前記ＯＴＦカットオフ周波数より空間周波数が高いビット長を除いたパターンで構成されることを特徴とする。【００５２】
また、前記ランインビットパターンは、前記所定の変調則によって生成されるビット長のうち、前記ＯＴＦカットオフ周波数より空間周波数が高いビット長を除き、かつＯＴＦのゲインが最大となる空間周波数を有するビット長以下のパターンで構成されてもよい。【００５３】
また、前記ランインビットパターンは、ビット長差が小さいもの同士の組合せパターンとビット長差が大きいもの同士の組合せパターンの両方を含むパターンで構成されてもよい。【００５４】
また、前記ランインビットパターンは、所定の長さのうち前半は短いビット長の頻度が高いパターンで構成されてもよい。【００５５】
本発明の光ディスク再生装置は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録され、前記ランイン領域に記録されるランインビットパターンは、前記データ領域に記録されるビットパターンに含まれる最長ビット長および同期パターンのビット長よりも長いビットパターンで構成されるランイン同期パターンを含む光ディスクから、前記記録データを再生する光ディスク再生装置であって、前記光ディスクの前記トラックに記録されたビットパターンを再生した再生信号を検出する再生信号検出手段と、前記再生信号を２値化した２値化信号を出力する２値化手段と、前記２値化信号から前記ランイン領域に含まれるランイン同期パターンを検出するランイン同期検出手段と、前記２値化信号から前記データ領域に含まれるフレーム同期パターンを検出するフレーム同期検出手段と、前記データ領域において前記２値化信号を前記所定の変調則に従って復調することにより前記記録データを抽出する復調手段から構成され、前記復調手段は、各記録ブロックのランイン領域において前記ランイン同期検出手段によりランイン同期パターンが検出され、ランイン領域につづくデータ領域の先頭付近において前記フレーム同期検出手段によりフレーム同期パターンが検出できない場合、前記ランイン同期検出手段によるランイン同期パターンを検出したタイミングを基準にデータ領域の復調処理を行うことを特徴とする。【００５６】
本発明の光ディスク再生装置は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高く、前記ランイン領域に記録されるランインビットパターンは、前記所定の変調則によって生成されるビット長のうち前記ＯＴＦカットオフ周波数より空間周波数が高いビット長を除いたパターンで構成される光ディスクから、前記記録データを再生する光ディスク再生装置であって、前記光ディスクの前記トラックに記録されたビットパターンを再生した再生信号を検出する再生信号検出手段と、前記再生信号のビットに位相同期したクロック信号を生成するクロック生成手段と、前記再生信号を適応等化したのちに２値化した２値化信号を出力する適応等化手段と、前記データ領域において前記２値化信号を前記所定の変調則に従って復調することにより前記記録データを抽出する復調手段とから構成され、前記クロック生成手段は、前記ランイン領域では前記データ領域よりも高いゲインで前記再生信号と前記クロック信号の位相同期の引き込み制御を行い、前記適応等化手段は、前記ランイン領域では前記データ領域よりも高いゲインで適応等化の引き込み制御を行うことを特徴とする。【００５７】
本発明の光ディスク記録装置は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクに対し、前記記録データを記録する光ディスク記録装置であって、前記ランインビットパターンを生成するランインビットパターン生成手段と、前記記録データを所定の変調則に従って変調し、さらに所定のフレーム長毎に所定のフレーム同期パターンを挿入したデータビットパターンを生成するデータビットパターン生成手段と、各記録ブロックのランイン領域では前記ランインビットパターンを前記光ディスクに記録し、データ領域では前記データビットパターンを前記光ディスクに記録する記録手段とから構成され、前記ランインビットパターン生成手段によって生成されるランインビットパターンは、前記データ領域に記録されるデータビットパターンに含まれる最長ビット長およびフレーム同期パターンのビット長よりも長いビットパターンで構成されるランイン同期パターンを含むことを特徴とする。【００５８】
本発明の光ディスク記録装置は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高い光ディスクに対し、前記記録データを記録する光ディスク記録装置であって、前記ランインビットパターンを生成するランインビットパターン生成手段と、前記記録データを所定の変調則に従って変調し、さらに所定のフレーム長毎に所定のフレーム同期パターンを挿入したデータビットパターンを生成するデータビットパターン生成手段と、各記録ブロックのランイン領域では前記ランインビットパターンを前記光ディスクに記録し、データ領域では前記データビットパターンを前記光ディスクに記録する記録手段とから構成され、前記ランインビットパターン生成手段によって生成されるランインビットパターンは、前記所定の変調則によって生成されるビット長のうち前記ＯＴＦカットオフ周波数より空間周波数が高いビット長を除いたパターンで構成されることを特徴とする。【００５９】
本発明の光ディスク再生方法は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録され、前記ランイン領域に記録されるランインビットパターンは、前記データ領域に記録されるビットパターンに含まれる最長ビット長および同期パターンのビット長よりも長いビットパターンで構成されるランイン同期パターンを含む光ディスクから、前記記録データを再生する光ディスク再生方法であって、前記光ディスクの前記トラックに記録されたビットパターンを再生した再生信号を検出する再生信号検出ステップと、前記再生信号を２値化した２値化信号を出力する２値化ステップと、前記２値化信号から前記ランイン領域に含まれるランイン同期パターンを検出するランイン同期検出ステップと、前記２値化信号から前記データ領域に含まれるフレーム同期パターンを検出するフレーム同期検出ステップと、前記データ領域において前記２値化信号を前記所定の変調則に従って復調することにより前記記録データを抽出する復調ステップから構成され、前記復調ステップは、各記録ブロックのランイン領域において前記ランイン同期検出ステップによりランイン同期パターンが検出され、ランイン領域につづくデータ領域の先頭付近において前記フレーム同期検出ステップによりフレーム同期パターンが検出できない場合、前記ランイン同期検出ステップによるランイン同期パターンを検出したタイミングを基準にデータ領域の復調処理を行うことを特徴とする。【００６０】
本発明の光ディスク再生方法は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高く、前記ランイン領域に記録されるランインビットパターンは、前記所定の変調則によって生成されるビット長のうち前記ＯＴＦカットオフ周波数より空間周波数が高いビット長を除いたパターンで構成される光ディスクから、前記記録データを再生する光ディスク再生方法であって、前記光ディスクの前記トラックに記録されたビットパターンを再生した再生信号を検出する再生信号検出ステップと、前記再生信号のビットに位相同期したクロック信号を生成するクロック生成ステップと、前記再生信号を適応等化したのちに２値化した２値化信号を出力する適応等化ステップと、前記データ領域において前記２値化信号を前記所定の変調則に従って復調することにより前記記録データを抽出する復調ステップとから構成され、前記クロック生成ステップは、前記ランイン領域では前記データ領域よりも高いゲインで前記再生信号と前記クロック信号の位相同期の引き込み制御を行い、前記適応等化ステップは、前記ランイン領域では前記データ領域よりも高いゲインで適応等化の引き込み制御を行うことを特徴とする。【００６１】
本発明の光ディスク記録方法は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクに対し、前記記録データを記録する光ディスク記録方法であって、前記ランインビットパターンを生成するランインビットパターン生成ステップと、前記記録データを所定の変調則に従って変調し、さらに所定のフレーム長毎に所定のフレーム同期パターンを挿入したデータビットパターンを生成するデータビットパターン生成ステップと、各記録ブロックのランイン領域では前記ランインビットパターンを前記光ディスクに記録し、データ領域では前記データビットパターンを前記光ディスクに記録する記録ステップとから構成され、前記ランインビットパターン生成ステップによって生成されるランインビットパターンは、前記データ領域に記録されるデータビットパターンに含まれる最長ビット長およびフレーム同期パターンのビット長よりも長いビットパターンで構成されるランイン同期パターンを含むことを特徴とする。【００６２】
本発明の光ディスク記録方法は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高い光ディスクに対し、前記記録データを記録する光ディスク記録方法であって、前記ランインビットパターンを生成するランインビットパターン生成ステップと、前記記録データを所定の変調則に従って変調し、さらに所定のフレーム長毎に所定のフレーム同期パターンを挿入したデータビットパターンを生成するデータビットパターン生成手ステップ、各記録ブロックのランイン領域では前記ランインビットパターンを前記光ディスクに記録し、データ領域では前記データビットパターンを前記光ディスクに記録する記録ステップとから構成され、前記ランインビットパターン生成ステップによって生成されるランインビットパターンは、前記所定の変調則によって生成されるビット長のうち前記ＯＴＦカットオフ周波数より空間周波数が高いビット長を除いたパターンで構成されることを特徴とする。【００６３】
本発明の集積回路は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録され、前記ランイン領域に記録されるランインビットパターンは、前記データ領域に記録されるビットパターンに含まれる最長ビット長および同期パターンのビット長よりも長いビットパターンで構成されるランイン同期パターンを含む光ディスクから再生された再生信号から前記記録データを再生する集積回路であって、前記再生信号を２値化した２値化信号を出力する２値化手段と、前記２値化信号から前記ランイン領域に含まれるランイン同期パターンを検出するランイン同期検出手段と、前記２値化信号から前記データ領域に含まれるフレーム同期パターンを検出するフレーム同期検出手段と、前記データ領域において前記２値化信号を前記所定の変調則に従って復調することにより前記記録データを抽出する復調手段から構成され、前記復調手段は、各記録ブロックのランイン領域において前記ランイン同期検出手段によりランイン同期パターンが検出され、ランイン領域につづくデータ領域の先頭付近において前記フレーム同期検出手段によりフレーム同期パターンが検出できない場合、前記ランイン同期検出手段によるランイン同期パターンを検出したタイミングを基準にデータ領域の復調処理を行うことを特徴とする。【００６４】
本発明の集積回路は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高く、前記ランイン領域に記録されるランインビットパターンは、前記所定の変調則によって生成されるビット長のうち前記ＯＴＦカットオフ周波数より空間周波数が高いビット長を除いたパターンで構成される光ディスクから再生された再生信号から前記記録データを再生する集積回路であって、前記再生信号のビットに位相同期したクロック信号を生成するクロック生成手段と、前記再生信号を適応等化したのちに２値化した２値化信号を出力する適応等化手段と、前記データ領域において前記２値化信号を前記所定の変調則に従って復調することにより前記記録データを抽出する復調手段とから構成され、前記クロック生成手段は、前記ランイン領域では前記データ領域よりも高いゲインで前記再生信号と前記クロック信号の位相同期の引き込み制御を行い、前記適応等化手段は、前記ランイン領域では前記データ領域よりも高いゲインで適応等化の引き込み制御を行うことを特徴とする。【００６５】
本発明の集積回路は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクに対し、前記記録データを記録する記録信号を生成する集積回路であって、前記ランインビットパターンを生成するランインビットパターン生成手段と、前記記録データを所定の変調則に従って変調し、さらに所定のフレーム長毎に所定のフレーム同期パターンを挿入したデータビットパターンを生成するデータビットパターン生成手段と、各記録ブロックのランイン領域では前記ランインビットパターンを前記光ディスクに記録し、データ領域では前記データビットパターンを前記記録信号として出力する記録手段とから構成され、前記ランインビットパターン生成手段によって生成されるランインビットパターンは、前記データビットパターンに含まれる最長ビット長およびフレーム同期パターンのビット長よりも長いビットパターンで構成されるランイン同期パターンを含むことを特徴とする。【００６６】
本発明の集積回路は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高い光ディスクに対し、前記記録データを記録する記録信号を生成する集積回路であって、前記ランインビットパターンを生成するランインビットパターン生成手段と、前記記録データを所定の変調則に従って変調し、さらに所定のフレーム長毎に所定のフレーム同期パターンを挿入したデータビットパターンを生成するデータビットパターン生成手段と、各記録ブロックのランイン領域では前記ランインビットパターンを前記光ディスクに記録し、データ領域では前記データビットパターンを前記記録信号として出力する記録手段とから構成され、前記ランインビットパターン生成手段によって生成されるランインビットパターンは、前記所定の変調則によって生成されるビット長のうち前記ＯＴＦカットオフ周波数より空間周波数が高いビット長を除いたパターンで構成されることを特徴とする。
【発明の効果】
【００６７】
本発明によれば、データ領域に存在するビット長よりも長いビット長のランイン同期パターンをランイン領域のビットパターン中に配置することにより、ＰＬＬ回路の位相同期引き込みや適応等化回路の適応引き込み制御が不十分であっても、長いビット長を有するランイン同期パターンは容易に検出でき、ランイン同期パターン検出位置を基準にランイン領域につづくデータの復調を行うことが可能となり、データの連続的エラーの発生を防止することができる。【００６８】
また、最短ビットの空間周波数がＯＴＦのゲインが０倍となるカットオフ周波数より高くなる高密度記録において、ランイン領域に記録されるランインビットパターンを、所定の変調則によって生成されるビット長のうちＯＴＦカットオフ周波数より空間周波数が高いビット長を除いたパターンで構成することにより、ランインビットパターン中の全てのマーク／スペースの境界位置が再生信号から容易に得られ、ＰＬＬ回路の引き込みおよび適応等化回路の引き込みを安定に行うことが可能となる。【００６９】
また、前記ランインビットパターンを、前記所定の変調則によって生成されるビット長のうち、前記ＯＴＦカットオフ周波数より空間周波数が高いビット長を除き、かつＯＴＦのゲインが最大となる空間周波数を有するビット長以下のパターンで構成したり、ビット長差が小さいもの同士の組合せパターンとビット長差が大きいもの同士の組合せパターンの両方を含むパターンとして構成することにより、ＯＴＦカットオフ周波数より空間周波数が高いビット長のビットパターン以外に対する適応等化回路の引き込みが適切に行われ、空間周波数が低いビットパターンに起因するデータエラーを抑止しながら、空間周波数がＯＴＦカットオフ周波数より高いビットパターンに対する適応等化を安定に制御することが可能となる。【００７０】
また、ランイン領域のうち、前半は短いビット長の頻度が高いパターンで構成することによりマーク／スペース境界が多数存在し、ＰＬＬ回路におけるチャネルクロック信号と再生信号の位相を制御するためのタイミング情報が多く得られ、引き込み制御が容易となる。ＰＬＬ回路の引き込みが安定した後、後半の領域では安定なチャネルクロック信号を用いて正確な適応等化回路の引き込みを行うことが可能となる。
【図面の簡単な説明】
【００７１】
【図１】実施形態１による光ディスク１の物理的構成を示す。
【図２】実施形態１における光ディスク１の記録フォーマットを示す図である。
【図３】実施形態２による光ディスク装置２５０の構成を示すブロック図である。
【図４】光ディスク装置２５０の記録動作を示すタイミング図である。
【図５】光ディスク装置２５０の再生動作を示すタイミング図である。
【図６】実施形態３における光ディスクの記録フォーマットを示す図である。
【図７】実施形態４における光ディスク装置６５０の構成を示すブロック図である。
【図８】光ディスク装置６５０のデータ再生動作を示すタイミング図である。
【図９】実施形態５における光ディスクの記録フォーマットを示す図である。
【図１０】長さ２０Ｔのビットパターンの組合せを示す図である。
【図１１】長さ２２Ｔのビットパターンの組合せを示す図である。
【図１２】長さ３０Ｔのビットパターンの組合せを示す図である。
【図１３】長さ３０Ｔのビットパターンの組合せを示す図である。
【図１４】（Ａ）は従来の記録密度のＢＤの例を示す図であり、（Ｂ）はＢＤより高密度ディスクの例を示す図である。
【図１５】ＢＤのブロック１５３のフォーマットを示す図である。
【図１６】ブロック１５３のうちの、ランアウト領域およびガード領域のパターンの詳細を示す図である。
【図１７】従来の記録フォーマットの一例を示す図である。
【図１８】ＢＤの光学分解能と最短ビット長２Ｔとの関係を示す図である。
【図１９】従来の光ディスク装置１１００の構成を示す図である。
【図２０】図１８に示す光学的伝達関数ＯＴＦの場合における２Ｔから９Ｔまでの各信号波形の理想的な信号振幅と、理想的な再生クロック信号での同期サンプリング点を示す図である。
【図２１】２Ｔマーク／２Ｔスペース／３Ｔマーク／３Ｔスペース／６Ｔマーク／６Ｔスペースの繰返し単位のデータ信号の理想的な信号波形と、理想的な再生クロック信号での同期サンプリング点を示す図である。
【図２２】２Ｔの空間周波数がＯＴＦカットオフ周波数よりも高く、かつ、２Ｔの再生信号の振幅が０になっている例を示す図である。
【図２３】図２２に示す光学的伝達関数ＯＴＦの場合における２Ｔから９Ｔまでの各信号波形の理想的な信号振幅と、理想的な再生クロック信号での同期サンプリング点とを示す図である。
【図２４】２Ｔマーク／２Ｔスペース／３Ｔマーク／３Ｔスペース／６Ｔマーク／６Ｔスペースの繰返し単位のデータ信号の理想的な信号波形と、理想的な再生クロック信号での同期サンプリング点とを示す図である。
【符号の説明】
【００７２】
１、２００    光ディスク
２０１    光ヘッド
２０２    モータ
２０３    サーボ回路
２０４    アドレス再生回路
２０５    ＣＰＵ
２０６    ランイン生成回路
２０７    データ変調回路
２０８    記録制御回路
２０９    データ信号抽出回路
２１０    再生クロック生成ＰＬＬ回路
２１１    適応等化回路
２１２    データ復調回路
２１３    ランイン同期検出回路
２５０    光ディスク装置
【発明を実施するための最良の形態】
【００７３】
以下、本発明に係る光ディスクあるいは光ディスク装置の実施形態について説明する。【００７４】
（実施形態１）
図１は、本実施形態による光ディスク１の物理的構成を示す。円盤状の光ディスク１には、たとえばスパイラル状に多数のトラック２が形成されており、各トラック２には細かく分けられた多数のセクタが形成されている。なお、後述するように、各トラック２には予め定められたサイズのブロック３を単位としてデータが記録される。【００７５】
図２は、本実施形態における光ディスク１の記録フォーマットを示す図である。【００７６】
データは、所定のデータ量毎にエラー訂正符号化処理が行われたブロック３を単位としてトラック２に記録される。トラック２にはブロック単位でブロックアドレスが割り振られている。【００７７】
ブロック３は、先頭には再生時の同期検出に用いるためのランイン領域１０１と、記録データを含むデータ領域１０２とから構成される。データ領域１０２は、複数のセクタ１０３に分割され、各セクタ１０３はさらに複数のフレーム１０４に分割される。各フレーム１０４の先頭には、フレーム同期パターン１０５が配置されている。フレーム同期パターン１０５の後には、所定の変調符号に従って、記録されるデータが変調されたビットパターンが記録される。ビットパターンは、２Ｔから８Ｔのビット長の組合せであらわされている。【００７８】
フレーム同期パターン１０５は、所定のビットパターン（３Ｔ／９Ｔ／９Ｔ）および所定の長さの同期ＩＤパターン１０６で構成されている。フレーム同期パターン１０５を識別するために、記録データを変調したビットパターンには含まれない９Ｔが用いられている。３Ｔ／９Ｔ／９Ｔを検出し、その後続の同期ＩＤパターン１０６を判定することで、再生中のフレームの番号が特定可能である。【００７９】
ランイン領域１０１は、所定のビット長で３つの区間（ビットパターン）１０７に分割されており、隣接する２つの区間の間にはランイン同期パターン０またはランイン同期パターン１が挿入されている。【００８０】
３つの区間１０７は、いずれも２Ｔ／２Ｔ／３Ｔ／３Ｔ／６Ｔ／６Ｔを１単位としたパターンを複数含んでいる。この１単位のパターンが繰り返し含まれている。【００８１】
上述した１単位のパターンには「２Ｔ」が含まれている。そのため、光ディスク装置がこの繰返しパターンを再生すると、２Ｔの空間周波数がＯＴＦカットオフ周波数よりも低い場合（図１８）には図２１に示すような信号波形が得られ、２Ｔの空間周波数がＯＴＦカットオフ周波数よりも高い場合（図２２）には図２４に示すように２Ｔの振幅がゼロとなる信号波形となる。【００８２】
上述の説明から明らかなように、本実施形態による光ディスク１の最短ビットパターンのビット長は、従来の光ディスクのそれと同じであってもよいし、従来の光ディスクのそれより短くてもよい。記録マークの最短ビットパターンのビット長が従来の光ディスクよりも短く設定された場合には、情報記録層１層あたりの記録容量が拡張された光ディスクということを意味する。【００８３】
当該光ディスク１を再生する際に記録されているマークとスペースの境界位置を利用してビット同期を検出する場合、２Ｔの振幅がゼロとなってしまうと２Ｔに関連する境界位置はビット同期の検出に利用できなくなり、ビット同期を検出するために必要な情報量が不足することになる。ビット同期がランイン領域中に正確に検出できないままとなると、データ領域の先頭のフレーム０のフレーム同期パターンが検出できず、先頭の１フレームあるいは２フレームの区間のデータがエラーとなってしまう。【００８４】
そこで、図２に示す本実施形態においては、ランイン領域１０１に３つの区間１０７を設けるとともに、はじめの２つの区間の間には、ランイン同期パターン０を配置し、次の２つの区間の間にはランイン同期パターン１を配置した。このように配置した理由は、ランイン領域１０１を必ず検出することができるようにするためである。本実施形態においては、ランイン同期パターン０およびランイン同期パターン１として、それぞれ比較的長いビットパターンを複数配置している。これにより光ディスク装置は誤検出を生じにくくなる。【００８５】
また、ランイン同期パターン０をはじめの２つの区間の間に配置し、その次の２つの区間の間にはランイン同期パターン１を配置することにより、現在どの位置を読み込んでいるかを光ディスク装置が確実に特定することが可能になる。これにより、誤検出をより確実に防ぐことが可能になる。【００８６】
ここで、ランイン同期パターンをより詳細に説明する。【００８７】
本実施形態においては、ランイン同期パターン０は１３Ｔ／１３Ｔ／１１Ｔ／１１Ｔ／６Ｔ／６Ｔのビットパターンであり、ランイン同期パターン１は１３Ｔ／１１Ｔ／１１Ｔ／１３Ｔ／６Ｔ／６Ｔのビットパターンである。データ領域中のフレーム同期パターンよりもさらにビット長が長く１３Ｔと１１Ｔを用い、パターン内のビット長の差が２Ｔ確保できているパターンとすることにより、その時点でのビット同期の周波数がずれていても正確なパターン検出およびビット同期位置の検出が可能となる。【００８８】
また、繰返しパターンとは大きく異なるパターンで所定の位置に挿入されているため、ランインビットパターン中から容易に検出でき、データ領域ではなくランイン領域の再生中のうちからフレーム０の先頭位置を正確に予測することができるようになる。さらに、ランイン同期パターンは２つ設けられているため、ランイン同期パターン０が検出できない場合でもランイン同期パターン１が検出できればフレーム０の先頭位置を予測することが可能であり、また両方を用いることでフレーム０の先頭位置の予測の確度をさらに向上することが可能となる。【００８９】
なお、上述の実施形態において、記録フォーマットの構成、ランイン領域のビットパターンの例を示したが、これに限定されるものではない。【００９０】
（実施形態２）
図３は、本実施形態による光ディスク装置２５０の構成を示すブロック図である。【００９１】
図３に示す光ディスク装置２５０は、光ディスク２００からのデータの再生および光ディスク２００へのデータの記録の両方を行うことが可能である。ただし、これは例であり、データの再生および記録の少なくとも一方を行うことができればよい。【００９２】
光ディスク装置２５０は、光ヘッド２０１と、モータ２０２と、サーボ回路２０３と、アドレス再生回路２０４と、ＣＰＵ２０５と、ランイン生成回路２０６と、データ変調回路２０７と、記録制御回路２０８と、データ信号抽出回路２０９と、再生クロック生成ＰＬＬ回路２１０と、適応等化回路２１１と、データ復調回路２１２と、ランイン同期検出回路２１３とを備える。【００９３】
サーボ回路２０３、アドレス再生回路２０４、ＣＰＵ２０５、ランイン生成回路２０６、データ変調回路２０７、記録制御回路２０８、データ信号抽出回路２０９、再生クロック生成ＰＬＬ回路２１０、適応等化回路２１１、データ復調回路２１２、および、ランイン同期検出回路２１３は、１つのチップ回路（光ディスクコントローラ）２４０として実装されている。なお、これらの全てが１チップ化されていなくてもよい。たとえば、サーボ回路２３０は含まれなくてもよい。または、アドレス再生回路２０４を光ヘッド２０１内に組み込んでもよい。さらに、これらを１チップ化せずに個々の回路として別々に設けてもよい。【００９４】
光ディスク２００は、データを記録するトラックを有し、トラック上には前述の本発明の実施形態１に示す記録フォーマットに従ってデータが記録される。なお、光ディスク２００自体は、光ディスク装置２５０から取り外し可能であり、光ディスク装置２５０の構成要素ではない。【００９５】
光ヘッド２０１は、光ディスク２００に光ビームを照射し、トラックを走査しながら光ディスク２００からの反射光量を検出して電気信号を出力する。【００９６】
モータ２０２は、光ディスク２００を指定された回転数で回転させる。【００９７】
サーボ回路２０３は、前記電気信号から光ビームのトラックへの集光状態に応じたサーボエラー信号を抽出し、サーボエラー信号を用いて、光ヘッド２０１のトラックにおける光ビームの集光状態、トラックの走査状態が最適な状態になるように制御を行う。また、光ビームを照射する光ディスク２００上の半径位置およびモータ２０２の回転数を最適に制御する。【００９８】
アドレス再生回路２０４は、前記電気信号から光ディスク２００のトラックに予め記録されたアドレス情報を含むアドレス信号を抽出し、アドレス信号からアドレス情報を再生し、光ディスク２００のトラック上のブロックに対する同期位置も検出する。【００９９】
ＣＰＵ２０５は、アドレス再生回路２０４からアドレス情報を得ながら、データの記録および再生を行うブロックを検索し、記録動作、再生動作の指示を出す。光ディスク２００へのデータの記録は、ランイン生成回路２０６と、データ変調回路２０７と、記録制御回路２０８によって実行される。データの再生は、データ信号抽出回路２０９と、再生クロック生成ＰＬＬ回路２１０と、適応等化回路２１１と、データ復調回路２１２と、ランイン同期検出回路２１３によって実行される。【０１００】
次に、光ディスク装置２５０の記録動作を説明する。図４は光ディスク装置２５０の記録動作を示すタイミング図である。【０１０１】
ランイン生成回路２０６は、ランイン領域に記録するランイン領域ビットパターンを生成する。ランイン領域ビットパターンは、前述の実施形態１で説明した、図２に示されるランイン領域１０１として示されているビットパターンである。当該ビットパターンは、アドレス再生回路２０４で検出されたブロック同期位置を基準にしたランイン領域の区間で記録制御回路２０８に対して出力される。【０１０２】
データ変調回路２０７は、記録データの前準備として記録データに所定のエラー訂正符号化処理を施したエラー訂正符号（ＥＣＣ）データを生成し、記録実行中にはＥＣＣデータを所定の変調則に従って順次変調する。また、変調を行う際には、フレーム毎にフレーム同期パターンを挿入する。生成されたデータ領域ビットパターンは、アドレス再生回路２０４で検出されたブロック同期位置を基準にしたデータ領域の区間で記録制御回路２０８に対して出力される。【０１０３】
記録制御回路２０８は、ＣＰＵ２０５から記録の指示を受けとると、指定されたアドレスを有するブロックにおけるランイン領域ではランイン生成回路２０６から得たランイン領域ビットパターンを記録信号として選択し、データ領域ではデータ変調回路２０７から得たデータ領域ビットパターンを記録信号として選択し、記録信号に基づいて光ヘッド２０１の光ビームの強度を制御することにより、光ディスク２００の所定のブロックにビットパターンを記録する。【０１０４】
次に、光ディスク装置２５０の再生動作を説明する。図５は光ディスク装置２５０の再生動作を示すタイミング図である。【０１０５】
データ信号抽出回路２０９は、光ヘッド２０１により検出した電気信号から光ディスク２００のトラック上に記録されたマークとスペースに応じたデータ信号（図中の「再生信号」）を抽出する。【０１０６】
再生クロック生成ＰＬＬ回路２１０は、前記データ信号に位相同期した再生クロック信号を生成する。再生クロック生成ＰＬＬ回路２１０は、図５の「ＰＬＬ制御」に示すように、データが記録されていない未記録区間ではホールド状態となっている。【０１０７】
再生信号が、記録されているブロックのランイン領域の情報を含む状態に入ると、「ＰＬＬ制御」は引き込み動作を行う状態となる。ランインビットパターンの繰返しパターンが利用されることにより、図５の「再生クロック周波数」に示すようにまず周波数の引き込みが行われる。周波数がほぼ一致すれば位相が同期するように位相引き込みの状態となり、データ領域になる直前までには位相引き込みが完了し、以後データ領域中は位相ロック状態を維持するように動作する。【０１０８】
光ディスク２００の記録密度が、図１８に示すように２Ｔの空間周波数がＯＴＦカットオフ周波数よりも低い場合には、ランイン領域のデータ信号は図２１に示すように全てのマーク／スペースの境界位置が得られるため、再生クロック生成ＰＬＬ回路２１０における制御ゲインが十分に確保できる。これにより、図５の「再生クロック周波数」における変動として示すように、引き込み性能が高くランイン領域の早い段階で位相引き込みまで完了することができ、データ領域の先頭のタイミングに対して十分な余裕時間を確保できる。【０１０９】
一方で、光ディスク２００の記録密度が図２２に示すように２Ｔの空間周波数がＯＴＦカットオフ周波数よりも高い場合には、ランイン領域のデータ信号は図２４に示すように２Ｔに関連する境界位置は得られず、再生クロック生成ＰＬＬ回路２１０における制御ゲインが不足してしまう。また、符号間干渉による信号波形歪みも発生しやすいため、再生クロック生成ＰＬＬ回路２１０の安定性をとるために、さらにゲインを低くしなければならなくなってしまう。この結果、図５の「再生クロック周波数」の変動として示すように、引き込み性能が低く、周波数引込、位相引き込みともに長い時間を要し、データ領域の先頭のタイミングに対して十分な余裕時間を確保することが困難となる。【０１１０】
そこで本実施形態においては、適応等化回路２１１を利用して上述の問題を解消している。すなわち適応等化回路２１１は、等化フィルタ処理、等化フィルタのフィルタ係数の適応制御処理、および、等化フィルタ回路の出力を２値化するビタビ復号処理の３つの処理を行う。これらは、ソフトウェア処理として実現されてもよいし、各々の処理を行う回路として実現されてもよい。以下では、それぞれが回路として実装されているとして説明する。【０１１１】
２Ｔの空間周波数がＯＴＦカットオフ周波数よりも低い場合（図１８）の等化フィルタ回路の出力信号に関しては、２Ｔから９Ｔの各信号振幅と再生クロック信号でのサンプリング点とが図２０に示す波形図の状態となることが目標である。適応制御回路は等化フィルタ回路の出力信号の振幅および位相が目標レベルに近づくようにフィルタ係数を制御する。ビタビ復号回路は、等化フィルタ回路の出力信号と図２０に示す目標波形とを比較することで最尤復号を行い、マークとスペースとに２値化した２値化信号として出力する。【０１１２】
適応制御回路は、データ信号と再生クロック信号との周波数が大きくずれている場合には目標レベルに対する振幅と位相の正確な誤差を得られないため、図５の「適応等化制御」に示すように、再生クロック生成ＰＬＬ回路２１０の引き込みの完了が見込まれる所定のタイミングまでその動作はホールドされている。所定のタイミングになればホールド解除して適応等化制御の引き込みを開始し、データ領域の先頭付近では引き込みを完了し、ロック状態を維持するように動作する。【０１１３】
一方、光ディスク２００の記録密度がより高いため、２Ｔの空間周波数がＯＴＦカットオフ周波数よりも高い場合（図２２）には、前述の再生クロック生成ＰＬＬ回路２１０の引き込み性能が低いため、適応制御回路においても制御の誤差が発生しやすく、引き込み動作が安定しなくなってしまう。これに伴い、適応制御回路が十分に引き込みを完了できていない間は、ビタビ復号回路による２値化信号の出力もエラーを多く含むものとなってしまう。【０１１４】
以上のように、記録密度を高めた場合には、最悪の場合、再生クロック生成ＰＬＬ回路２１０と適応等化回路２１１の引き込みがランイン領域内で完了しないことから、フレーム０のフレーム同期パターンを検出できず、先頭の１フレームから２フレーム程度のデータが全てエラーになってしまう。【０１１５】
そこで、ランイン同期検出回路２１３は、図２に示すランイン同期パターン０およびランイン同期パターン１の検出を行い、ランイン同期パターン検出信号を出力する。ランイン同期パターンの検出は、１３Ｔと１１Ｔの組合せ部分で行い、長さの比が１３：１３：１１：１１となる場合はランイン同期パターン０として検出する。一方、長さの比が１３：１１：１１：１３となる場合はランイン同期パターン１として検出する。ランイン同期パターン０およびランイン同期パターン１は、前後の繰返しパターンと明らかに異なるパターンであり、かつＯＴＦカットオフ周波数に対し十分に空間周波数が低いビットパターンであるため符号間干渉の影響を受けにくく、前述のように再生クロック生成ＰＬＬ回路２１０と適応等化回路２１１の引き込み状態が不十分であっても、容易に検出することが可能である。また、ランイン同期パターンは、それぞれ６０Ｔの長さとなる。最後尾の６Ｔは、その後に繰返しパターンの２Ｔが継続し波形歪みの影響が出やすいため、これを除いても合計５４Ｔの長さがあり、約１．８５％以上の周波数誤差を検出し、再生クロック生成ＰＬＬ回路２１０の誤差を補正することもできる。【０１１６】
データ復調回路２１２は、適応等化回路２１１から出力される２値化信号からフレーム同期パターンを検出してフレーム同期をとったフレーム同期復調カウンタを動作させ、フレーム同期復調カウンタのタイミングに従って所定の変調則で２値化信号の復調を行い、得られた１ブロック分の復調データに対し所定のエラー訂正処理を行ってエラーを訂正し、再生データとして出力する。【０１１７】
データ復調回路２１２において、前述のように再生クロック生成ＰＬＬ回路２１０と適応等化回路２１１の引き込み状態が不十分なためにフレーム０のフレーム同期パターンが未検出となると、フレーム同期復調カウンタが正しいタイミングにプリセットされないために、フレーム１あるいはフレーム２のフレーム同期パターンが検出されて正しいタイミングにプリセットされるまでは復調データが全てエラーとなってしまう。これを防ぐために、ランイン同期パターン検出信号を用いて、ランイン領域においてもランイン同期パターン０とランイン同期パターン１の検出タイミングにおいてフレーム同期復調カウンタのプリセットを行う。これによって、フレーム０のフレーム同期パターンが未検出となっても、それ以前にランイン同期パターンにより正確なタイミングで予めプリセットできているため、正しいタイミングで復調処理が行われ、復調データの連続エラーを防止することができる。【０１１８】
なお、上述の実施形態において、記録フォーマットの構成、ランイン領域のビットパターンの例に適合する光ディスク装置２５０を示したが、これに限定されるものではない。【０１１９】
なお、上述の実施形態において、適応等化回路の等化レベルの目標の例を示したが、これに限定されるものではない。【０１２０】
（実施形態３）
図６は、本実施形態における光ディスクの記録フォーマットを示す図である。本図に示されるフォーマットが図２に示すフォーマットと相違する点は、ブロック３を構成するランイン領域５０１である。図６に示すデータ領域１０２は、図２に示すデータ領域１０２と同じであるため、説明は省略する。なお、外観の構成は図１に示す実施形態１にかかる光ディスク１と同じである。【０１２１】
さらに、本実施形態における光ディスクにおいては、図２２に示すように、最短ビット長の２Ｔの空間周波数はＯＴＦカットオフ周波数の１．１２倍となるよう形成されている。【０１２２】
ランイン領域５０１は２つの領域５０７および５０８に分割されている。前半部の領域５０７のビットパターンは図６に示す繰返しパターンＡとされ、後半部の領域５０８のビットパターンは繰返しパターンＢとされている。【０１２３】
前半部の繰返しパターンＡは、４Ｔ／４Ｔ／５Ｔ／５Ｔが繰り返されて構成されている。ＯＴＦカットオフ周波数を超えている２Ｔと、ＯＴＦカットオフ周波数に近く信号振幅が小さくなってしまう３Ｔは用いず、また光ディスク装置の再生クロック生成ＰＬＬ回路での制御情報となるマークとスペースの境界が少なくなってしまう長いビット長も用いないことにより、再生クロック生成ＰＬＬ回路の制御が容易になる。なお、光ディスク装置の動作は後述する実施形態４において詳細に説明する。【０１２４】
後半部の繰返しパターンＢは、３Ｔ／４Ｔ／５Ｔ／６Ｔ／７Ｔ／７Ｔ／６Ｔ／５Ｔ／４Ｔ／３Ｔ／７Ｔ／３Ｔ／７Ｔ／７Ｔ／３Ｔ／７Ｔ／６Ｔ／３Ｔ／６Ｔ／６Ｔ／３Ｔ／６Ｔが繰り返されて構成されている。繰返しパターンＡと同様にＯＴＦカットオフ周波数を超えている２Ｔは用いていない。繰返し単位の前半には近いビット長同士の組合せパターンを配置し、後半は長いビット長と短いビット長の組合せパターンとなっている。【０１２５】
たとえば、３Ｔ、４Ｔ等をそれぞれ１つのパターンと呼ぶと、たとえば最初から１０パターンまで（前半部分）は差が１Ｔ以下のビット長の組み合わせを配置し、１１パターン以降（後半部分）は、差が２Ｔ以上になるビット長の組み合わせを配置する。１１パターン以降は、図６に示すように、常に２Ｔ以上にならなくてもよい。７Ｔ同士、６Ｔ同士が隣接してもよいし、７Ｔと６Ｔとが隣接してもよい。【０１２６】
より一般化すれば、ｎを自然数とするとき、差がｎＴ以下のビット長のビットパターンの組み合わせと、差が（ｎ＋１）以上のビット長のビットパターンの組み合わせとを含むよう、繰返しパターンＢを定めればよい。【０１２７】
なお、「前半」および「後半」の決定の仕方は、一例である。より一般化すれば、「前半」とはランインビットパターンの始端から予め定められた長さ（所定長）までの部分を意味し、「後半」とはランインビットパターンの始端から当該所定長以降、ランインビットパターンの終端までの部分を意味する。【０１２８】
符号間干渉が発生するマークとスペースの組み合わせは、ビット長が近いマークとスペースの組合せ、ビット長が長いスペース（あるいはマーク）の間にビット長が短いマーク（あるいはスペース）がある組合せ、信号波形の振幅がゼロとなってしまう２Ｔ（図２３）が関連する組合せの３つに大別される。光ディスク装置の適応等化の引き込み段階においては、振幅が検出できない２Ｔが関連する波形は間違いやすく引き込みの安定性の低下要因となる。そのため、引き込みは２Ｔを除く他の２つの符号間干渉のパターンに対して行い、その後２Ｔも含めて適応等化すれば安定性を高めることができる。【０１２９】
そこで、繰返し単位の前半ではビット長が近いもの同士の組合せパターンＡを採用することにより、光ディスク装置は、その符号間干渉の状態に対する適応等化回路の適応等化制御の引き込みを行うことができる。一方、後半ではビット長が遠いもの同士の組合せパターンＢを採用することにより、光ディスク装置はその符号間干渉の状態に対する適応等化制御の引き込みを行うことができる。これらによって、繰返しパターンＢの区間で、ＯＴＦカットオフ周波数を超えている２Ｔを除いた他の符号間干渉に関して、適切な適応等化を行うことができる。【０１３０】
以上のランインビットパターンにより、まず最初に繰返しパターンＡにより再生クロック生成ＰＬＬ回路の引き込み動作を行い、次に繰返しパターンＢにより適応等化回路の適応等化制御の引き込み動作を行い、いずれの引き込み動作もできたところでデータ領域の再生動作を行うことができる。２Ｔが関連する信号波形の適応等化はできていないが、２Ｔ以外の適応等化は適切に対応できているため再生エラーに至ることはなく、データ領域においては２Ｔも含めて適応等化制御を行うことにより、さらに再生性能を安定化させることができる。【０１３１】
なお、上述の実施形態において、記録フォーマットの構成、ランイン領域のビットパターンの例を示したが、これに限定されるものではない。【０１３２】
（実施形態４）
図７は、本実施形態における光ディスク装置６５０の構成を示すブロック図である。【０１３３】
図７に示す光ディスク装置６５０は、光ディスク６００からのデータの再生および光ディスク６００へのデータの記録の両方を行うことが可能である。ただし、これは例であり、データの再生および記録の少なくとも一方を行うことができればよい。光ディスク装置６５０は、光ヘッド６０１と、モータ６０２と、光ディスクコントローラ６４０とを備えている。光ディスクコントローラ６４０は、サーボ回路６０３と、アドレス再生回路６０４と、ＣＰＵ６０５と、ランイン生成回路６０６と、データ変調回路６０７と、記録制御回路６０８と、データ信号抽出回路６０９と、再生クロック生成ＰＬＬ回路６１０と、適応等化回路６１１と、データ復調回路６１２とを有している。【０１３４】
光ディスク６００は、データを記録するトラックを有し、トラック上には前述の実施形態３に示す記録フォーマットに従ってデータが記録され、同様に２Ｔの空間周波数はＯＴＦカットオフ周波数より高く１．１２倍である。【０１３５】
図７の光ディスク装置６５０の構成要素に関し、前述の実施形態２および図３に示す構成要素と同じ構成要素については、説明を省略する。以下で特に説明する構成要素以外の構成要素については、図３に示される同名の構成要素と同じ機能が与えられているとする。【０１３６】
まず、光ディスク６００へのデータの記録動作に関連するランイン生成回路６０６の処理を説明する。【０１３７】
ランイン生成回路６０６は、ランイン領域５０１（図６）に記録するランイン領域ビットパターンを生成する。ランイン領域ビットパターンは、前述の実施形態３で説明した、図６に示されるランイン領域５０１として示されているビットパターンである。当該ビットパターンは、アドレス再生回路６０４で検出されたブロック同期位置を基準にしたランイン領域の区間で記録制御回路６０８に対して出力される。記録制御回路６０８はランイン領域にランインビットパターンが記録されるように、光ヘッド６０１の光ビームの強度を制御する。【０１３８】
次に、光ディスク６００からのデータの再生動作に関連する、再生クロック生成ＰＬＬ回路６１０および適応等化回路６１１の各動作を説明する。【０１３９】
図８は、光ディスク装置６５０のデータ再生動作を示すタイミング図である。【０１４０】
アドレス再生回路６０４は、検出したブロック同期位置を基準に、ランイン領域の前半の繰返しパターンＡが記録されている区間では、再生クロック生成ＰＬＬ回路６１０に対して高いゲインで引き込み動作を行うように指示し、その引き込み動作以降は低いゲインで位相ロック状態を維持するように指示する。【０１４１】
再生クロック生成ＰＬＬ回路６１０は、アドレス再生回路６０４の指示に従って、繰返しパターンＡの区間では高いゲインでの引き込み動作を行い、その後は低いゲインでロック状態を維持するように動作する。繰返しパターンＡの区間では、４Ｔ／４Ｔ／５Ｔ／５Ｔの単純な繰返しパターンであるため、周波数の比較が容易であり、またゲインを高くすることにより短時間で安定な引き込み動作を実現することができる。【０１４２】
図８の「ＰＬＬ制御」によれば、繰返しパターンＡが記録されている区間において引き込み状態が維持されていること、および、繰返しパターンＢが記録されている区間において位相ロック状態が維持されていることが理解される。【０１４３】
また、適応等化回路６１１は、アドレス再生回路６０４の指示に従って、繰返しパターンＡが記録されている区間（再生クロック生成ＰＬＬ回路６１０の引き込み動作中）では動作をホールドするように指示し、繰返しパターンＢが記録されている区間では高いゲインで引き込み動作を行うように指示し、以降は低いゲインで適応等化制御のロック状態を維持するように指示する（図８の「適応等化制御」）。【０１４４】
繰返しパターンＢには引き込みの不安定要因となる２Ｔは含まれていないため、高いゲインで引き込み動作を行っても問題なく、短時間で安定に引き込むことができる。【０１４５】
繰返しパターンＢの繰返し単位の前半の組合せパターンにより、ビット長が近いもの同士の符号間干渉の影響による信号波形の歪みを補正するように適応等化が制御される。また、繰返し単位の後半の組合せパターンにより、ビット長が遠いもの同士の符号間干渉の影響による信号波形の歪みも補正するように適応等化が制御される。これらによって、２Ｔに関連する符号間干渉を除いた他の符号間干渉の影響に対し、繰返しパターンＢの区間中に適応等化の引き込みを行い、データ信号をただしく２値化する性能を確保することができる。また、データ領域においては、低いゲインで安定状態を維持しながら、２Ｔに関連する符号間干渉の影響も適切に適応等化できるように制御される。【０１４６】
以上の処理によれば、図８の「フレーム同期パターン検出」に示すように、データ領域の先頭のフレーム０同期パターンを安定に検出することができる。その結果、図８の「フレーム同期復調カウンタ」に示すように、データ復調回路６１２におけるフレーム同期復調カウンタを正しいタイミングで動作させ、データの復調エラーを極小に抑えることが可能となる。【０１４７】
なお、上述の実施形態において、記録フォーマットの構成、ランイン領域のビットパターンの例に適合する光ディスク装置を示したが、これに限定されるものではない。【０１４８】
（実施形態５）
図９は、本実施形態による光ディスクの記録フォーマットを示す。データ構造は、図６に示すデータ構造に類似する。【０１４９】
データは、所定のデータ量毎にエラー訂正符号化処理が行われたブロック単位で記録される。【０１５０】
各ブロックは、先頭には再生時の同期検出に用いるためのランイン領域と、記録データを含むデータ領域とによって構成される。データ領域は、複数のセクタに分割され、セクタはさらに複数のフレームに分割される。各フレームは、先頭に所定のビットパターンと各フレームに固有の同期ＩＤパターンから構成されるフレーム同期パターンが配置されている。フレーム同期パターン後には、所定の変調符号に従って記録データを変調したビットパターンが記録され、２Ｔから８Ｔのビット長の組合せであらわされている。【０１５１】
本実施形態における光ディスクは、図２２に示すように、最短ビット長の２Ｔの空間周波数はＯＴＦカットオフ周波数の１．１２倍となるよう設けられている。【０１５２】
フレーム同期パターンは、３Ｔ／９Ｔ／９Ｔおよび所定の長さの同期ＩＤパターンで構成されている。記録データを変調したビットパターンには含まれない９Ｔを用いることで区別されており、３Ｔ／９Ｔ／９Ｔを検出し、その後続の同期ＩＤパターンを判定することで、再生中のフレームの番号が判断できるものである。【０１５３】
ランイン領域は、長さが２６４０Ｔであり、所定の繰返しビットパターンが記録される。図１０、図１１、図１２、図１３は、それぞれ、ランイン領域の繰返しビットパターンを示す。従来の光ディスクのランインビットパターンは図２４に示すように２Ｔ／２Ｔ／３Ｔ／３Ｔ／６Ｔ／６Ｔの長さ２２Ｔのビットパターンであり、ランイン領域においてこのビットパターンが１２０回繰り返し記録される。【０１５４】
しかし、図２２に示すように、最短ビット長の２Ｔの空間周波数はＯＴＦカットオフ周波数より高くなると、従来のランインビットパターンでは、図２４に示すように２Ｔ部分の振幅が得られず、再生する際におけるＰＬＬやＰＲＭＬの制御が不安定になってしまう。よって２Ｔを含むビットパターンは望ましくない。【０１５５】
図１０から図１３にそれぞれ示されるビットパターンは、ＯＴＦカットオフ周波数より高い２Ｔを含まず、ＯＴＦカットオフ周波数より低い３Ｔ以上から８Ｔまでを用いて構成したビットパターンとなっている。これにより、再生時のＰＬＬやＰＲＭＬの制御の安定性を確保することが可能となる。【０１５６】
また、図２３に示すように、再生信号の最大振幅が得られる５Ｔ以上を含むビットパターンを採用すると、再生する際における再生信号振幅制御を適切に行うことが可能となる。【０１５７】
図１１に示すビットパターンは、従来の光ディスクのビットパターンと同じく２２Ｔの長さのビットパターンの組合せを示している。図１０に示すビットパターンはランイン領域の長さ２６４０Ｔの約数となる２０Ｔの長さのビットパターンの組合せであり、図１２および図１３に示すビットパターンは同じく約数となる３０Ｔの長さのビットパターンの組合せを示している。ビットパターンの長さが異なっていても、ランイン領域の長さの約数の長さのビットパターンとすることにより、データ領域を含む１ブロックの長さが変わることなく、従来の光ディスクの記録フォーマットとの互換性の確保が容易となる。【０１５８】
図１０から図１３の各々によって示されるとおり、利用可能なビットパターンは複数挙げられる。記録されたデータを再生する際には、再生信号の振幅制御と、ＰＬＬの引込制御と、適応等化の引込制御がそれぞれ安定に制御できることが必要である。振幅制御には最大振幅が得られる頻度が高い方がよい。ＰＬＬには再生信号の変化点が多くなればゲインをとりやすくなるため短いマーク／スペースの組合せとなるビットパターンの頻度が高い方がよい。適応等化には等化した状態が適切な状態に収束するために図２３に示す各等化レベルが得られる頻度が均等になる方がよい。特に、最短マーク／スペースがＯＴＦカットオフ周波数より高い記録密度の場合には、適応等化技術が必須であり、記録されているデータを安定に再生するために適応等化の引込制御が重要である。以上の条件をバランスよく満たすためには、３Ｔ、４Ｔから５Ｔ、６Ｔから８Ｔの３組の出現頻度がほぼ均等であり、またマーク長とスペース長が等しくＤＣ成分がゼロとなるビットパターンが望ましい。【０１５９】
特に、図１２および図１３に示すＮｏ．３０Ｔ−３０、Ｎｏ．３０Ｔ−３６は、上記条件に対し効果的なビットパターンの組合せとなっている。【０１６０】
すなわち、Ｎｏ．３０Ｔ−３０のビットパターンの場合、長いマーク／スペースとして８Ｔがあるために振幅制御を安定かつ高速に行うことが可能である。さらに、短いマーク／スペースから長いマーク／スペースまでほぼ均等に存在するため、ＰＬＬおよび適応等化の引込制御も安定かつ高速に行うことが可能となる。【０１６１】
また、Ｎｏ．３０Ｔ−３６のビットパターンの場合、最大振幅が得られる５Ｔが含まれているため、Ｎｏ．３０Ｔ−３０のビットパターンよりも高い応答性で振幅制御を行うことが可能となる。【０１６２】
これらのビットパターンによれば、直前が未記録である先頭の記録データを再生する際において、高速かつ安定な振幅制御、ＰＬＬ引込、適応等化引込の実現が容易となる。例えば、記録データの先頭には引込用のダミーデータを記録するという記録容量の損失を防止することが可能となる。【０１６３】
また、Ｎｏ．３０Ｔ−３６のビットパターンによれば、最大振幅が得られる頻度が高いため再生信号のエンベロープの検出が容易となる。当該ブロックに対してデータが記録されているか、あるいは未記録かの判定を誤ることがない。これにより、振幅制御、ＰＬＬ、適応等化の動作を未記録部分ではホールドし、記録されている部分になれば即座に動作を開始することが可能となり、直前が未記録である先頭の記録データを再生する際において、引込制御を行う区間を十分に確保することができる。【０１６４】
なお、上述の実施形態において、図１０から図１３の各々に示されるビットパターンの組合せは、長さの短いマーク／スペースから順に並べた組合せとしているが、順番が限定されるものではなく、並びの順番が変わってもよい。【０１６５】
上述の実施形態において、ビットパターンの長さが２０Ｔ、２２Ｔ、３０Ｔの長さの例を示したが、これに限定されるものではなく、ランイン領域の長さの約数となる長さのビットパターンであれば同様の効果を得ることができる。【０１６６】
（実施形態６）
本実施形態においては、既存のＢＤ、および、そのＢＤよりも高い記録密度の光ディスク（以下「高密度ディスク」と記述する。）を説明する。【０１６７】
図１４（Ａ）は従来の記録密度のＢＤの例を示す。本実施形態において「従来の記録密度」とは、情報記録層１層当たり２５ＧＢを想定している。【０１６８】
ＢＤでは、光ビーム１２３のレーザ波長は４０５ｎｍ、対物レンズ２２０の開口数（Ｎｕｍｅｒｉｃａｌ  Ａｐｅｒｔｕｒｅ；ＮＡ）は０．８５、トラック２上の種々の長さのマーク１２０のうち、最短（２Ｔ）の記録マーク１２１の長さは１４９ｎｍである。【０１６９】
一方、図１４（Ｂ）は、高密度ディスクの例を示す。高密度ディスクでは、情報記録層１層当たり３３．４ＧＢ、すなわち従来の記録密度の１．３３６倍を想定している。【０１７０】
ＢＤと同様、高密度ディスクで用いられる光ビーム１２３のレーザ波長は４０５ｎｍ、対物レンズ２２０のＮＡは０．８５である。ただし、トラック２上の種々の長さのマーク１２４のうち、最短（２Ｔ）の記録マーク１２５の長さは１１１．５ｎｍであり、ＢＤの最短記録マーク１２１よりも短い。これにより、ＢＤより高記録密度を実現している。【０１７１】
ここで、上述したＢＤおよび高密度ディスクのＯＴＦカットオフ周波数を説明する。【０１７２】
レーザ波長λ（４０５ｎｍ±５ｎｍ、すなわち４００〜４１０ｎｍ）、開口数ＮＡ（０．８５±０．０１すなわち０．８４〜０．８６）、最短マーク＋最短スペース長Ｐ（１７変調の場合、Ｐ＝２Ｔ＋２Ｔ＝４Ｔ）の３つのパラメータを用いると、
Ｐ  ＜  λ／２ＮＡ
となるまで基準Ｔが小さくなるとＯＴＦカットオフ周波数を超えることになる。【０１７３】
ＮＡ＝０．８５，λ＝４０５としたときの、ＯＴＦカットオフ周波数に相当する基準Ｔは、
Ｔ  ＝  ４０５／（２ｘ０．８５）／４  ＝  ５９．５５８ｎｍ
となる。最短記録マークの空間周波数がＯＴＦカットオフ周波数を超える記録容量は、ＢＤと同じレーザ波長および開口数の下では約３１ＧＢ相当になる。ＢＤはこの値を下回るためＯＴＦカットオフ周波数を超えないことになるが、図１４（Ｂ）で想定した高密度ディスクの記録容量はこれを超えるものであるため、ＯＴＦカットオフ周波数を超えることになる。よって、高密度ディスクに対しては、これまで説明した本発明によるランイン領域のデータ構造は非常に有用であることが理解される。【０１７４】
図１５は、ＢＤのブロック１５３のフォーマットを示す。【０１７５】
ＢＤのブロックには、順にランイン領域、データ領域、ランアウト領域およびガード領域が設けられている。【０１７６】
ランイン領域は、データ領域の直前に配置されて所定のビットパターンで記録される。ランイン領域長さは２７６０Ｔである。【０１７７】
ＢＤでは、記録対象となるユーザデータは６４ｋＢ毎に分割され、分割単位ごとに所定のエラー訂正符号化と変調処理（１−７変調）を施した変調信号が生成される。データ領域には、この変調信号に対応するマークが記録される。データ領域の長さは９５８２７２Ｔである。【０１７８】
ランアウト領域は、データ領域の直後に配置されて所定のビットパターンで記録される。ランアウト領域の長さは１１０４Ｔある。【０１７９】
ガード領域は、連続記録中の途中のブロックには付加されず、記録終端に位置するブロックのランアウト領域の直後に所定のビットパターンで記録される。ガード領域の長さは５４０Ｔである。【０１８０】
図１６は、ブロック１５３のうちの、ランアウト領域およびガード領域のパターンの詳細を示す。【０１８１】
ランアウト領域は、終端ＳＹＮＣ領域、終端インジケータ領域および繰り返しパターン領域から構成される。【０１８２】
終端ＳＹＮＣ領域には、データ領域と同様に３０Ｔ長さのＳＹＮＣパターンが記録される。その長さは３０Ｔである。【０１８３】
終端インジケータ領域は、データ領域が終了したことを示す領域である。終端インジケータ領域には、９Ｔが連続６回記録され、長さは５４Ｔになる。【０１８４】
繰り返しパターン領域は、ランイン領域と同様の繰り返しパターンが記録される。その長さは１０２０Ｔである。【０１８５】
ガード領域は、繰り返しパターン領域およびパワー制御領域から構成される。【０１８６】
繰り返しパターン領域には、ランイン領域と同様の繰り返しパターンが、直前のランアウト領域の繰り返しパターン領域の終端に連続するように記録される。その長さは約２２０Ｔである。【０１８７】
パワー制御領域は、記録終了時のパワー制御に用いることが可能な領域である。パワー制御領域に記録されるパターンは特に決められていない。区間の長さは約３２０Ｔである。【０１８８】
上述のように、ランアウト領域およびガード領域のいずれにも、ランイン領域と同じ繰り返しパターンが記録される。よって、たとえば上述した図６に記載のランイン領域の繰り返しパターンを採用すると、ランイン領域、ランアウト領域、ガード領域を確実に識別することができるようになる。【０１８９】
なお、上述の実施形態において、最短ビット長が２Ｔであり、高密度化により２Ｔの空間周波数がＯＴＦカットオフ周波数を超えるとし、再生した信号波形などを示したが、これに限定されるものではない。【０１９０】
また、実施形態では、最短ビット長２ＴのみがＯＴＦカットオフ周波数を超える例を挙げた。しかし本願発明は、最短ビット長を含む複数のビット長がＯＴＦカットオフ周波数を超える光ディスクに対しても有効である。このときは、ランイン領域に利用されるランインビットパターンには、ＯＴＦカットオフ周波数を超えないビット長のパターンを利用すればよい。【０１９１】
なお、上述の実施形態において、記録可能な光ディスクおよび光ディスク装置の例を示したが、再生のみ可能な光ディスク、光ディスク装置であっても同様の効果を得ることができる。【０１９２】
なお、本発明の光ディスク装置の構成要素は集積回路であるＬＳＩとして実現され得る。光ディスク装置が備える構成要素は個別に１チップ化されてもよいし、一部または全てを含むように１チップ化されてもよい。【０１９３】
ここでは、集積回路をＬＳＩと呼んだが、集積度の違いにより、ＩＣ、ＬＳＩ、スーパーＬＳＩ、ウルトラＬＳＩと呼称されることもある。【０１９４】
また、本発明の集積回路はＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。【０１９５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてあり得る。【０１９６】
なお最後に、本発明の光ディスクの一例として、ＢＤ（ブルーレイディスク）について、簡単に補足説明をする。ブルーレイディスクの主な光学定数と物理フォーマットについては、「ブルーレイディスク読本」（オーム社出版）やブルーレイアソシエーションのホームページ（http://www.blu-raydisc.com/）に掲載されているホワイトペーパに開示されている。【０１９７】
ＢＤでは、波長４０５ｎｍ（誤差範囲の許容値を±５ｎｍとすれば、４００〜４１０ｎｍ）のレーザ光およびＮＡ＝０．８５（誤差範囲の許容値を±０．０１とすれば、０．８４〜０．８６）の対物レンズを用いる。トラックピッチは０．３２μｍであり、チャネルクロック周波数はＢＤ標準転送レート（１Ｘ）において６６ＭＨｚ（６６．０００Ｍｂｉｔ／ｓ）であり、ＢＤ４ｘの転送レートでは２６４ＭＨｚ（２６４．０００Ｍｂｉｔ／ｓ）、ＢＤ６ｘの転送レートでは３９６ＭＨｚ（３９６．０００Ｍｂｉｔ／ｓ）、ＢＤ８Ｘの転送レートでは５２８ＭＨｚ（５２８．０００Ｍｂｉｔ／ｓ）である。標準線速度（基準線速度、１Ｘ）は４．９１７ｍ／ｓｅｃである。【０１９８】
保護層（カバー層）の厚みに関しては、開口数を上げ焦点距離が短くなるのに伴い、またチルトによるスポット歪みの影響を抑えられるよう、ＤＶＤの０．６ｍｍに対して、より薄い保護層、例えば媒体の総厚み１．２ｍｍ程度のうち、保護層の厚みを１０〜２００μｍ（より具体的には、１．１ｍｍ程度の基板に、単層ディスクならば０．１ｍｍ程度の透明保護層、二層ディスクならば０．０７５ｍｍ程度の保護層に０．０２５ｍｍ程度の中間層（ＳｐａｃｅｒＬａｙｅｒ）としてもよい。三層以上のディスクならば保護層及び／又は中間層の厚みはさらに薄くなる。【０１９９】
また、このように薄い保護層への傷つき防止のため、保持領域（Ｃｌａｍｐ  Ａｒｅａ）の外側または内側に突起部を設けてもよい。特に保持領域の内側に設けた場合、保護層の傷つき防止に加え、ディスクの中心穴に近い部分に突起部があるため、突起部の重量バランスによる回転スピンドル（モータ）への負荷を軽減することや、光ヘッドは保持領域の外側にある情報記録領域にアクセスするため保持領域の内側に突起部を設けることで突起部と光ヘッドとの衝突を回避することができる。【０２００】
そして、保持領域の内側に設けた場合、例えば外径１２０ｍｍのディスクにおける具体的な位置は次のようにしてもよい。仮に中心穴の直径が１５ｍｍ、保持領域が直径２３ｍｍから３３ｍｍの範囲内とした時、中心穴と保持領域の間、つまり直径１５ｍｍから２３ｍｍの範囲内に突起部を設けることになる。その際、中心穴からある程度の距離を設けてもよく（例えば中心穴の縁端から０．１ｍｍ以上（又は／及び０．１２５ｍｍ以下）離してもよい）、また、保持領域からある程度の距離を設けてもよい（例えば保持領域の内端から０．１ｍｍ以上（又は／及び０．２ｍｍ以下）離してもよい）。また、中心穴の縁端と保持領域の内端の両方からある程度の距離を隔てて設けてもよい（具体的な位置として、例えば、直径１７．５ｍｍから２１．０ｍｍの範囲内に突起部を設けてもよい）。なお、突起部の高さとしては、保護層の傷つきにくさや持ち上げ易さのバランスを考慮して決めればよいが、高くすぎても別の問題が発生するかも知れないので、例えば、保持領域から０．１２ｍｍ以下の高さとしてもよい。【０２０１】
また、多層の積層の構成に関しては、例えば、レーザ光を保護層の側から入射して情報が再生及び／又は記録される片面ディスクとすると、記録層を二層以上にする場合、基板と保護層の間には複数の記録層が設けられることになるが、その場合における多層構造を次のようにしてもよい。つまり、光入射面から所定の距離を隔てた最も奥側の位置に基準層（Ｌ０）を設け、基準層から光入射面側に層を増やすように積層（Ｌ１，Ｌ２，・・・，Ｌｎ）し、また光入射面から基準層までの距離を単層ディスクにおける光入射面から記録層までの距離と同じ（例えば０．１ｍｍ程度）にする等である。このように層の数に関わらず最奥層までの距離を一定にすることで、基準層へのアクセスに関する互換性を保つことができ、また最奥層が最もチルトの影響を受けるが層数の増加に伴い最奥層までの距離が増加することがなくなるため、層数の増加に伴うチルト影響の増加を抑えることが可能となる。【０２０２】
また、スポットの進行方向／再生方向に関しては、例えば、全ての層において同じ、つまり全層にて内周方向から外周方向、又は全層にて外周方向から内周方向、というパラレル・パスであっても、オポジット・パス（基準層（Ｌ０）を内周側から外周側の方向とした場合、Ｌ１では外周側から内周側の方向、Ｌ２では内周側から外周側の方向、つまり、Ｌｍ（ｍは０及び偶数）では内周側から外周側の方向、Ｌｍ＋１では外周側から内周側の方向（又は、Ｌｍ（ｍは０及び偶数）では外周側から内周側の方向、Ｌｍ＋１では内周側から外周側の方向）というように層が切り替わる毎に再生方向が逆になる）であってもよい。【０２０３】
次に、記録信号の変調方式について簡単に述べる。データ（オリジナルのソースデータ／変調前のバイナリデータ）を記録媒体に記録する場合、所定のサイズに分割され、さらに所定のサイズに分割されたデータは所定の長さのフレームに分割され、フレーム毎に所定のシンクコード／同期符号系列が挿入される（フレームシンク領域）。フレームに分割されたデータは、記録媒体の記録再生信号特性に合致した所定の変調則に従って変調されたデータ符号系列として記録される（フレームデータ領域）。【０２０４】
ここで変調則としては、マーク長が制限されるＲＬＬ（ＲｕｎＬｅｎｇｔｈＬｉｍｉｔｅｄ）符号化方式などでもよく、ＲＬＬ（ｄ，ｋ）と表記した場合、１と１の間に出現する０が最小ｄ個，最大ｋ個であることを意味する（ｄおよびｋは、ｄ＜ｋを満たす自然数である）。例えばｄ＝１，ｋ＝７の場合、Ｔを変調の基準周期とすると、最短が２Ｔ、最長が８Ｔの記録マーク及びスペースとなる。またＲＬＬ（１，７）変調に更に次の［１］［２］の特徴を加味した１−７ＰＰ変調としてもよい。１−７ＰＰの“ＰＰ”とは、Ｐａｒｉｔｙ  ｐｒｅｓｅｒｖｅ／Ｐｒｏｈｉｂｉｔ Ｒｅｐｅａｔｅｄ Ｍｉｎｉｍｕｍ Ｔｒａｎｓｉｔｉｏｎ Ｌｅｎｇｔｈの略で、［１］最初のＰであるＰａｒｉｔｙ  ｐｒｅｓｅｒｖｅは、変調前のソースデータビットの“１”の個数の奇偶（すなわちParity）と、それに対応する変調後ビットパターンの“１”の個数の奇偶が一致していることを意味し、［２］後ろの方のＰであるＰｒｏｈｉｂｉｔ  Ｒｅｐｅａｔｅｄ  Ｍｉｎｉｍｕｍ  Ｔｒａｎｓｉｔｉｏｎ  Ｌｅｎｇｔｈは、変調後の記録波形の上での最短マーク及びスペースの繰り返し回数を制限（具体的には、２Ｔの繰り返し回数を最大６回までに制限）する仕組みを意味する。【０２０５】
前述の同期符号系列とデータ符号系列を含む領域を仮にフレーム領域と呼び、そのフレーム領域を複数（例えば３１個）含む単位を仮にアドレスユニット（Ａｄｄｒｅｓｓ  Ｕｎｉｔ）と呼ぶことにすると、あるアドレスユニットにおいて、そのアドレスユニットの任意のフレーム領域に含まれる同期符号系列と、その任意のフレーム領域以外のフレーム領域に含まれる同期符号系列との符号間距離を２以上にしてもよい。ここで符号間距離とは、２つの符号系列を比較した場合、符号系列中の異なるビットの個数を意味する。この様に符号間距離を２以上にすることで、再生時のノイズの影響などにより一方の読み出し系列が１ビットシフト誤りを起こしても、もう一方と誤識別することがない。また、そのアドレスユニットの先頭に位置するフレーム領域に含まれる同期符号系列と、先頭以外に位置するフレーム領域に含まれる同期符号系列との符号間距離を２以上にしてもよく、この様にすることで、先頭箇所か否か、アドレスユニットの区切り箇所か否かの識別を容易にすることができる。【０２０６】
なお符号間距離は、ＮＲＺ記録のときは符号系列をＮＲＺ表記した場合、ＮＲＺＩ記録の時は符号系列をＮＲＺＩ表記した場合における符号間距離の意味を含んでいる。そのため、もしＲＬＬ変調を採用した記録の場合、このＲＬＬとはＮＲＺＩの記録波形の上で高レベル又は低レベルの信号が続く個数を制限することを意味するものであるため、ＮＲＺＩ表記における符号間距離が２以上ということを意味する。【０２０７】
また記録方式に関してであるが、媒体に溝を形成することによって、溝部と、溝と溝との間の溝間部と、が形成されることになるが、溝部に記録するか、溝間部に記録するか、溝部と溝間部の両方に記録するか、様々な方式がある。ここで、溝部と溝間部のうち、光入射面から見て凸部となる側に記録する方式をＯｎ−Ｇｒｏｏｖｅ方式といい、光入射面から凹部となる側に記録する方式をＩｎ−Ｇｒｏｏｖｅ方式という。本発明において、記録方式として、Ｏｎ−Ｇｒｏｏｖｅ方式とするか、Ｉｎ−Ｇｒｏｏｖｅ方式とするか、両方式のどちらか一方を許可する方式とするかは特に問わない。【０２０８】
なお、両方式のどちらか一方を許可する方式の場合、その媒体が、どちらの記録方式であるかを容易に識別できるように、Ｏｎ−Ｇｒｏｏｖｅ方式であるかＩｎ−Ｇｒｏｏｖｅ方式であるかを示した記録方式識別情報を媒体に記録してもよい。多層媒体については、各層についての記録方式識別情報を記録してもよい。その場合、各層についての記録方式識別情報を基準層（光入射面から見てもっとも遠い側の層（Ｌ０）又は最も近い層や、起動時に最も最初にアクセスされるように決められている層など）にまとめて記録してもよいし、各層にその層のみに関する記録方式識別情報を記録してもよいし、各層に全ての層に関する記録方式識別情報を記録してもよい。【０２０９】
また記録方式識別情報を記録する領域としては、ＢＣＡ（ＢｕｒｓｔＣｕｔｔｉｎｇＡｒｅａ）やディスク情報領域（データ記録領域よりも内周側又は／及び外周側にあり、主に制御情報を格納する領域、なお再生専用領域でデータ記録領域よりもトラックピッチが広くなっていることがある）やウォブル（ウォブルに重畳して記録）等があり、いずれかの領域又はいずれか複数の領域又は全ての領域に記録してもよい。【０２１０】
またウォブルの開始方向に関してであるが、Ｏｎ−Ｇｒｏｏｖｅ方式とＩｎ−Ｇｒｏｏｖｅ方式とで互いに逆となるようにしてもよい。つまり、もしＯｎ−Ｇｒｏｏｖｅ方式にてウォブルの開始方向がディスクの内周側から開始する場合には、Ｉｎ−Ｇｒｏｏｖｅ方式ではウォブルの開始方向をディスクの外周側から開始するようにし（、又は、もしＯｎ−Ｇｒｏｏｖｅ方式にてウォブルの開始方向がディスクの外周側から開始する場合には、Ｉｎ−Ｇｒｏｏｖｅ方式ではウォブルの開始方向をディスクの内周側から開始するようにし）てもよい。このように、Ｏｎ−Ｇｒｏｏｖｅ方式とＩｎ−Ｇｒｏｏｖｅ方式とでウォブルの開始方向互いに逆となるようにすることで、どちらの方式にしてもトラッキングの極性を同一にすることができる。なぜなら、Ｏｎ−Ｇｒｏｏｖｅ方式では、光入射面から凸部となる側に記録を行うのに対して、Ｉｎ−Ｇｒｏｏｖｅ方式では、光入射面から凹部となる側に記録を行うため、仮に両者で溝の深さが同じである場合、トラッキング極性は逆の関係となる。そこで、両者でウォブルの開始方向も互いに逆とすることにより、トラッキング極性を同じにすることができる。【０２１１】
また、記録膜の特性に関してであるが、記録部分と未記録部分との反射率の関係により、以下の２つの特性のものがある。つまり、未記録部分が記録済部分よりも高反射率（Ｈｉｇｈ−ｔｏ−Ｌｏｗ）であるＨｔｏＬ特性と、未記録部分が記録済部分よりも低反射率（Ｌｏｗ−ｔｏ−Ｈｉｇｈ）であるＬｔｏＨ特性である。本発明において、媒体の記録膜特性として、ＨｔｏＬであるか、ＬｔｏＨであるか、どちらか一方を許可するものであるかは特に問わない。【０２１２】
また、どちらか一方を許可するものの場合、どちらの記録膜特性であるかを容易に識別できるように、ＨｔｏＬであるかＬｔｏＨであるかを示した記録膜特性識別情報を媒体に記録してもよい。多層媒体については、各層についての記録膜特性識別情報を記録してもよい。その場合、各層についての記録膜特性識別情報を基準層（光入射面から見てもっとも遠い側の層（Ｌ０）又は最も近い層や、起動時に最も最初にアクセスされるように決められている層など）にまとめて記録してもよいし、各層にその層のみに関する記録膜特性識別情報を記録してもよいし、各層に全ての層に関する記録膜特性識別情報を記録してもよい。【０２１３】
また、記録膜特性識別情報を記録する領域としては、ＢＣＡ（ＢｕｒｓｔＣｕｔｔｉｎｇＡｒｅａ）やディスク情報領域（データ記録領域よりも内周側又は／及び外周側にあり、主に制御情報を格納する領域、なお再生専用領域でデータ記録領域よりもトラックピッチが広くなっていることがある）やウォブル（ウォブルに重畳して記録）等があり、いずれかの領域又はいずれか複数の領域又は全ての領域に記録してもよい。
【産業上の利用可能性】
【０２１４】
本発明は、光ディスクの記録密度の高密度化に対応可能であるため有用であり、大容量な光ディスク、光ディスク再生装置、光ディスク記録装置、光ディスク再生方法、光ディスク記録方法、集積回路に利用できる。
【図１】
2009066460.tif 000003
【図２】
2009066460.tif 000004
【図３】
2009066460.tif 000005
【図４】
2009066460.tif 000006
【図５】
2009066460.tif 000007
【図６】
2009066460.tif 000008
【図７】
2009066460.tif 000009
【図８】
2009066460.tif 000010
【図９】
2009066460.tif 000011
【図１０】
2009066460.tif 000012
【図１１】
2009066460.tif 000013
【図１２】
2009066460.tif 000014
【図１３】
2009066460.tif 000015
【図１４】
2009066460.tif 000016
【図１５】
2009066460.tif 000017
【図１６】
2009066460.tif 000018
【図１７】
2009066460.tif 000019
【図１８】
2009066460.tif 000020
【図１９】
2009066460.tif 000021
【図２０】
2009066460.tif 000022
【図２１】
2009066460.tif 000023
【図２２】
2009066460.tif 000024
【図２３】
2009066460.tif 000025
【図２４】
2009066460.tif 000026
【手続補正書】
【提出日】平成21年5月27日(2009.5.27)
【手続補正１】
【補正対象書類名】明細書
【補正対象項目名】全文
【補正方法】変更
【補正の内容】
【発明の詳細な説明】
【技術分野】
【０００１】
本発明は、情報記録媒体に情報を記録する際の記録フォーマット、および該記録フォーマットに従った情報の記録再生の技術に関する。
【背景技術】
【０００２】
近年、高密度の光ディスクの研究開発が盛んに行われている。現在、たとえば、Ｂｌｕ−ｒａｙ  Ｄｉｓｃ（ＢＤ）が提案、実用化され、デジタル放送の録画等に使用されるようになり、光ディスクは重要な情報媒体としての地位を築きつつある（たとえば非特許文献１参照）。また更なる高密度化の流れとして、ＢＤよりも記録密度を高めて記録容量を拡大する研究開発も行われている。
【０００３】
図１７は、従来の記録フォーマットの一例を示している。記録データは、所定のデータ量毎にエラー訂正符号化処理が行われたブロック単位で記録される。ブロックは、先頭には再生時の同期検出に用いるためのランイン領域と、記録データを含むデータ領域から構成される。データ領域は、複数のセクタに分割され、セクタはさらに複数のフレームに分割される。各フレームは、先頭に所定のビットパターンと各フレームに固有の同期ＩＤパターンから構成されるフレーム同期パターンが配置されている。フレーム同期パターン後には、所定の変調符号に従って記録データを変調したビットパターンが記録される。
【０００４】
現在実用化されているＢＤでは、１−７ＰＰ変調符号が採用されており、最短ビット長は２Ｔとなる。２Ｔの空間周波数は光学的な分解能の限界に近く、ＢＤの光学的伝達関数（Ｏｐｔｉｃａｌ  Ｔｒａｎｓｆｅｒ  Ｆｕｎｃｔｉｏｎ：ＯＴＦ）のカットオフ周波数の８０％相当である。種々のビット長に関連して検出可能な最大振幅を１００％とすると、２Ｔの再生信号の振幅はその１０％にまで大きく低下してしまう。
【０００５】
図１８は、ＢＤの光学分解能と最短ビット長２Ｔとの関係を示している。最短ビット長がＯＴＦカットオフ周波数に近くなると、近接する記録マークあるいはスペースも光スポット内に入ってくるために、再生信号の振幅が小さくなるだけでなく、符号間干渉による波形歪みも発生する。このような振幅低下や波形歪みに対して、従来の技術では、適応等化技術、ビタビ復号などの最尤復号技術を用いたＰＲＭＬ（Ｐａｒｔｉａｌ  Ｒｅｓｐｏｎｓｅ  Ｍａｘｉｍｕｍ  Ｌｉｋｅｌｉｈｏｏｄ）技術を用いて、データの検出精度を向上させている。
【０００６】
図１９は、従来の光ディスク装置１１００の構成を示している。光ディスク装置１１００は、光ヘッド１００１と、モータ１００２と、サーボ１００３と、アドレス再生回路１００４と、ＣＰＵ１００５と、ランイン生成回路１００６と、データ変調回路１００７と、記録制御回路１００８と、データ信号抽出回路１００９と、再生クロック生成ＰＬＬ回路１０１０と、適応等化回路１０１１と、データ復調回路１０１２とを有している。また図には、再生可能な形式でデータが記録される光ディスク１０００が記載されている。
【０００７】
光ヘッド１００１は、光ディスク１０００にデータの記録再生を行うために光ビームを照射する。モータ１００２は、光ディスク１０００を所定の回転数で回転させる。
【０００８】
サーボ１００３は、光ヘッド１００１から得られた再生信号に基づいて光ヘッド１００１の光ビームを照射する位置およびモータ１００２の回転数を適切に制御する。
【０００９】
アドレス再生回路１００４は、検出された再生信号に含まれる光ディスク１０００のトラックに予め記録されたアドレス情報を再生する。
【００１０】
ＣＰＵ１００５は、全体を制御する。
【００１１】
ランイン生成回路１００６は、ランイン領域のビットパターンを生成する。
【００１２】
データ変調回路１００７は、記録データにエラー訂正符号化処理と変調を施したビットパターンを生成する。
【００１３】
記録制御回路１００８は、指定されたアドレスのブロックにランインビットパターンと記録データのビットパターンを記録するように光ヘッド１００１の光ビームの強度を制御する。
【００１４】
データ信号抽出回路１００９は、再生信号から記録データに基づいたデータ信号を抽出する。
【００１５】
再生クロック生成ＰＬＬ回路１０１０は、抽出したデータ信号にビット同期した再生クロック信号を生成する。
【００１６】
適応等化回路１０１１は、振幅低下や波形歪みを含むデータ信号をＰＲＭＬ技術により適切に２値化する。
【００１７】
データ復調回路１０１２は、２値化されたデータ信号を所定の変調則に従った復調とエラー訂正処理を行って再生データを得る。
【００１８】
適応等化回路１０１１においてＰＲＭＬ技術を効果的に用いるためには、適応等化回路１０１１の動作タイミングの基準となる再生クロック信号が必要であり、さらに、適応等化回路１０１１が適応引き込み制御を行うことも必要である。
【００１９】
再生クロック信号は、データ信号のビット長に同期したクロック信号であり、データ信号を入力信号とした再生クロック生成ＰＬＬ回路１０１０で生成される。通常、再生クロック生成ＰＬＬ回路１０１０の応答特性は、安定した再生クロック信号を生成するために、データ信号の平均的な空間周波数の数百分の一から数十分の一程度の周波数にするのが適切である。
【００２０】
一方、光ディスク１０００の内周付近のデータを再生している状態から光ビームの照射位置の移動を行うことによって外周付近のデータを再生する際には、光ディスク１０００を回転させているモータ１００２の回転数や再生する半径位置によってビット長の周波数が大きく変動する状況下において、光ディスク１０００上のデータへのアクセス性を損なわないためにデータ信号に対する同期位置を短時間で検出することが求められる。このとき、再生クロック生成ＰＬＬ回路１０１０の短時間での周波数および位相の引き込み性能が必要となる。
【００２１】
これに対し、従来の技術では、データ再生中の再生クロック生成ＰＬＬ回路１０１０の安定性および引き込み性能を両立するため、所定のブロック毎に再生クロック生成ＰＬＬ回路１０１０の引き込みを効率的に行うためのランイン領域が設けられている。ランイン領域のビットパターンとして、例えば図１７（Ａ）のように、４Ｔマーク、４Ｔスペースの同一長ビットが連続する単一ビットパターンが採用されている。簡易なビットパターンが予め分かっていることにより、周波数誤差や位相誤差の検出が容易であり、短時間で安定した再生クロック生成ＰＬＬ回路１０１０の引き込みを行うことが可能となっている。
【００２２】
適応等化回路１０１１（図１９）は、等化フィルタ回路と、等化フィルタ回路のフィルタ係数の適応制御回路と、等化フィルタ回路の出力を２値化するビタビ復号回路とからなる（いずれも図示せず）。
【００２３】
適応制御回路は、等化フィルタ回路を通した後のデータ信号の信号振幅や波形歪みの状態が、各ビット長に対して予め指定した目標振幅になるように、すなわちデータ信号の周波数特性が予め指定した周波数特性に近づくように、等化フィルタ回路のフィルタ係数を適応的に制御する。データ信号の信号振幅や波形歪みの状態は、主に記録を行ったときの条件により変化するものであるため、適応制御回路のフィルタ係数の制御の応答特性は十分に低くするのが適切である。しかし、適応制御回路は十分に引き込み制御が完了していれば効力があるが、完了していない区間は効力がなく、ビタビ復号回路によるデータの復号時にビットエラーを発生しやすくなる。このため、前述の再生クロック生成ＰＬＬ回路１０１０と同様に、光ディスク１０００上の再生トラック位置が変更されたときに、短時間で安定にデータを再生できる状態となるように、短時間での引き込み制御が必要となる。
【００２４】
これに対し、従来、前述のランイン領域のビットパターンを、適応等化回路１０１１の適応引き込み制御を行うことが可能となるように、前記予め指定した全ての目標振幅が存在するビットパターンであり、かつ前述の再生クロック生成ＰＬＬ回路１０１０の引き込みも確保するために簡易な固定ビットパターンとしている。
【００２５】
図２０は、図１８に示す光学的伝達関数ＯＴＦで、かつ、適切な等化処理を施した場合における２Ｔから９Ｔまでの各信号波形の理想的な信号振幅と、理想的な再生クロック信号での同期サンプリング点を示す。この図示された例では図１７（Ｂ）のように、全ての目標振幅が存在するように、最短ビット長で再生信号振幅が最小となる２Ｔ、再生信号振幅が中間レベルとなる３Ｔ、再生信号振幅が最大レベルとなる６Ｔの３種類を用い、かつ簡易な固定ビットパターンとして、２Ｔマーク／２Ｔスペース／３Ｔマーク／３Ｔスペース／６Ｔマーク／６Ｔスペースの計２２Ｔの長さのビットパターンなどが利用されている。
【００２６】
図２１は、２Ｔマーク／２Ｔスペース／３Ｔマーク／３Ｔスペース／６Ｔマーク／６Ｔスペースの繰返し単位のデータ信号の理想的な信号波形と、理想的な再生クロック信号での同期サンプリング点を示している。これにより再生クロック生成ＰＬＬ回路１０１０の引き込みと適応等化回路１０１１の適応引き込み制御をランイン領域内で行うことができ、ランイン領域につづいて記録されているデータを安定に再生することが可能となっている。
【先行技術文献】
【非特許文献】
【００２７】
【非特許文献１】図解ブルーレイディスク読本  オーム社
【発明の概要】
【発明が解決しようとする課題】
【００２８】
近年、記録容量を大幅に拡大してほしいという要望を受けて、従来のＢＤの記録密度よりも高い記録密度を有する光ディスクの検討が進められている。記録マークのマーク長およびマーク間の間隔を狭くすることによって、これまで以上の記録容量を確保しようとすると、最短ビット長である２Ｔの空間周波数がＯＴＦカットオフ周波数よりも高くなり、２Ｔの再生信号の振幅が０％となってしまうことがわかった。例えば図２２は、２Ｔの空間周波数がＯＴＦカットオフ周波数よりも高く、かつ、２Ｔの再生信号の振幅が０になっている例を示す。
【００２９】
この例に示されるように、従来よりも高密度の光ディスクに対して従来のランイン領域のビットパターンをそのまま用いると、２Ｔおよび２Ｔに近接するマーク／スペースに相当するデータ信号の波形が大きく歪んで正確なビット境界位置が得られず、再生クロック生成ＰＬＬ回路１０１０の引き込みおよび適応等化回路１０１１の引き込みを安定に行うことができなくなってしまうという課題があった。
【００３０】
図２３は、図２２に示す光学的伝達関数ＯＴＦで、かつ、適切な等化処理を施した場合における２Ｔから９Ｔまでの各信号波形の理想的な信号振幅と、理想的な再生クロック信号での同期サンプリング点とを示している。３Ｔ以上の各信号の振幅は識別可能に得られるが、２Ｔの信号振幅はゼロとなってしまい、識別ができない。図２４は、この場合の２Ｔマーク／２Ｔスペース／３Ｔマーク／３Ｔスペース／６Ｔマーク／６Ｔスペースの繰返し単位のデータ信号の理想的な信号波形と、理想的な再生クロック信号での同期サンプリング点とを示している。２Ｔの信号振幅はゼロとなってしまうため、マークとスペースのビット境界が正確に得られるのは３Ｔマークと３Ｔスペースの境界、３Ｔスペースと６Ｔマークの境界、６Ｔマークと６Ｔスペースの境界だけであることが分かる。また、２Ｔマークと２Ｔスペースが理想的に記録できていない場合には、２Ｔに隣接する３Ｔや６Ｔの波形が大きく歪み、この影響により３Ｔマークと３Ｔスペースの境界と６Ｔマークと６Ｔスペースの境界がずれてしまい、正確に得られなくなってしまう。そして最悪の場合、再生クロック生成ＰＬＬ回路１０１０の引き込みおよび適応等化回路１０１１の引き込みができずに再生不能となってしまう。
【００３１】
また、従来のランイン領域のビットパターンは簡易な固定パターンの繰り返しであるため、データ復調回路１０１２においてデータを復調する同期がとれず、長区間連続してデータがエラーになってしまうという課題もあった。これは、ランイン領域中における正確な位置を特定することができず、再生クロック生成ＰＬＬ回路１０１０の引き込みや適応等化回路１０１１の引き込みが不十分なためにランイン領域につづいて記録されたデータの先頭を示すフレーム０のフレーム同期パターンを検出できなかった場合に生じえる。
【００３２】
本発明は上記課題に鑑みてなされたものであり、その目的は、最短ビット長がＯＴＦカットオフ周波数より高い場合でも再生クロック生成ＰＬＬ回路と適応等化回路の安定な引き込みを実現でき、また再生クロック生成ＰＬＬ回路と適応等化回路の引き込みが不十分な場合でもデータの連続エラーを発生させないようにする、ランイン領域のビットパターンを有した光ディスクを提供することである。また、本発明の他の目的は、前記ランイン領域のビットパターンを利用した光ディスク再生装置、光ディスク記録装置を提供することである。
【課題を解決するための手段】
【００３３】
本発明による光ディスクは、複数の記録ブロックに分割されたトラックを複数備え、前記複数の記録ブロックのそれぞれはランイン領域とデータ領域とを含み、前記ランイン領域には所定のランインビットパターンを記録することが可能であり、前記データ領域には記録対象のデータを所定の変調則に従って変調した複数種類のビット長のビットパターンを記録することが可能であり、前記所定の変調則に従った複数種類のビット長のビットパターンのうち、各ビットパターンに対応する空間周波数の少なくとも１つがカットオフ周波数より高い光ディスクであって、前記カットオフ周波数は、光学的伝達関数（Ｏｐｔｉｃａｌ  Ｔｒａｎｓｆｅｒ  Ｆｕｎｃｔｉｏｎ：ＯＴＦ）のゲインが０倍となる周波数として定められ、前記ランイン領域に記録されるランインビットパターンは、前記複数種類のビット長のビットパターンのうち、空間周波数が前記ＯＴＦカットオフ周波数よりも高いビットパターンを除いたビットパターンで構成される。
【００３４】
前記ランインビットパターンは、前記複数種類のビット長のビットパターンのうち、前記ＯＴＦカットオフ周波数より空間周波数が高いビット長のビットパターンを除き、かつ、所定の光ビームを照射したときの反射光から得られる前記ランインビットパターンの再生信号の信号振幅が最大となるビット長以下のビットパターンで構成されてもよい。
【００３５】
前記ランインビットパターンは、ｎを自然数とするとき、差がｎＴ以下のビット長のビットパターンの組み合わせ、および、差が（ｎ＋１）以上のビット長のビットパターンの組み合わせの両方を含むビットパターンで構成されてもよい。
【００３６】
前記ランインビットパターンのうち、前記ランイン領域の始端から所定長までの部分は、前記ランイン領域の始端から所定長以降の部分よりも短いビット長の頻度が高いパターンで構成されてもよい。
【００３７】
本発明による光ディスクは、複数の記録ブロックに分割されたトラックを複数備え、前記複数の記録ブロックのそれぞれはランイン領域とデータ領域とを含み、前記ランイン領域には所定のランインビットパターンを記録することが可能であり、前記データ領域には記録対象のデータを所定の変調則に従って変調した複数種類のビット長のビットパターンを記録することが可能であり、複数種類のビット長のビットパターンの最短マーク長をＴＭｎｍ、最短スペース長をＴＳｎｍ、前記トラックに照射されるレーザの波長をλｎｍ、前記レーザを集光する対物レンズの開口数をＮＡとしたとき、ＴＭ＋ＴＳ  ＜  λ÷（２ｘＮＡ）  となる光ディスクであって、前記ランイン領域に記録されるランインビットパターンは、前記複数種類のビット長のビットパターンのうち、λ÷（２ｘＮＡ）÷２以下の長さとなるビット長のビットパターンを除いたビットパターンで構成される。
【００３８】
前記トラックに照射されるレーザの波長λは４００〜４１０ｎｍであってもよい。
【００３９】
前記対物レンズの開口数（ＮＡ，Ｎｕｍｅｒｉｃａｌ  Ａｐｅｒｔｕｒｅ）は０．８４〜０．８６であってもよい。
【００４０】
前記最短マーク長と前記最短スペース長との合計長（ＴＭ＋ＴＳ）は２３８．２ｎｍ未満（４０５／（２ｘ０．８５））であってもよい。
【００４１】
前記記録対象のデータは、１−７変調則を用いて変調され、前記最短マーク長は２Ｔ、かつ、最短スペース長は２Ｔであってもよい。
【００４２】
本発明による再生方法は、上述の光ディスクに記録されたデータを再生する再生方法であって、前記光ディスクの前記トラックに記録されたビットパターンを再生した再生信号を検出するステップと、前記再生信号のビットに位相同期したクロック信号を生成するステップと、前記再生信号を適応等化したのちに２値化した２値化信号を出力するステップと、前記データ領域において前記２値化信号を前記所定の変調則に従って復調することにより前記記録データを抽出するステップとを包含し、前記クロック信号を生成するステップは、前記ランイン領域では前記データ領域よりも高いゲインで前記再生信号と前記クロック信号の位相同期の引き込み制御を行い、前記２値化信号を出力するステップは、前記ランイン領域では前記データ領域よりも高いゲインで適応等化の引き込み制御を行う。
【００４３】
本発明による再生方法は、上述の光ディスクに記録されたデータを再生する再生方法であって、前記光ディスクの前記トラックに記録されたビットパターンを再生した再生信号を検出するステップと、前記再生信号のビットに位相同期したクロック信号を生成するステップと、前記再生信号を適応等化したのちに２値化した２値化信号を出力するステップと、前記データ領域において前記２値化信号を前記所定の変調則に従って復調することにより前記記録データを抽出するステップとを包含し、前記クロック信号を生成するステップは、前記ランイン領域では前記データ領域よりも高いゲインで前記再生信号と前記クロック信号の位相同期の引き込み制御を行い、前記２値化信号を出力するステップは、前記ランイン領域では前記データ領域よりも高いゲインで適応等化の引き込み制御を行う。
【００４４】
本発明による記録方法は、上述の光ディスクに対し、前記記録データを記録する光ディスク記録方法であって、前記ランインビットパターンを生成するステップと、前記記録対象のデータを所定の変調則に従って変調し、さらに所定のフレーム長毎に所定のフレーム同期パターンを挿入したデータビットパターンを生成するステップと、各記録ブロックのランイン領域では前記ランインビットパターンを前記光ディスクに記録し、データ領域では前記データビットパターンを前記光ディスクに記録するステップと、を包含し、前記ランインビットパターンは、前記複数種類のビット長のビットパターンのうち、空間周波数が前記ＯＴＦカットオフ周波数よりも高いビットパターンを除いたビットパターンで構成される。
【００４５】
本発明による記録方法は、上述の光ディスクに対し、前記記録データを記録する光ディスク記録方法であって、前記ランインビットパターンを生成するステップと、前記記録対象のデータを所定の変調則に従って変調し、さらに所定のフレーム長毎に所定のフレーム同期パターンを挿入したデータビットパターンを生成するステップと、各記録ブロックのランイン領域では前記ランインビットパターンを前記光ディスクに記録し、データ領域では前記データビットパターンを前記光ディスクに記録するステップと、を包含し、前記ランインビットパターンは、前記複数種類のビット長のビットパターンのうち、空間周波数が前記ＯＴＦカットオフ周波数よりも高いビットパターンを除いたビットパターンで構成される。
【００４６】
本発明による光ディスクは、複数の記録ブロックに分割された複数のトラックを備え、前記複数の記録ブロックのそれぞれはランイン領域とデータ領域とを含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクであって、前記ランイン領域に記録されるランインビットパターンは、前記データ領域に記録されるビットパターンに含まれる最長ビット長およびフレーム同期パターンのビット長よりも長いビットパターンで構成されるランイン同期パターンを含む。
【００４７】
前記ランインビットパターンは、前記ランイン同期パターンを複数含み、複数のランイン同期パターンはそれぞれ異なるビットパターンであってもよい。
【００４８】
本発明による再生方法は、上述の光ディスクから、前記記録データを再生する再生方法であって、前記光ディスクの前記トラックに記録されたビットパターンを再生した再生信号を検出するステップと、前記再生信号を２値化した２値化信号を出力するステップと、前記２値化信号から前記ランイン領域に含まれるランイン同期パターンを検出するステップと、前記２値化信号から前記データ領域に含まれるフレーム同期パターンを検出するステップと、前記データ領域において前記２値化信号を前記所定の変調則に従って復調することにより前記記録データを抽出するステップと、を包含し、前記記録データを抽出するステップは、各記録ブロックのランイン領域において前記ランイン同期検出ステップによりランイン同期パターンが検出され、ランイン領域につづくデータ領域の先頭付近において前記フレーム同期検出ステップによりフレーム同期パターンが検出できない場合、前記ランイン同期検出ステップによるランイン同期パターンを検出したタイミングを基準にデータ領域の復調処理を行う。
【００４９】
本発明による記録方法は、上述の光ディスクに対し、前記記録データを記録する記録方法であって、前記ランインビットパターンを生成するステップと、前記記録データを所定の変調則に従って変調し、さらに所定のフレーム長毎に所定のフレーム同期パターンを挿入したデータビットパターンを生成するステップと、各記録ブロックのランイン領域では前記ランインビットパターンを前記光ディスクに記録し、データ領域では前記データビットパターンを前記光ディスクに記録するステップと、を包含し、前記ランインビットパターンは、前記データ領域に記録されるデータビットパターンに含まれる最長ビット長およびフレーム同期パターンのビット長よりも長いビットパターンで構成されるランイン同期パターンを含む。
【００５０】
さらに、前記課題を解決するため、本発明の光ディスクは、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクであって、前記ランイン領域に記録されるランインビットパターンは、前記データ領域に記録されるビットパターンに含まれる最長ビット長およびフレーム同期パターンのビット長よりも長いビットパターンで構成されるランイン同期パターンを含むことを特徴とする。
【００５１】
また、前記ランインビットパターンは、前記ランイン同期パターンを複数含み、複数のランイン同期パターンはそれぞれ異なるビットパターンであってもよい。
【００５２】
本発明の光ディスクは、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高い光ディスクであって、前記ランイン領域に記録されるランインビットパターンは、前記所定の変調則によって生成されるビット長のうち、前記ＯＴＦカットオフ周波数より空間周波数が高いビット長を除いたパターンで構成されることを特徴とする。
【００５３】
また、前記ランインビットパターンは、前記所定の変調則によって生成されるビット長のうち、前記ＯＴＦカットオフ周波数より空間周波数が高いビット長を除き、かつＯＴＦのゲインが最大となる空間周波数を有するビット長以下のパターンで構成されてもよい。
【００５４】
また、前記ランインビットパターンは、ビット長差が小さいもの同士の組合せパターンとビット長差が大きいもの同士の組合せパターンの両方を含むパターンで構成されてもよい。
【００５５】
また、前記ランインビットパターンは、所定の長さのうち前半は短いビット長の頻度が高いパターンで構成されてもよい。
【００５６】
本発明の光ディスク再生装置は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録され、前記ランイン領域に記録されるランインビットパターンは、前記データ領域に記録されるビットパターンに含まれる最長ビット長および同期パターンのビット長よりも長いビットパターンで構成されるランイン同期パターンを含む光ディスクから、前記記録データを再生する光ディスク再生装置であって、前記光ディスクの前記トラックに記録されたビットパターンを再生した再生信号を検出する再生信号検出手段と、前記再生信号を２値化した２値化信号を出力する２値化手段と、前記２値化信号から前記ランイン領域に含まれるランイン同期パターンを検出するランイン同期検出手段と、前記２値化信号から前記データ領域に含まれるフレーム同期パターンを検出するフレーム同期検出手段と、前記データ領域において前記２値化信号を前記所定の変調則に従って復調することにより前記記録データを抽出する復調手段から構成され、前記復調手段は、各記録ブロックのランイン領域において前記ランイン同期検出手段によりランイン同期パターンが検出され、ランイン領域につづくデータ領域の先頭付近において前記フレーム同期検出手段によりフレーム同期パターンが検出できない場合、前記ランイン同期検出手段によるランイン同期パターンを検出したタイミングを基準にデータ領域の復調処理を行うことを特徴とする。
【００５７】
本発明の光ディスク再生装置は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高く、前記ランイン領域に記録されるランインビットパターンは、前記所定の変調則によって生成されるビット長のうち前記ＯＴＦカットオフ周波数より空間周波数が高いビット長を除いたパターンで構成される光ディスクから、前記記録データを再生する光ディスク再生装置であって、前記光ディスクの前記トラックに記録されたビットパターンを再生した再生信号を検出する再生信号検出手段と、前記再生信号のビットに位相同期したクロック信号を生成するクロック生成手段と、前記再生信号を適応等化したのちに２値化した２値化信号を出力する適応等化手段と、前記データ領域において前記２値化信号を前記所定の変調則に従って復調することにより前記記録データを抽出する復調手段とから構成され、前記クロック生成手段は、前記ランイン領域では前記データ領域よりも高いゲインで前記再生信号と前記クロック信号の位相同期の引き込み制御を行い、前記適応等化手段は、前記ランイン領域では前記データ領域よりも高いゲインで適応等化の引き込み制御を行うことを特徴とする。
【００５８】
本発明の光ディスク記録装置は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクに対し、前記記録データを記録する光ディスク記録装置であって、前記ランインビットパターンを生成するランインビットパターン生成手段と、前記記録データを所定の変調則に従って変調し、さらに所定のフレーム長毎に所定のフレーム同期パターンを挿入したデータビットパターンを生成するデータビットパターン生成手段と、各記録ブロックのランイン領域では前記ランインビットパターンを前記光ディスクに記録し、データ領域では前記データビットパターンを前記光ディスクに記録する記録手段とから構成され、前記ランインビットパターン生成手段によって生成されるランインビットパターンは、前記データ領域に記録されるデータビットパターンに含まれる最長ビット長およびフレーム同期パターンのビット長よりも長いビットパターンで構成されるランイン同期パターンを含むことを特徴とする。
【００５９】
本発明の光ディスク記録装置は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高い光ディスクに対し、前記記録データを記録する光ディスク記録装置であって、前記ランインビットパターンを生成するランインビットパターン生成手段と、前記記録データを所定の変調則に従って変調し、さらに所定のフレーム長毎に所定のフレーム同期パターンを挿入したデータビットパターンを生成するデータビットパターン生成手段と、各記録ブロックのランイン領域では前記ランインビットパターンを前記光ディスクに記録し、データ領域では前記データビットパターンを前記光ディスクに記録する記録手段とから構成され、前記ランインビットパターン生成手段によって生成されるランインビットパターンは、前記所定の変調則によって生成されるビット長のうち前記ＯＴＦカットオフ周波数より空間周波数が高いビット長を除いたパターンで構成されることを特徴とする。
【００６０】
本発明の光ディスク再生方法は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録され、前記ランイン領域に記録されるランインビットパターンは、前記データ領域に記録されるビットパターンに含まれる最長ビット長および同期パターンのビット長よりも長いビットパターンで構成されるランイン同期パターンを含む光ディスクから、前記記録データを再生する光ディスク再生方法であって、前記光ディスクの前記トラックに記録されたビットパターンを再生した再生信号を検出する再生信号検出ステップと、前記再生信号を２値化した２値化信号を出力する２値化ステップと、前記２値化信号から前記ランイン領域に含まれるランイン同期パターンを検出するランイン同期検出ステップと、前記２値化信号から前記データ領域に含まれるフレーム同期パターンを検出するフレーム同期検出ステップと、前記データ領域において前記２値化信号を前記所定の変調則に従って復調することにより前記記録データを抽出する復調ステップから構成され、前記復調ステップは、各記録ブロックのランイン領域において前記ランイン同期検出ステップによりランイン同期パターンが検出され、ランイン領域につづくデータ領域の先頭付近において前記フレーム同期検出ステップによりフレーム同期パターンが検出できない場合、前記ランイン同期検出ステップによるランイン同期パターンを検出したタイミングを基準にデータ領域の復調処理を行うことを特徴とする。
【００６１】
本発明の光ディスク再生方法は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高く、前記ランイン領域に記録されるランインビットパターンは、前記所定の変調則によって生成されるビット長のうち前記ＯＴＦカットオフ周波数より空間周波数が高いビット長を除いたパターンで構成される光ディスクから、前記記録データを再生する光ディスク再生方法であって、前記光ディスクの前記トラックに記録されたビットパターンを再生した再生信号を検出する再生信号検出ステップと、前記再生信号のビットに位相同期したクロック信号を生成するクロック生成ステップと、前記再生信号を適応等化したのちに２値化した２値化信号を出力する適応等化ステップと、前記データ領域において前記２値化信号を前記所定の変調則に従って復調することにより前記記録データを抽出する復調ステップとから構成され、前記クロック生成ステップは、前記ランイン領域では前記データ領域よりも高いゲインで前記再生信号と前記クロック信号の位相同期の引き込み制御を行い、前記適応等化ステップは、前記ランイン領域では前記データ領域よりも高いゲインで適応等化の引き込み制御を行うことを特徴とする。
【００６２】
本発明の光ディスク記録方法は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクに対し、前記記録データを記録する光ディスク記録方法であって、前記ランインビットパターンを生成するランインビットパターン生成ステップと、前記記録データを所定の変調則に従って変調し、さらに所定のフレーム長毎に所定のフレーム同期パターンを挿入したデータビットパターンを生成するデータビットパターン生成ステップと、各記録ブロックのランイン領域では前記ランインビットパターンを前記光ディスクに記録し、データ領域では前記データビットパターンを前記光ディスクに記録する記録ステップとから構成され、前記ランインビットパターン生成ステップによって生成されるランインビットパターンは、前記データ領域に記録されるデータビットパターンに含まれる最長ビット長およびフレーム同期パターンのビット長よりも長いビットパターンで構成されるランイン同期パターンを含むことを特徴とする。
【００６３】
本発明の光ディスク記録方法は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高い光ディスクに対し、前記記録データを記録する光ディスク記録方法であって、前記ランインビットパターンを生成するランインビットパターン生成ステップと、前記記録データを所定の変調則に従って変調し、さらに所定のフレーム長毎に所定のフレーム同期パターンを挿入したデータビットパターンを生成するデータビットパターン生成手ステップ、各記録ブロックのランイン領域では前記ランインビットパターンを前記光ディスクに記録し、データ領域では前記データビットパターンを前記光ディスクに記録する記録ステップとから構成され、前記ランインビットパターン生成ステップによって生成されるランインビットパターンは、前記所定の変調則によって生成されるビット長のうち前記ＯＴＦカットオフ周波数より空間周波数が高いビット長を除いたパターンで構成されることを特徴とする。
【００６４】
本発明の集積回路は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録され、前記ランイン領域に記録されるランインビットパターンは、前記データ領域に記録されるビットパターンに含まれる最長ビット長および同期パターンのビット長よりも長いビットパターンで構成されるランイン同期パターンを含む光ディスクから再生された再生信号から前記記録データを再生する集積回路であって、前記再生信号を２値化した２値化信号を出力する２値化手段と、前記２値化信号から前記ランイン領域に含まれるランイン同期パターンを検出するランイン同期検出手段と、前記２値化信号から前記データ領域に含まれるフレーム同期パターンを検出するフレーム同期検出手段と、前記データ領域において前記２値化信号を前記所定の変調則に従って復調することにより前記記録データを抽出する復調手段から構成され、前記復調手段は、各記録ブロックのランイン領域において前記ランイン同期検出手段によりランイン同期パターンが検出され、ランイン領域につづくデータ領域の先頭付近において前記フレーム同期検出手段によりフレーム同期パターンが検出できない場合、前記ランイン同期検出手段によるランイン同期パターンを検出したタイミングを基準にデータ領域の復調処理を行うことを特徴とする。
【００６５】
本発明の集積回路は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高く、前記ランイン領域に記録されるランインビットパターンは、前記所定の変調則によって生成されるビット長のうち前記ＯＴＦカットオフ周波数より空間周波数が高いビット長を除いたパターンで構成される光ディスクから再生された再生信号から前記記録データを再生する集積回路であって、前記再生信号のビットに位相同期したクロック信号を生成するクロック生成手段と、前記再生信号を適応等化したのちに２値化した２値化信号を出力する適応等化手段と、前記データ領域において前記２値化信号を前記所定の変調則に従って復調することにより前記記録データを抽出する復調手段とから構成され、前記クロック生成手段は、前記ランイン領域では前記データ領域よりも高いゲインで前記再生信号と前記クロック信号の位相同期の引き込み制御を行い、前記適応等化手段は、前記ランイン領域では前記データ領域よりも高いゲインで適応等化の引き込み制御を行うことを特徴とする。
【００６６】
本発明の集積回路は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調し、さらに所定のフレーム長毎に所定のフレーム同期パターンを挿入したビットパターンが記録される光ディスクに対し、前記記録データを記録する記録信号を生成する集積回路であって、前記ランインビットパターンを生成するランインビットパターン生成手段と、前記記録データを所定の変調則に従って変調し、さらに所定のフレーム長毎に所定のフレーム同期パターンを挿入したデータビットパターンを生成するデータビットパターン生成手段と、各記録ブロックのランイン領域では前記ランインビットパターンを前記光ディスクに記録し、データ領域では前記データビットパターンを前記記録信号として出力する記録手段とから構成され、前記ランインビットパターン生成手段によって生成されるランインビットパターンは、前記データビットパターンに含まれる最長ビット長およびフレーム同期パターンのビット長よりも長いビットパターンで構成されるランイン同期パターンを含むことを特徴とする。
【００６７】
本発明の集積回路は、複数の記録ブロックに分割された複数のトラックを備え、前記複数の記録ブロックのそれぞれはランイン領域とデータ領域を含み、前記ランイン領域には所定のランインビットパターンが記録され、前記データ領域には記録データを所定の変調則に従って変調したビットパターンが記録され、前記所定の変調則に従ったビットパターンの最短ビットの空間周波数がＯＴＦのゲインが０倍となるカットオフ周波数より高い光ディスクに対し、前記記録データを記録する記録信号を生成する集積回路であって、前記ランインビットパターンを生成するランインビットパターン生成手段と、前記記録データを所定の変調則に従って変調し、さらに所定のフレーム長毎に所定のフレーム同期パターンを挿入したデータビットパターンを生成するデータビットパターン生成手段と、各記録ブロックのランイン領域では前記ランインビットパターンを前記光ディスクに記録し、データ領域では前記データビットパターンを前記記録信号として出力する記録手段とから構成され、前記ランインビットパターン生成手段によって生成されるランインビットパターンは、前記所定の変調則によって生成されるビット長のうち前記ＯＴＦカットオフ周波数より空間周波数が高いビット長を除いたパターンで構成されることを特徴とする。
【発明の効果】
【００６８】
本発明によれば、データ領域に存在するビット長よりも長いビット長のランイン同期パターンをランイン領域のビットパターン中に配置することにより、ＰＬＬ回路の位相同期引き込みや適応等化回路の適応引き込み制御が不十分であっても、長いビット長を有するランイン同期パターンは容易に検出でき、ランイン同期パターン検出位置を基準にランイン領域につづくデータの復調を行うことが可能となり、データの連続的エラーの発生を防止することができる。
【００６９】
また、最短ビットの空間周波数がＯＴＦのゲインが０倍となるカットオフ周波数より高くなる高密度記録において、ランイン領域に記録されるランインビットパターンを、所定の変調則によって生成されるビット長のうちＯＴＦカットオフ周波数より空間周波数が高いビット長を除いたパターンで構成することにより、ランインビットパターン中の全てのマーク／スペースの境界位置が再生信号から容易に得られ、ＰＬＬ回路の引き込みおよび適応等化回路の引き込みを安定に行うことが可能となる。
【００７０】
また、前記ランインビットパターンを、前記所定の変調則によって生成されるビット長のうち、前記ＯＴＦカットオフ周波数より空間周波数が高いビット長を除き、かつＯＴＦのゲインが最大となる空間周波数を有するビット長以下のパターンで構成したり、ビット長差が小さいもの同士の組合せパターンとビット長差が大きいもの同士の組合せパターンの両方を含むパターンとして構成することにより、ＯＴＦカットオフ周波数より空間周波数が高いビット長のビットパターン以外に対する適応等化回路の引き込みが適切に行われ、空間周波数が低いビットパターンに起因するデータエラーを抑止しながら、空間周波数がＯＴＦカットオフ周波数より高いビットパターンに対する適応等化を安定に制御することが可能となる。
【００７１】
また、ランイン領域のうち、前半は短いビット長の頻度が高いパターンで構成することによりマーク／スペース境界が多数存在し、ＰＬＬ回路におけるチャネルクロック信号と再生信号の位相を制御するためのタイミング情報が多く得られ、引き込み制御が容易となる。ＰＬＬ回路の引き込みが安定した後、後半の領域では安定なチャネルクロック信号を用いて正確な適応等化回路の引き込みを行うことが可能となる。
【図面の簡単な説明】
【００７２】
【図１】実施形態１による光ディスク１の物理的構成を示す。
【図２】実施形態１における光ディスク１の記録フォーマットを示す図である。
【図３】実施形態２による光ディスク装置２５０の構成を示すブロック図である。
【図４】光ディスク装置２５０の記録動作を示すタイミング図である。
【図５】光ディスク装置２５０の再生動作を示すタイミング図である。
【図６】実施形態３における光ディスクの記録フォーマットを示す図である。
【図７】実施形態４における光ディスク装置６５０の構成を示すブロック図である。
【図８】光ディスク装置６５０のデータ再生動作を示すタイミング図である。
【図９】実施形態５における光ディスクの記録フォーマットを示す図である。
【図１０】長さ２０Ｔのビットパターンの組合せを示す図である。
【図１１】長さ２２Ｔのビットパターンの組合せを示す図である。
【図１２】長さ３０Ｔのビットパターンの組合せを示す図である。
【図１３】長さ３０Ｔのビットパターンの組合せを示す図である。
【図１４】（Ａ）は従来の記録密度のＢＤの例を示す図であり、（Ｂ）はＢＤより高密度ディスクの例を示す図である。
【図１５】ＢＤのブロック１５３のフォーマットを示す図である。
【図１６】ブロック１５３のうちの、ランアウト領域およびガード領域のパターンの詳細を示す図である。
【図１７】従来の記録フォーマットの一例を示す図である。
【図１８】ＢＤの光学分解能と最短ビット長２Ｔとの関係を示す図である。
【図１９】従来の光ディスク装置１１００の構成を示す図である。
【図２０】図１８に示す光学的伝達関数ＯＴＦの場合における２Ｔから９Ｔまでの各信号波形の理想的な信号振幅と、理想的な再生クロック信号での同期サンプリング点を示す図である。
【図２１】２Ｔマーク／２Ｔスペース／３Ｔマーク／３Ｔスペース／６Ｔマーク／６Ｔスペースの繰返し単位のデータ信号の理想的な信号波形と、理想的な再生クロック信号での同期サンプリング点を示す図である。
【図２２】２Ｔの空間周波数がＯＴＦカットオフ周波数よりも高く、かつ、２Ｔの再生信号の振幅が０になっている例を示す図である。
【図２３】図２２に示す光学的伝達関数ＯＴＦの場合における２Ｔから９Ｔまでの各信号波形の理想的な信号振幅と、理想的な再生クロック信号での同期サンプリング点とを示す図である。
【図２４】２Ｔマーク／２Ｔスペース／３Ｔマーク／３Ｔスペース／６Ｔマーク／６Ｔスペースの繰返し単位のデータ信号の理想的な信号波形と、理想的な再生クロック信号での同期サンプリング点とを示す図である。
【発明を実施するための形態】
【００７３】
以下、本発明に係る光ディスクあるいは光ディスク装置の実施形態について説明する。
【００７４】
（実施形態１）
図１は、本実施形態による光ディスク１の物理的構成を示す。円盤状の光ディスク１には、たとえばスパイラル状に多数のトラック２が形成されており、各トラック２には細かく分けられた多数のセクタが形成されている。なお、後述するように、各トラック２には予め定められたサイズのブロック３を単位としてデータが記録される。
【００７５】
図２は、本実施形態における光ディスク１の記録フォーマットを示す図である。
【００７６】
データは、所定のデータ量毎にエラー訂正符号化処理が行われたブロック３を単位としてトラック２に記録される。トラック２にはブロック単位でブロックアドレスが割り振られている。
【００７７】
ブロック３は、先頭には再生時の同期検出に用いるためのランイン領域１０１と、記録データを含むデータ領域１０２とから構成される。データ領域１０２は、複数のセクタ１０３に分割され、各セクタ１０３はさらに複数のフレーム１０４に分割される。各フレーム１０４の先頭には、フレーム同期パターン１０５が配置されている。フレーム同期パターン１０５の後には、所定の変調符号に従って、記録されるデータが変調されたビットパターンが記録される。ビットパターンは、２Ｔから８Ｔのビット長の組合せであらわされている。
【００７８】
フレーム同期パターン１０５は、所定のビットパターン（３Ｔ／９Ｔ／９Ｔ）および所定の長さの同期ＩＤパターン１０６で構成されている。フレーム同期パターン１０５を識別するために、記録データを変調したビットパターンには含まれない９Ｔが用いられている。３Ｔ／９Ｔ／９Ｔを検出し、その後続の同期ＩＤパターン１０６を判定することで、再生中のフレームの番号が特定可能である。
【００７９】
ランイン領域１０１は、所定のビット長で３つの区間（ビットパターン）１０７に分割されており、隣接する２つの区間の間にはランイン同期パターン０またはランイン同期パターン１が挿入されている。
【００８０】
３つの区間１０７は、いずれも２Ｔ／２Ｔ／３Ｔ／３Ｔ／６Ｔ／６Ｔを１単位としたパターンを複数含んでいる。この１単位のパターンが繰り返し含まれている。
【００８１】
上述した１単位のパターンには「２Ｔ」が含まれている。そのため、光ディスク装置がこの繰返しパターンを再生すると、２Ｔの空間周波数がＯＴＦカットオフ周波数よりも低い場合（図１８）には図２１に示すような信号波形が得られ、２Ｔの空間周波数がＯＴＦカットオフ周波数よりも高い場合（図２２）には図２４に示すように２Ｔの振幅がゼロとなる信号波形となる。
【００８２】
上述の説明から明らかなように、本実施形態による光ディスク１の最短ビットパターンのビット長は、従来の光ディスクのそれと同じであってもよいし、従来の光ディスクのそれより短くてもよい。記録マークの最短ビットパターンのビット長が従来の光ディスクよりも短く設定された場合には、情報記録層１層あたりの記録容量が拡張された光ディスクということを意味する。
【００８３】
当該光ディスク１を再生する際に記録されているマークとスペースの境界位置を利用してビット同期を検出する場合、２Ｔの振幅がゼロとなってしまうと２Ｔに関連する境界位置はビット同期の検出に利用できなくなり、ビット同期を検出するために必要な情報量が不足することになる。ビット同期がランイン領域中に正確に検出できないままとなると、データ領域の先頭のフレーム０のフレーム同期パターンが検出できず、先頭の１フレームあるいは２フレームの区間のデータがエラーとなってしまう。
【００８４】
そこで、図２に示す本実施形態においては、ランイン領域１０１に３つの区間１０７を設けるとともに、はじめの２つの区間の間には、ランイン同期パターン０を配置し、次の２つの区間の間にはランイン同期パターン１を配置した。このように配置した理由は、ランイン領域１０１を必ず検出することができるようにするためである。本実施形態においては、ランイン同期パターン０およびランイン同期パターン１として、それぞれ比較的長いビットパターンを複数配置している。これにより光ディスク装置は誤検出を生じにくくなる。
【００８５】
また、ランイン同期パターン０をはじめの２つの区間の間に配置し、その次の２つの区間の間にはランイン同期パターン１を配置することにより、現在どの位置を読み込んでいるかを光ディスク装置が確実に特定することが可能になる。これにより、誤検出をより確実に防ぐことが可能になる。
【００８６】
ここで、ランイン同期パターンをより詳細に説明する。
【００８７】
本実施形態においては、ランイン同期パターン０は１３Ｔ／１３Ｔ／１１Ｔ／１１Ｔ／６Ｔ／６Ｔのビットパターンであり、ランイン同期パターン１は１３Ｔ／１１Ｔ／１１Ｔ／１３Ｔ／６Ｔ／６Ｔのビットパターンである。データ領域中のフレーム同期パターンよりもさらにビット長が長く１３Ｔと１１Ｔを用い、パターン内のビット長の差が２Ｔ確保できているパターンとすることにより、その時点でのビット同期の周波数がずれていても正確なパターン検出およびビット同期位置の検出が可能となる。
【００８８】
また、繰返しパターンとは大きく異なるパターンで所定の位置に挿入されているため、ランインビットパターン中から容易に検出でき、データ領域ではなくランイン領域の再生中のうちからフレーム０の先頭位置を正確に予測することができるようになる。さらに、ランイン同期パターンは２つ設けられているため、ランイン同期パターン０が検出できない場合でもランイン同期パターン１が検出できればフレーム０の先頭位置を予測することが可能であり、また両方を用いることでフレーム０の先頭位置の予測の確度をさらに向上することが可能となる。
【００８９】
なお、上述の実施形態において、記録フォーマットの構成、ランイン領域のビットパターンの例を示したが、これに限定されるものではない。
【００９０】
（実施形態２）
図３は、本実施形態による光ディスク装置２５０の構成を示すブロック図である。
【００９１】
図３に示す光ディスク装置２５０は、光ディスク２００からのデータの再生および光ディスク２００へのデータの記録の両方を行うことが可能である。ただし、これは例であり、データの再生および記録の少なくとも一方を行うことができればよい。
【００９２】
光ディスク装置２５０は、光ヘッド２０１と、モータ２０２と、サーボ回路２０３と、アドレス再生回路２０４と、ＣＰＵ２０５と、ランイン生成回路２０６と、データ変調回路２０７と、記録制御回路２０８と、データ信号抽出回路２０９と、再生クロック生成ＰＬＬ回路２１０と、適応等化回路２１１と、データ復調回路２１２と、ランイン同期検出回路２１３とを備える。
【００９３】
サーボ回路２０３、アドレス再生回路２０４、ＣＰＵ２０５、ランイン生成回路２０６、データ変調回路２０７、記録制御回路２０８、データ信号抽出回路２０９、再生クロック生成ＰＬＬ回路２１０、適応等化回路２１１、データ復調回路２１２、および、ランイン同期検出回路２１３は、１つのチップ回路（光ディスクコントローラ）２４０として実装されている。なお、これらの全てが１チップ化されていなくてもよい。たとえば、サーボ回路２３０は含まれなくてもよい。または、アドレス再生回路２０４を光ヘッド２０１内に組み込んでもよい。さらに、これらを１チップ化せずに個々の回路として別々に設けてもよい。
【００９４】
光ディスク２００は、データを記録するトラックを有し、トラック上には前述の本発明の実施形態１に示す記録フォーマットに従ってデータが記録される。なお、光ディスク２００自体は、光ディスク装置２５０から取り外し可能であり、光ディスク装置２５０の構成要素ではない。
【００９５】
光ヘッド２０１は、光ディスク２００に光ビームを照射し、トラックを走査しながら光ディスク２００からの反射光量を検出して電気信号を出力する。
【００９６】
モータ２０２は、光ディスク２００を指定された回転数で回転させる。
【００９７】
サーボ回路２０３は、前記電気信号から光ビームのトラックへの集光状態に応じたサーボエラー信号を抽出し、サーボエラー信号を用いて、光ヘッド２０１のトラックにおける光ビームの集光状態、トラックの走査状態が最適な状態になるように制御を行う。また、光ビームを照射する光ディスク２００上の半径位置およびモータ２０２の回転数を最適に制御する。
【００９８】
アドレス再生回路２０４は、前記電気信号から光ディスク２００のトラックに予め記録されたアドレス情報を含むアドレス信号を抽出し、アドレス信号からアドレス情報を再生し、光ディスク２００のトラック上のブロックに対する同期位置も検出する。
【００９９】
ＣＰＵ２０５は、アドレス再生回路２０４からアドレス情報を得ながら、データの記録および再生を行うブロックを検索し、記録動作、再生動作の指示を出す。光ディスク２００へのデータの記録は、ランイン生成回路２０６と、データ変調回路２０７と、記録制御回路２０８によって実行される。データの再生は、データ信号抽出回路２０９と、再生クロック生成ＰＬＬ回路２１０と、適応等化回路２１１と、データ復調回路２１２と、ランイン同期検出回路２１３によって実行される。
【０１００】
次に、光ディスク装置２５０の記録動作を説明する。図４は光ディスク装置２５０の記録動作を示すタイミング図である。
【０１０１】
ランイン生成回路２０６は、ランイン領域に記録するランイン領域ビットパターンを生成する。ランイン領域ビットパターンは、前述の実施形態１で説明した、図２に示されるランイン領域１０１として示されているビットパターンである。当該ビットパターンは、アドレス再生回路２０４で検出されたブロック同期位置を基準にしたランイン領域の区間で記録制御回路２０８に対して出力される。
【０１０２】
データ変調回路２０７は、記録データの前準備として記録データに所定のエラー訂正符号化処理を施したエラー訂正符号（ＥＣＣ）データを生成し、記録実行中にはＥＣＣデータを所定の変調則に従って順次変調する。また、変調を行う際には、フレーム毎にフレーム同期パターンを挿入する。生成されたデータ領域ビットパターンは、アドレス再生回路２０４で検出されたブロック同期位置を基準にしたデータ領域の区間で記録制御回路２０８に対して出力される。
【０１０３】
記録制御回路２０８は、ＣＰＵ２０５から記録の指示を受けとると、指定されたアドレスを有するブロックにおけるランイン領域ではランイン生成回路２０６から得たランイン領域ビットパターンを記録信号として選択し、データ領域ではデータ変調回路２０７から得たデータ領域ビットパターンを記録信号として選択し、記録信号に基づいて光ヘッド２０１の光ビームの強度を制御することにより、光ディスク２００の所定のブロックにビットパターンを記録する。
【０１０４】
次に、光ディスク装置２５０の再生動作を説明する。図５は光ディスク装置２５０の再生動作を示すタイミング図である。
【０１０５】
データ信号抽出回路２０９は、光ヘッド２０１により検出した電気信号から光ディスク２００のトラック上に記録されたマークとスペースに応じたデータ信号（図中の「再生信号」）を抽出する。
【０１０６】
再生クロック生成ＰＬＬ回路２１０は、前記データ信号に位相同期した再生クロック信号を生成する。再生クロック生成ＰＬＬ回路２１０は、図５の「ＰＬＬ制御」に示すように、データが記録されていない未記録区間ではホールド状態となっている。
【０１０７】
再生信号が、記録されているブロックのランイン領域の情報を含む状態に入ると、「ＰＬＬ制御」は引き込み動作を行う状態となる。ランインビットパターンの繰返しパターンが利用されることにより、図５の「再生クロック周波数」に示すようにまず周波数の引き込みが行われる。周波数がほぼ一致すれば位相が同期するように位相引き込みの状態となり、データ領域になる直前までには位相引き込みが完了し、以後データ領域中は位相ロック状態を維持するように動作する。
【０１０８】
光ディスク２００の記録密度が、図１８に示すように２Ｔの空間周波数がＯＴＦカットオフ周波数よりも低い場合には、ランイン領域のデータ信号は図２１に示すように全てのマーク／スペースの境界位置が得られるため、再生クロック生成ＰＬＬ回路２１０における制御ゲインが十分に確保できる。これにより、図５の「再生クロック周波数」における変動として示すように、引き込み性能が高くランイン領域の早い段階で位相引き込みまで完了することができ、データ領域の先頭のタイミングに対して十分な余裕時間を確保できる。
【０１０９】
一方で、光ディスク２００の記録密度が図２２に示すように２Ｔの空間周波数がＯＴＦカットオフ周波数よりも高い場合には、ランイン領域のデータ信号は図２４に示すように２Ｔに関連する境界位置は得られず、再生クロック生成ＰＬＬ回路２１０における制御ゲインが不足してしまう。また、符号間干渉による信号波形歪みも発生しやすいため、再生クロック生成ＰＬＬ回路２１０の安定性をとるために、さらにゲインを低くしなければならなくなってしまう。この結果、図５の「再生クロック周波数」の変動として示すように、引き込み性能が低く、周波数引込、位相引き込みともに長い時間を要し、データ領域の先頭のタイミングに対して十分な余裕時間を確保することが困難となる。
【０１１０】
そこで本実施形態においては、適応等化回路２１１を利用して上述の問題を解消している。すなわち適応等化回路２１１は、等化フィルタ処理、等化フィルタのフィルタ係数の適応制御処理、および、等化フィルタ回路の出力を２値化するビタビ復号処理の３つの処理を行う。これらは、ソフトウェア処理として実現されてもよいし、各々の処理を行う回路として実現されてもよい。以下では、それぞれが回路として実装されているとして説明する。
【０１１１】
２Ｔの空間周波数がＯＴＦカットオフ周波数よりも低い場合（図１８）の等化フィルタ回路の出力信号に関しては、２Ｔから９Ｔの各信号振幅と再生クロック信号でのサンプリング点とが図２０に示す波形図の状態となることが目標である。適応制御回路は等化フィルタ回路の出力信号の振幅および位相が目標レベルに近づくようにフィルタ係数を制御する。ビタビ復号回路は、等化フィルタ回路の出力信号と図２０に示す目標波形とを比較することで最尤復号を行い、マークとスペースとに２値化した２値化信号として出力する。
【０１１２】
適応制御回路は、データ信号と再生クロック信号との周波数が大きくずれている場合には目標レベルに対する振幅と位相の正確な誤差を得られないため、図５の「適応等化制御」に示すように、再生クロック生成ＰＬＬ回路２１０の引き込みの完了が見込まれる所定のタイミングまでその動作はホールドされている。所定のタイミングになればホールド解除して適応等化制御の引き込みを開始し、データ領域の先頭付近では引き込みを完了し、ロック状態を維持するように動作する。
【０１１３】
一方、光ディスク２００の記録密度がより高いため、２Ｔの空間周波数がＯＴＦカットオフ周波数よりも高い場合（図２２）には、前述の再生クロック生成ＰＬＬ回路２１０の引き込み性能が低いため、適応制御回路においても制御の誤差が発生しやすく、引き込み動作が安定しなくなってしまう。これに伴い、適応制御回路が十分に引き込みを完了できていない間は、ビタビ復号回路による２値化信号の出力もエラーを多く含むものとなってしまう。
【０１１４】
以上のように、記録密度を高めた場合には、最悪の場合、再生クロック生成ＰＬＬ回路２１０と適応等化回路２１１の引き込みがランイン領域内で完了しないことから、フレーム０のフレーム同期パターンを検出できず、先頭の１フレームから２フレーム程度のデータが全てエラーになってしまう。
【０１１５】
そこで、ランイン同期検出回路２１３は、図２に示すランイン同期パターン０およびランイン同期パターン１の検出を行い、ランイン同期パターン検出信号を出力する。ランイン同期パターンの検出は、１３Ｔと１１Ｔの組合せ部分で行い、長さの比が１３：１３：１１：１１となる場合はランイン同期パターン０として検出する。一方、長さの比が１３：１１：１１：１３となる場合はランイン同期パターン１として検出する。ランイン同期パターン０およびランイン同期パターン１は、前後の繰返しパターンと明らかに異なるパターンであり、かつＯＴＦカットオフ周波数に対し十分に空間周波数が低いビットパターンであるため符号間干渉の影響を受けにくく、前述のように再生クロック生成ＰＬＬ回路２１０と適応等化回路２１１の引き込み状態が不十分であっても、容易に検出することが可能である。また、ランイン同期パターンは、それぞれ６０Ｔの長さとなる。最後尾の６Ｔは、その後に繰返しパターンの２Ｔが継続し波形歪みの影響が出やすいため、これを除いても合計５４Ｔの長さがあり、約１．８５％以上の周波数誤差を検出し、再生クロック生成ＰＬＬ回路２１０の誤差を補正することもできる。
【０１１６】
データ復調回路２１２は、適応等化回路２１１から出力される２値化信号からフレーム同期パターンを検出してフレーム同期をとったフレーム同期復調カウンタを動作させ、フレーム同期復調カウンタのタイミングに従って所定の変調則で２値化信号の復調を行い、得られた１ブロック分の復調データに対し所定のエラー訂正処理を行ってエラーを訂正し、再生データとして出力する。
【０１１７】
データ復調回路２１２において、前述のように再生クロック生成ＰＬＬ回路２１０と適応等化回路２１１の引き込み状態が不十分なためにフレーム０のフレーム同期パターンが未検出となると、フレーム同期復調カウンタが正しいタイミングにプリセットされないために、フレーム１あるいはフレーム２のフレーム同期パターンが検出されて正しいタイミングにプリセットされるまでは復調データが全てエラーとなってしまう。これを防ぐために、ランイン同期パターン検出信号を用いて、ランイン領域においてもランイン同期パターン０とランイン同期パターン１の検出タイミングにおいてフレーム同期復調カウンタのプリセットを行う。これによって、フレーム０のフレーム同期パターンが未検出となっても、それ以前にランイン同期パターンにより正確なタイミングで予めプリセットできているため、正しいタイミングで復調処理が行われ、復調データの連続エラーを防止することができる。
【０１１８】
なお、上述の実施形態において、記録フォーマットの構成、ランイン領域のビットパターンの例に適合する光ディスク装置２５０を示したが、これに限定されるものではない。
【０１１９】
なお、上述の実施形態において、適応等化回路の等化レベルの目標の例を示したが、これに限定されるものではない。
【０１２０】
（実施形態３）
図６は、本実施形態における光ディスクの記録フォーマットを示す図である。本図に示されるフォーマットが図２に示すフォーマットと相違する点は、ブロック３を構成するランイン領域５０１である。図６に示すデータ領域１０２は、図２に示すデータ領域１０２と同じであるため、説明は省略する。なお、外観の構成は図１に示す実施形態１にかかる光ディスク１と同じである。
【０１２１】
さらに、本実施形態における光ディスクにおいては、図２２に示すように、最短ビット長の２Ｔの空間周波数はＯＴＦカットオフ周波数の１．１２倍となるよう形成されている。
【０１２２】
ランイン領域５０１は２つの領域５０７および５０８に分割されている。前半部の領域５０７のビットパターンは図６に示す繰返しパターンＡとされ、後半部の領域５０８のビットパターンは繰返しパターンＢとされている。
【０１２３】
前半部の繰返しパターンＡは、４Ｔ／４Ｔ／５Ｔ／５Ｔが繰り返されて構成されている。ＯＴＦカットオフ周波数を超えている２Ｔと、ＯＴＦカットオフ周波数に近く信号振幅が小さくなってしまう３Ｔは用いず、また光ディスク装置の再生クロック生成ＰＬＬ回路での制御情報となるマークとスペースの境界が少なくなってしまう長いビット長も用いないことにより、再生クロック生成ＰＬＬ回路の制御が容易になる。なお、光ディスク装置の動作は後述する実施形態４において詳細に説明する。
【０１２４】
後半部の繰返しパターンＢは、３Ｔ／４Ｔ／５Ｔ／６Ｔ／７Ｔ／７Ｔ／６Ｔ／５Ｔ／４Ｔ／３Ｔ／７Ｔ／３Ｔ／７Ｔ／７Ｔ／３Ｔ／７Ｔ／６Ｔ／３Ｔ／６Ｔ／６Ｔ／３Ｔ／６Ｔが繰り返されて構成されている。繰返しパターンＡと同様にＯＴＦカットオフ周波数を超えている２Ｔは用いていない。繰返し単位の前半には近いビット長同士の組合せパターンを配置し、後半は長いビット長と短いビット長の組合せパターンとなっている。
【０１２５】
たとえば、３Ｔ、４Ｔ等をそれぞれ１つのパターンと呼ぶと、たとえば最初から１０パターンまで（前半部分）は差が１Ｔ以下のビット長の組み合わせを配置し、１１パターン以降（後半部分）は、差が２Ｔ以上になるビット長の組み合わせを配置する。１１パターン以降は、図６に示すように、常に２Ｔ以上にならなくてもよい。７Ｔ同士、６Ｔ同士が隣接してもよいし、７Ｔと６Ｔとが隣接してもよい。
【０１２６】
より一般化すれば、ｎを自然数とするとき、差がｎＴ以下のビット長のビットパターンの組み合わせと、差が（ｎ＋１）以上のビット長のビットパターンの組み合わせとを含むよう、繰返しパターンＢを定めればよい。
【０１２７】
なお、「前半」および「後半」の決定の仕方は、一例である。より一般化すれば、「前半」とはランインビットパターンの始端から予め定められた長さ（所定長）までの部分を意味し、「後半」とはランインビットパターンの始端から当該所定長以降、ランインビットパターンの終端までの部分を意味する。
【０１２８】
符号間干渉が発生するマークとスペースの組み合わせは、ビット長が近いマークとスペースの組合せ、ビット長が長いスペース（あるいはマーク）の間にビット長が短いマーク（あるいはスペース）がある組合せ、信号波形の振幅がゼロとなってしまう２Ｔ（図２３）が関連する組合せの３つに大別される。光ディスク装置の適応等化の引き込み段階においては、振幅が検出できない２Ｔが関連する波形は間違いやすく引き込みの安定性の低下要因となる。そのため、引き込みは２Ｔを除く他の２つの符号間干渉のパターンに対して行い、その後２Ｔも含めて適応等化すれば安定性を高めることができる。
【０１２９】
そこで、繰返し単位の前半ではビット長が近いもの同士の組合せパターンＡを採用することにより、光ディスク装置は、その符号間干渉の状態に対する適応等化回路の適応等化制御の引き込みを行うことができる。一方、後半ではビット長が遠いもの同士の組合せパターンＢを採用することにより、光ディスク装置はその符号間干渉の状態に対する適応等化制御の引き込みを行うことができる。これらによって、繰返しパターンＢの区間で、ＯＴＦカットオフ周波数を超えている２Ｔを除いた他の符号間干渉に関して、適切な適応等化を行うことができる。
【０１３０】
以上のランインビットパターンにより、まず最初に繰返しパターンＡにより再生クロック生成ＰＬＬ回路の引き込み動作を行い、次に繰返しパターンＢにより適応等化回路の適応等化制御の引き込み動作を行い、いずれの引き込み動作もできたところでデータ領域の再生動作を行うことができる。２Ｔが関連する信号波形の適応等化はできていないが、２Ｔ以外の適応等化は適切に対応できているため再生エラーに至ることはなく、データ領域においては２Ｔも含めて適応等化制御を行うことにより、さらに再生性能を安定化させることができる。
【０１３１】
なお、上述の実施形態において、記録フォーマットの構成、ランイン領域のビットパターンの例を示したが、これに限定されるものではない。
【０１３２】
（実施形態４）
図７は、本実施形態における光ディスク装置６５０の構成を示すブロック図である。
【０１３３】
図７に示す光ディスク装置６５０は、光ディスク６００からのデータの再生および光ディスク６００へのデータの記録の両方を行うことが可能である。ただし、これは例であり、データの再生および記録の少なくとも一方を行うことができればよい。光ディスク装置６５０は、光ヘッド６０１と、モータ６０２と、光ディスクコントローラ６４０とを備えている。光ディスクコントローラ６４０は、サーボ回路６０３と、アドレス再生回路６０４と、ＣＰＵ６０５と、ランイン生成回路６０６と、データ変調回路６０７と、記録制御回路６０８と、データ信号抽出回路６０９と、再生クロック生成ＰＬＬ回路６１０と、適応等化回路６１１と、データ復調回路６１２とを有している。
【０１３４】
光ディスク６００は、データを記録するトラックを有し、トラック上には前述の実施形態３に示す記録フォーマットに従ってデータが記録され、同様に２Ｔの空間周波数はＯＴＦカットオフ周波数より高く１．１２倍である。
【０１３５】
図７の光ディスク装置６５０の構成要素に関し、前述の実施形態２および図３に示す構成要素と同じ構成要素については、説明を省略する。以下で特に説明する構成要素以外の構成要素については、図３に示される同名の構成要素と同じ機能が与えられているとする。
【０１３６】
まず、光ディスク６００へのデータの記録動作に関連するランイン生成回路６０６の処理を説明する。
【０１３７】
ランイン生成回路６０６は、ランイン領域５０１（図６）に記録するランイン領域ビットパターンを生成する。ランイン領域ビットパターンは、前述の実施形態３で説明した、図６に示されるランイン領域５０１として示されているビットパターンである。当該ビットパターンは、アドレス再生回路６０４で検出されたブロック同期位置を基準にしたランイン領域の区間で記録制御回路６０８に対して出力される。記録制御回路６０８はランイン領域にランインビットパターンが記録されるように、光ヘッド６０１の光ビームの強度を制御する。
【０１３８】
次に、光ディスク６００からのデータの再生動作に関連する、再生クロック生成ＰＬＬ回路６１０および適応等化回路６１１の各動作を説明する。
【０１３９】
図８は、光ディスク装置６５０のデータ再生動作を示すタイミング図である。
【０１４０】
アドレス再生回路６０４は、検出したブロック同期位置を基準に、ランイン領域の前半の繰返しパターンＡが記録されている区間では、再生クロック生成ＰＬＬ回路６１０に対して高いゲインで引き込み動作を行うように指示し、その引き込み動作以降は低いゲインで位相ロック状態を維持するように指示する。
【０１４１】
再生クロック生成ＰＬＬ回路６１０は、アドレス再生回路６０４の指示に従って、繰返しパターンＡの区間では高いゲインでの引き込み動作を行い、その後は低いゲインでロック状態を維持するように動作する。繰返しパターンＡの区間では、４Ｔ／４Ｔ／５Ｔ／５Ｔの単純な繰返しパターンであるため、周波数の比較が容易であり、またゲインを高くすることにより短時間で安定な引き込み動作を実現することができる。
【０１４２】
図８の「ＰＬＬ制御」によれば、繰返しパターンＡが記録されている区間において引き込み状態が維持されていること、および、繰返しパターンＢが記録されている区間において位相ロック状態が維持されていることが理解される。
【０１４３】
また、適応等化回路６１１は、アドレス再生回路６０４の指示に従って、繰返しパターンＡが記録されている区間（再生クロック生成ＰＬＬ回路６１０の引き込み動作中）では動作をホールドするように指示し、繰返しパターンＢが記録されている区間では高いゲインで引き込み動作を行うように指示し、以降は低いゲインで適応等化制御のロック状態を維持するように指示する（図８の「適応等化制御」）。
【０１４４】
繰返しパターンＢには引き込みの不安定要因となる２Ｔは含まれていないため、高いゲインで引き込み動作を行っても問題なく、短時間で安定に引き込むことができる。
【０１４５】
繰返しパターンＢの繰返し単位の前半の組合せパターンにより、ビット長が近いもの同士の符号間干渉の影響による信号波形の歪みを補正するように適応等化が制御される。また、繰返し単位の後半の組合せパターンにより、ビット長が遠いもの同士の符号間干渉の影響による信号波形の歪みも補正するように適応等化が制御される。これらによって、２Ｔに関連する符号間干渉を除いた他の符号間干渉の影響に対し、繰返しパターンＢの区間中に適応等化の引き込みを行い、データ信号をただしく２値化する性能を確保することができる。また、データ領域においては、低いゲインで安定状態を維持しながら、２Ｔに関連する符号間干渉の影響も適切に適応等化できるように制御される。
【０１４６】
以上の処理によれば、図８の「フレーム同期パターン検出」に示すように、データ領域の先頭のフレーム０同期パターンを安定に検出することができる。その結果、図８の「フレーム同期復調カウンタ」に示すように、データ復調回路６１２におけるフレーム同期復調カウンタを正しいタイミングで動作させ、データの復調エラーを極小に抑えることが可能となる。
【０１４７】
なお、上述の実施形態において、記録フォーマットの構成、ランイン領域のビットパターンの例に適合する光ディスク装置を示したが、これに限定されるものではない。
【０１４８】
（実施形態５）
図９は、本実施形態による光ディスクの記録フォーマットを示す。データ構造は、図６に示すデータ構造に類似する。
【０１４９】
データは、所定のデータ量毎にエラー訂正符号化処理が行われたブロック単位で記録される。
【０１５０】
各ブロックは、先頭には再生時の同期検出に用いるためのランイン領域と、記録データを含むデータ領域とによって構成される。データ領域は、複数のセクタに分割され、セクタはさらに複数のフレームに分割される。各フレームは、先頭に所定のビットパターンと各フレームに固有の同期ＩＤパターンから構成されるフレーム同期パターンが配置されている。フレーム同期パターン後には、所定の変調符号に従って記録データを変調したビットパターンが記録され、２Ｔから８Ｔのビット長の組合せであらわされている。
【０１５１】
本実施形態における光ディスクは、図２２に示すように、最短ビット長の２Ｔの空間周波数はＯＴＦカットオフ周波数の１．１２倍となるよう設けられている。
【０１５２】
フレーム同期パターンは、３Ｔ／９Ｔ／９Ｔおよび所定の長さの同期ＩＤパターンで構成されている。記録データを変調したビットパターンには含まれない９Ｔを用いることで区別されており、３Ｔ／９Ｔ／９Ｔを検出し、その後続の同期ＩＤパターンを判定することで、再生中のフレームの番号が判断できるものである。
【０１５３】
ランイン領域は、長さが２６４０Ｔであり、所定の繰返しビットパターンが記録される。図１０、図１１、図１２、図１３は、それぞれ、ランイン領域の繰返しビットパターンを示す。従来の光ディスクのランインビットパターンは図２４に示すように２Ｔ／２Ｔ／３Ｔ／３Ｔ／６Ｔ／６Ｔの長さ２２Ｔのビットパターンであり、ランイン領域においてこのビットパターンが１２０回繰り返し記録される。
【０１５４】
しかし、図２２に示すように、最短ビット長の２Ｔの空間周波数はＯＴＦカットオフ周波数より高くなると、従来のランインビットパターンでは、図２４に示すように２Ｔ部分の振幅が得られず、再生する際におけるＰＬＬやＰＲＭＬの制御が不安定になってしまう。よって２Ｔを含むビットパターンは望ましくない。
【０１５５】
図１０から図１３にそれぞれ示されるビットパターンは、ＯＴＦカットオフ周波数より高い２Ｔを含まず、ＯＴＦカットオフ周波数より低い３Ｔ以上から８Ｔまでを用いて構成したビットパターンとなっている。これにより、再生時のＰＬＬやＰＲＭＬの制御の安定性を確保することが可能となる。
【０１５６】
また、図２３に示すように、再生信号の最大振幅が得られる５Ｔ以上を含むビットパターンを採用すると、再生する際における再生信号振幅制御を適切に行うことが可能となる。
【０１５７】
図１１に示すビットパターンは、従来の光ディスクのビットパターンと同じく２２Ｔの長さのビットパターンの組合せを示している。図１０に示すビットパターンはランイン領域の長さ２６４０Ｔの約数となる２０Ｔの長さのビットパターンの組合せであり、図１２および図１３に示すビットパターンは同じく約数となる３０Ｔの長さのビットパターンの組合せを示している。ビットパターンの長さが異なっていても、ランイン領域の長さの約数の長さのビットパターンとすることにより、データ領域を含む１ブロックの長さが変わることなく、従来の光ディスクの記録フォーマットとの互換性の確保が容易となる。
【０１５８】
図１０から図１３の各々によって示されるとおり、利用可能なビットパターンは複数挙げられる。記録されたデータを再生する際には、再生信号の振幅制御と、ＰＬＬの引込制御と、適応等化の引込制御がそれぞれ安定に制御できることが必要である。振幅制御には最大振幅が得られる頻度が高い方がよい。ＰＬＬには再生信号の変化点が多くなればゲインをとりやすくなるため短いマーク／スペースの組合せとなるビットパターンの頻度が高い方がよい。適応等化には等化した状態が適切な状態に収束するために図２３に示す各等化レベルが得られる頻度が均等になる方がよい。特に、最短マーク／スペースがＯＴＦカットオフ周波数より高い記録密度の場合には、適応等化技術が必須であり、記録されているデータを安定に再生するために適応等化の引込制御が重要である。以上の条件をバランスよく満たすためには、３Ｔ、４Ｔから５Ｔ、６Ｔから８Ｔの３組の出現頻度がほぼ均等であり、またマーク長とスペース長が等しくＤＣ成分がゼロとなるビットパターンが望ましい。
【０１５９】
特に、図１２および図１３に示すＮｏ．３０Ｔ−３０、Ｎｏ．３０Ｔ−３６は、上記条件に対し効果的なビットパターンの組合せとなっている。
【０１６０】
すなわち、Ｎｏ．３０Ｔ−３０のビットパターンの場合、長いマーク／スペースとして８Ｔがあるために振幅制御を安定かつ高速に行うことが可能である。さらに、短いマーク／スペースから長いマーク／スペースまでほぼ均等に存在するため、ＰＬＬおよび適応等化の引込制御も安定かつ高速に行うことが可能となる。
【０１６１】
また、Ｎｏ．３０Ｔ−３６のビットパターンの場合、最大振幅が得られる５Ｔが含まれているため、Ｎｏ．３０Ｔ−３０のビットパターンよりも高い応答性で振幅制御を行うことが可能となる。
【０１６２】
これらのビットパターンによれば、直前が未記録である先頭の記録データを再生する際において、高速かつ安定な振幅制御、ＰＬＬ引込、適応等化引込の実現が容易となる。例えば、記録データの先頭には引込用のダミーデータを記録するという記録容量の損失を防止することが可能となる。
【０１６３】
また、Ｎｏ．３０Ｔ−３６のビットパターンによれば、最大振幅が得られる頻度が高いため再生信号のエンベロープの検出が容易となる。当該ブロックに対してデータが記録されているか、あるいは未記録かの判定を誤ることがない。これにより、振幅制御、ＰＬＬ、適応等化の動作を未記録部分ではホールドし、記録されている部分になれば即座に動作を開始することが可能となり、直前が未記録である先頭の記録データを再生する際において、引込制御を行う区間を十分に確保することができる。
【０１６４】
なお、上述の実施形態において、図１０から図１３の各々に示されるビットパターンの組合せは、長さの短いマーク／スペースから順に並べた組合せとしているが、順番が限定されるものではなく、並びの順番が変わってもよい。
【０１６５】
上述の実施形態において、ビットパターンの長さが２０Ｔ、２２Ｔ、３０Ｔの長さの例を示したが、これに限定されるものではなく、ランイン領域の長さの約数となる長さのビットパターンであれば同様の効果を得ることができる。
【０１６６】
（実施形態６）
本実施形態においては、既存のＢＤ、および、そのＢＤよりも高い記録密度の光ディスク（以下「高密度ディスク」と記述する。）を説明する。
【０１６７】
図１４（Ａ）は従来の記録密度のＢＤの例を示す。本実施形態において「従来の記録密度」とは、情報記録層１層当たり２５ＧＢを想定している。
【０１６８】
ＢＤでは、光ビーム１２３のレーザ波長は４０５ｎｍ、対物レンズ２２０の開口数（Ｎｕｍｅｒｉｃａｌ  Ａｐｅｒｔｕｒｅ；ＮＡ）は０．８５、トラック２上の種々の長さのマーク１２０のうち、最短（２Ｔ）の記録マーク１２１の長さは１４９ｎｍである。
【０１６９】
一方、図１４（Ｂ）は、高密度ディスクの例を示す。高密度ディスクでは、情報記録層１層当たり３３．４ＧＢ、すなわち従来の記録密度の１．３３６倍を想定している。
【０１７０】
ＢＤと同様、高密度ディスクで用いられる光ビーム１２３のレーザ波長は４０５ｎｍ、対物レンズ２２０のＮＡは０．８５である。ただし、トラック２上の種々の長さのマーク１２４のうち、最短（２Ｔ）の記録マーク１２５の長さは１１１．５ｎｍであり、ＢＤの最短記録マーク１２１よりも短い。これにより、ＢＤより高記録密度を実現している。
【０１７１】
ここで、上述したＢＤおよび高密度ディスクのＯＴＦカットオフ周波数を説明する。
【０１７２】
レーザ波長λ（４０５ｎｍ±５ｎｍ、すなわち４００〜４１０ｎｍ）、開口数ＮＡ（０．８５±０．０１すなわち０．８４〜０．８６）、最短マーク＋最短スペース長Ｐ（１７変調の場合、Ｐ＝２Ｔ＋２Ｔ＝４Ｔ）の３つのパラメータを用いると、
Ｐ  ＜  λ／２ＮＡ
となるまで基準Ｔが小さくなるとＯＴＦカットオフ周波数を超えることになる。
【０１７３】
ＮＡ＝０．８５，λ＝４０５としたときの、ＯＴＦカットオフ周波数に相当する基準Ｔは、
Ｔ  ＝  ４０５／（２ｘ０．８５）／４  ＝  ５９．５５８ｎｍ
となる。最短記録マークの空間周波数がＯＴＦカットオフ周波数を超える記録容量は、ＢＤと同じレーザ波長および開口数の下では約３１ＧＢ相当になる。ＢＤはこの値を下回るためＯＴＦカットオフ周波数を超えないことになるが、図１４（Ｂ）で想定した高密度ディスクの記録容量はこれを超えるものであるため、ＯＴＦカットオフ周波数を超えることになる。よって、高密度ディスクに対しては、これまで説明した本発明によるランイン領域のデータ構造は非常に有用であることが理解される。
【０１７４】
図１５は、ＢＤのブロック１５３のフォーマットを示す。
【０１７５】
ＢＤのブロックには、順にランイン領域、データ領域、ランアウト領域およびガード領域が設けられている。
【０１７６】
ランイン領域は、データ領域の直前に配置されて所定のビットパターンで記録される。ランイン領域長さは２７６０Ｔである。
【０１７７】
ＢＤでは、記録対象となるユーザデータは６４ｋＢ毎に分割され、分割単位ごとに所定のエラー訂正符号化と変調処理（１−７変調）を施した変調信号が生成される。データ領域には、この変調信号に対応するマークが記録される。データ領域の長さは９５８２７２Ｔである。
【０１７８】
ランアウト領域は、データ領域の直後に配置されて所定のビットパターンで記録される。ランアウト領域の長さは１１０４Ｔある。
【０１７９】
ガード領域は、連続記録中の途中のブロックには付加されず、記録終端に位置するブロックのランアウト領域の直後に所定のビットパターンで記録される。ガード領域の長さは５４０Ｔである。
【０１８０】
図１６は、ブロック１５３のうちの、ランアウト領域およびガード領域のパターンの詳細を示す。
【０１８１】
ランアウト領域は、終端ＳＹＮＣ領域、終端インジケータ領域および繰り返しパターン領域から構成される。
【０１８２】
終端ＳＹＮＣ領域には、データ領域と同様に３０Ｔ長さのＳＹＮＣパターンが記録される。その長さは３０Ｔである。
【０１８３】
終端インジケータ領域は、データ領域が終了したことを示す領域である。終端インジケータ領域には、９Ｔが連続６回記録され、長さは５４Ｔになる。
【０１８４】
繰り返しパターン領域は、ランイン領域と同様の繰り返しパターンが記録される。その長さは１０２０Ｔである。
【０１８５】
ガード領域は、繰り返しパターン領域およびパワー制御領域から構成される。
【０１８６】
繰り返しパターン領域には、ランイン領域と同様の繰り返しパターンが、直前のランアウト領域の繰り返しパターン領域の終端に連続するように記録される。その長さは約２２０Ｔである。
【０１８７】
パワー制御領域は、記録終了時のパワー制御に用いることが可能な領域である。パワー制御領域に記録されるパターンは特に決められていない。区間の長さは約３２０Ｔである。
【０１８８】
上述のように、ランアウト領域およびガード領域のいずれにも、ランイン領域と同じ繰り返しパターンが記録される。よって、たとえば上述した図６に記載のランイン領域の繰り返しパターンを採用すると、ランイン領域、ランアウト領域、ガード領域を確実に識別することができるようになる。
【０１８９】
なお、上述の実施形態において、最短ビット長が２Ｔであり、高密度化により２Ｔの空間周波数がＯＴＦカットオフ周波数を超えるとし、再生した信号波形などを示したが、これに限定されるものではない。
【０１９０】
また、実施形態では、最短ビット長２ＴのみがＯＴＦカットオフ周波数を超える例を挙げた。しかし本願発明は、最短ビット長を含む複数のビット長がＯＴＦカットオフ周波数を超える光ディスクに対しても有効である。このときは、ランイン領域に利用されるランインビットパターンには、ＯＴＦカットオフ周波数を超えないビット長のパターンを利用すればよい。
【０１９１】
なお、上述の実施形態において、記録可能な光ディスクおよび光ディスク装置の例を示したが、再生のみ可能な光ディスク、光ディスク装置であっても同様の効果を得ることができる。
【０１９２】
なお、本発明の光ディスク装置の構成要素は集積回路であるＬＳＩとして実現され得る。光ディスク装置が備える構成要素は個別に１チップ化されてもよいし、一部または全てを含むように１チップ化されてもよい。
【０１９３】
ここでは、集積回路をＬＳＩと呼んだが、集積度の違いにより、ＩＣ、ＬＳＩ、スーパーＬＳＩ、ウルトラＬＳＩと呼称されることもある。
【０１９４】
また、本発明の集積回路はＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１９５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてあり得る。
【０１９６】
なお最後に、本発明の光ディスクの一例として、ＢＤ（ブルーレイディスク）について、簡単に補足説明をする。ブルーレイディスクの主な光学定数と物理フォーマットについては、「ブルーレイディスク読本」（オーム社出版）やブルーレイアソシエーションのホームページ（http://www.blu-raydisc.com/）に掲載されているホワイトペーパに開示されている。
【０１９７】
ＢＤでは、波長４０５ｎｍ（誤差範囲の許容値を±５ｎｍとすれば、４００〜４１０ｎｍ）のレーザ光およびＮＡ＝０．８５（誤差範囲の許容値を±０．０１とすれば、０．８４〜０．８６）の対物レンズを用いる。トラックピッチは０．３２μｍであり、チャネルクロック周波数はＢＤ標準転送レート（１Ｘ）において６６ＭＨｚ（６６．０００Ｍｂｉｔ／ｓ）であり、ＢＤ４ｘの転送レートでは２６４ＭＨｚ（２６４．０００Ｍｂｉｔ／ｓ）、ＢＤ６ｘの転送レートでは３９６ＭＨｚ（３９６．０００Ｍｂｉｔ／ｓ）、ＢＤ８Ｘの転送レートでは５２８ＭＨｚ（５２８．０００Ｍｂｉｔ／ｓ）である。標準線速度（基準線速度、１Ｘ）は４．９１７ｍ／ｓｅｃである。
【０１９８】
保護層（カバー層）の厚みに関しては、開口数を上げ焦点距離が短くなるのに伴い、またチルトによるスポット歪みの影響を抑えられるよう、ＤＶＤの０．６ｍｍに対して、より薄い保護層、例えば媒体の総厚み１．２ｍｍ程度のうち、保護層の厚みを１０〜２００μｍ（より具体的には、１．１ｍｍ程度の基板に、単層ディスクならば０．１ｍｍ程度の透明保護層、二層ディスクならば０．０７５ｍｍ程度の保護層に０．０２５ｍｍ程度の中間層（ＳｐａｃｅｒＬａｙｅｒ）としてもよい。三層以上のディスクならば保護層及び／又は中間層の厚みはさらに薄くなる。
【０１９９】
また、このように薄い保護層への傷つき防止のため、保持領域（Ｃｌａｍｐ  Ａｒｅａ）の外側または内側に突起部を設けてもよい。特に保持領域の内側に設けた場合、保護層の傷つき防止に加え、ディスクの中心穴に近い部分に突起部があるため、突起部の重量バランスによる回転スピンドル（モータ）への負荷を軽減することや、光ヘッドは保持領域の外側にある情報記録領域にアクセスするため保持領域の内側に突起部を設けることで突起部と光ヘッドとの衝突を回避することができる。
【０２００】
そして、保持領域の内側に設けた場合、例えば外径１２０ｍｍのディスクにおける具体的な位置は次のようにしてもよい。仮に中心穴の直径が１５ｍｍ、保持領域が直径２３ｍｍから３３ｍｍの範囲内とした時、中心穴と保持領域の間、つまり直径１５ｍｍから２３ｍｍの範囲内に突起部を設けることになる。その際、中心穴からある程度の距離を設けてもよく（例えば中心穴の縁端から０．１ｍｍ以上（又は／及び０．１２５ｍｍ以下）離してもよい）、また、保持領域からある程度の距離を設けてもよい（例えば保持領域の内端から０．１ｍｍ以上（又は／及び０．２ｍｍ以下）離してもよい）。また、中心穴の縁端と保持領域の内端の両方からある程度の距離を隔てて設けてもよい（具体的な位置として、例えば、直径１７．５ｍｍから２１．０ｍｍの範囲内に突起部を設けてもよい）。なお、突起部の高さとしては、保護層の傷つきにくさや持ち上げ易さのバランスを考慮して決めればよいが、高くすぎても別の問題が発生するかも知れないので、例えば、保持領域から０．１２ｍｍ以下の高さとしてもよい。
【０２０１】
また、多層の積層の構成に関しては、例えば、レーザ光を保護層の側から入射して情報が再生及び／又は記録される片面ディスクとすると、記録層を二層以上にする場合、基板と保護層の間には複数の記録層が設けられることになるが、その場合における多層構造を次のようにしてもよい。つまり、光入射面から所定の距離を隔てた最も奥側の位置に基準層（Ｌ０）を設け、基準層から光入射面側に層を増やすように積層（Ｌ１，Ｌ２，・・・，Ｌｎ）し、また光入射面から基準層までの距離を単層ディスクにおける光入射面から記録層までの距離と同じ（例えば０．１ｍｍ程度）にする等である。このように層の数に関わらず最奥層までの距離を一定にすることで、基準層へのアクセスに関する互換性を保つことができ、また最奥層が最もチルトの影響を受けるが層数の増加に伴い最奥層までの距離が増加することがなくなるため、層数の増加に伴うチルト影響の増加を抑えることが可能となる。
【０２０２】
また、スポットの進行方向／再生方向に関しては、例えば、全ての層において同じ、つまり全層にて内周方向から外周方向、又は全層にて外周方向から内周方向、というパラレル・パスであっても、オポジット・パス（基準層（Ｌ０）を内周側から外周側の方向とした場合、Ｌ１では外周側から内周側の方向、Ｌ２では内周側から外周側の方向、つまり、Ｌｍ（ｍは０及び偶数）では内周側から外周側の方向、Ｌｍ＋１では外周側から内周側の方向（又は、Ｌｍ（ｍは０及び偶数）では外周側から内周側の方向、Ｌｍ＋１では内周側から外周側の方向）というように層が切り替わる毎に再生方向が逆になる）であってもよい。
【０２０３】
次に、記録信号の変調方式について簡単に述べる。データ（オリジナルのソースデータ／変調前のバイナリデータ）を記録媒体に記録する場合、所定のサイズに分割され、さらに所定のサイズに分割されたデータは所定の長さのフレームに分割され、フレーム毎に所定のシンクコード／同期符号系列が挿入される（フレームシンク領域）。フレームに分割されたデータは、記録媒体の記録再生信号特性に合致した所定の変調則に従って変調されたデータ符号系列として記録される（フレームデータ領域）。
【０２０４】
ここで変調則としては、マーク長が制限されるＲＬＬ（ＲｕｎＬｅｎｇｔｈＬｉｍｉｔｅｄ）符号化方式などでもよく、ＲＬＬ（ｄ，ｋ）と表記した場合、１と１の間に出現する０が最小ｄ個，最大ｋ個であることを意味する（ｄおよびｋは、ｄ＜ｋを満たす自然数である）。例えばｄ＝１，ｋ＝７の場合、Ｔを変調の基準周期とすると、最短が２Ｔ、最長が８Ｔの記録マーク及びスペースとなる。またＲＬＬ（１，７）変調に更に次の［１］［２］の特徴を加味した１−７ＰＰ変調としてもよい。１−７ＰＰの“ＰＰ”とは、Ｐａｒｉｔｙ  ｐｒｅｓｅｒｖｅ／Ｐｒｏｈｉｂｉｔ Ｒｅｐｅａｔｅｄ Ｍｉｎｉｍｕｍ Ｔｒａｎｓｉｔｉｏｎ Ｌｅｎｇｔｈの略で、［１］最初のＰであるＰａｒｉｔｙ  ｐｒｅｓｅｒｖｅは、変調前のソースデータビットの“１”の個数の奇偶（すなわちParity）と、それに対応する変調後ビットパターンの“１”の個数の奇偶が一致していることを意味し、［２］後ろの方のＰであるＰｒｏｈｉｂｉｔ  Ｒｅｐｅａｔｅｄ  Ｍｉｎｉｍｕｍ  Ｔｒａｎｓｉｔｉｏｎ  Ｌｅｎｇｔｈは、変調後の記録波形の上での最短マーク及びスペースの繰り返し回数を制限（具体的には、２Ｔの繰り返し回数を最大６回までに制限）する仕組みを意味する。
【０２０５】
前述の同期符号系列とデータ符号系列を含む領域を仮にフレーム領域と呼び、そのフレーム領域を複数（例えば３１個）含む単位を仮にアドレスユニット（Ａｄｄｒｅｓｓ  Ｕｎｉｔ）と呼ぶことにすると、あるアドレスユニットにおいて、そのアドレスユニットの任意のフレーム領域に含まれる同期符号系列と、その任意のフレーム領域以外のフレーム領域に含まれる同期符号系列との符号間距離を２以上にしてもよい。ここで符号間距離とは、２つの符号系列を比較した場合、符号系列中の異なるビットの個数を意味する。この様に符号間距離を２以上にすることで、再生時のノイズの影響などにより一方の読み出し系列が１ビットシフト誤りを起こしても、もう一方と誤識別することがない。また、そのアドレスユニットの先頭に位置するフレーム領域に含まれる同期符号系列と、先頭以外に位置するフレーム領域に含まれる同期符号系列との符号間距離を２以上にしてもよく、この様にすることで、先頭箇所か否か、アドレスユニットの区切り箇所か否かの識別を容易にすることができる。
【０２０６】
なお符号間距離は、ＮＲＺ記録のときは符号系列をＮＲＺ表記した場合、ＮＲＺＩ記録の時は符号系列をＮＲＺＩ表記した場合における符号間距離の意味を含んでいる。そのため、もしＲＬＬ変調を採用した記録の場合、このＲＬＬとはＮＲＺＩの記録波形の上で高レベル又は低レベルの信号が続く個数を制限することを意味するものであるため、ＮＲＺＩ表記における符号間距離が２以上ということを意味する。
【０２０７】
また記録方式に関してであるが、媒体に溝を形成することによって、溝部と、溝と溝との間の溝間部と、が形成されることになるが、溝部に記録するか、溝間部に記録するか、溝部と溝間部の両方に記録するか、様々な方式がある。ここで、溝部と溝間部のうち、光入射面から見て凸部となる側に記録する方式をＯｎ−Ｇｒｏｏｖｅ方式といい、光入射面から凹部となる側に記録する方式をＩｎ−Ｇｒｏｏｖｅ方式という。本発明において、記録方式として、Ｏｎ−Ｇｒｏｏｖｅ方式とするか、Ｉｎ−Ｇｒｏｏｖｅ方式とするか、両方式のどちらか一方を許可する方式とするかは特に問わない。
【０２０８】
なお、両方式のどちらか一方を許可する方式の場合、その媒体が、どちらの記録方式であるかを容易に識別できるように、Ｏｎ−Ｇｒｏｏｖｅ方式であるかＩｎ−Ｇｒｏｏｖｅ方式であるかを示した記録方式識別情報を媒体に記録してもよい。多層媒体については、各層についての記録方式識別情報を記録してもよい。その場合、各層についての記録方式識別情報を基準層（光入射面から見てもっとも遠い側の層（Ｌ０）又は最も近い層や、起動時に最も最初にアクセスされるように決められている層など）にまとめて記録してもよいし、各層にその層のみに関する記録方式識別情報を記録してもよいし、各層に全ての層に関する記録方式識別情報を記録してもよい。
【０２０９】
また記録方式識別情報を記録する領域としては、ＢＣＡ（ＢｕｒｓｔＣｕｔｔｉｎｇＡｒｅａ）やディスク情報領域（データ記録領域よりも内周側又は／及び外周側にあり、主に制御情報を格納する領域、なお再生専用領域でデータ記録領域よりもトラックピッチが広くなっていることがある）やウォブル（ウォブルに重畳して記録）等があり、いずれかの領域又はいずれか複数の領域又は全ての領域に記録してもよい。
【０２１０】
またウォブルの開始方向に関してであるが、Ｏｎ−Ｇｒｏｏｖｅ方式とＩｎ−Ｇｒｏｏｖｅ方式とで互いに逆となるようにしてもよい。つまり、もしＯｎ−Ｇｒｏｏｖｅ方式にてウォブルの開始方向がディスクの内周側から開始する場合には、Ｉｎ−Ｇｒｏｏｖｅ方式ではウォブルの開始方向をディスクの外周側から開始するようにし（、又は、もしＯｎ−Ｇｒｏｏｖｅ方式にてウォブルの開始方向がディスクの外周側から開始する場合には、Ｉｎ−Ｇｒｏｏｖｅ方式ではウォブルの開始方向をディスクの内周側から開始するようにし）てもよい。このように、Ｏｎ−Ｇｒｏｏｖｅ方式とＩｎ−Ｇｒｏｏｖｅ方式とでウォブルの開始方向互いに逆となるようにすることで、どちらの方式にしてもトラッキングの極性を同一にすることができる。なぜなら、Ｏｎ−Ｇｒｏｏｖｅ方式では、光入射面から凸部となる側に記録を行うのに対して、Ｉｎ−Ｇｒｏｏｖｅ方式では、光入射面から凹部となる側に記録を行うため、仮に両者で溝の深さが同じである場合、トラッキング極性は逆の関係となる。そこで、両者でウォブルの開始方向も互いに逆とすることにより、トラッキング極性を同じにすることができる。
【０２１１】
また、記録膜の特性に関してであるが、記録部分と未記録部分との反射率の関係により、以下の２つの特性のものがある。つまり、未記録部分が記録済部分よりも高反射率（Ｈｉｇｈ−ｔｏ−Ｌｏｗ）であるＨｔｏＬ特性と、未記録部分が記録済部分よりも低反射率（Ｌｏｗ−ｔｏ−Ｈｉｇｈ）であるＬｔｏＨ特性である。本発明において、媒体の記録膜特性として、ＨｔｏＬであるか、ＬｔｏＨであるか、どちらか一方を許可するものであるかは特に問わない。
【０２１２】
また、どちらか一方を許可するものの場合、どちらの記録膜特性であるかを容易に識別できるように、ＨｔｏＬであるかＬｔｏＨであるかを示した記録膜特性識別情報を媒体に記録してもよい。多層媒体については、各層についての記録膜特性識別情報を記録してもよい。その場合、各層についての記録膜特性識別情報を基準層（光入射面から見てもっとも遠い側の層（Ｌ０）又は最も近い層や、起動時に最も最初にアクセスされるように決められている層など）にまとめて記録してもよいし、各層にその層のみに関する記録膜特性識別情報を記録してもよいし、各層に全ての層に関する記録膜特性識別情報を記録してもよい。
【０２１３】
また、記録膜特性識別情報を記録する領域としては、ＢＣＡ（ＢｕｒｓｔＣｕｔｔｉｎｇＡｒｅａ）やディスク情報領域（データ記録領域よりも内周側又は／及び外周側にあり、主に制御情報を格納する領域、なお再生専用領域でデータ記録領域よりもトラックピッチが広くなっていることがある）やウォブル（ウォブルに重畳して記録）等があり、いずれかの領域又はいずれか複数の領域又は全ての領域に記録してもよい。
【産業上の利用可能性】
【０２１４】
本発明は、光ディスクの記録密度の高密度化に対応可能であるため有用であり、大容量な光ディスク、光ディスク再生装置、光ディスク記録装置、光ディスク再生方法、光ディスク記録方法、集積回路に利用できる。
【符号の説明】
【０２１５】
１、２００    光ディスク
２０１    光ヘッド
２０２    モータ
２０３    サーボ回路
２０４    アドレス再生回路
２０５    ＣＰＵ
２０６    ランイン生成回路
２０７    データ変調回路
２０８    記録制御回路
２０９    データ信号抽出回路
２１０    再生クロック生成ＰＬＬ回路
２１１    適応等化回路
２１２    データ復調回路
２１３    ランイン同期検出回路
２５０    光ディスク装置
【手続補正２】
【補正対象書類名】特許請求の範囲
【補正対象項目名】全文
【補正方法】変更
【補正の内容】
【特許請求の範囲】
【請求項１】
複数の記録ブロックに分割されたトラックを複数備え、
前記複数の記録ブロックのそれぞれはランイン領域とデータ領域とを含み、
前記ランイン領域には所定のランインビットパターンを記録することが可能であり、
前記データ領域には記録対象のデータを所定の変調則に従って変調した複数種類のビット長のビットパターンを記録することが可能であり、
前記所定の変調則に従った複数種類のビット長のビットパターンのうち、各ビットパターンに対応する空間周波数の少なくとも１つがカットオフ周波数より高い光ディスクであって、
前記カットオフ周波数は、光学的伝達関数（Ｏｐｔｉｃａｌ  Ｔｒａｎｓｆｅｒ  Ｆｕｎｃｔｉｏｎ：ＯＴＦ）のゲインが０倍となる周波数として定められ、
前記ランイン領域に記録されるランインビットパターンは、前記複数種類のビット長のビットパターンのうち、空間周波数が前記ＯＴＦカットオフ周波数よりも高いビットパターンを除いたビットパターンで構成される、光ディスク。
【請求項２】
前記ランインビットパターンは、前記複数種類のビット長のビットパターンのうち、前記ＯＴＦカットオフ周波数より空間周波数が高いビット長のビットパターンを除き、かつ、所定の光ビームを照射したときの反射光から得られる前記ランインビットパターンの再生信号の信号振幅が最大となるビット長以下のビットパターンで構成される、請求項１に記載の光ディスク。
【請求項３】
前記ランインビットパターンは、ｎを自然数とするとき、差がｎＴ以下のビット長のビットパターンの組み合わせ、および、差が（ｎ＋１）以上のビット長のビットパターンの組み合わせの両方を含むビットパターンで構成される、請求項１に記載の光ディスク。
【請求項４】
前記ランインビットパターンのうち、前記ランイン領域の始端から所定長までの部分は、前記ランイン領域の始端から所定長以降の部分よりも短いビット長の頻度が高いパターンで構成される、請求項１に記載の光ディスク。
【請求項５】
複数の記録ブロックに分割されたトラックを複数備え、
前記複数の記録ブロックのそれぞれはランイン領域とデータ領域とを含み、
前記ランイン領域には所定のランインビットパターンを記録することが可能であり、
前記データ領域には記録対象のデータを所定の変調則に従って変調した複数種類のビット長のビットパターンを記録することが可能であり、
複数種類のビット長のビットパターンの最短マーク長をＴＭｎｍ、最短スペース長をＴＳｎｍ、前記トラックに照射されるレーザの波長をλｎｍ、前記レーザを集光する対物レンズの開口数をＮＡとしたとき、ＴＭ＋ＴＳ  ＜  λ÷（２ｘＮＡ）  となる光ディスクであって、
前記ランイン領域に記録されるランインビットパターンは、前記複数種類のビット長のビットパターンのうち、λ÷（２ｘＮＡ）÷２以下の長さとなるビット長のビットパターンを除いたビットパターンで構成される、光ディスク。
【請求項６】
前記トラックに照射されるレーザの波長λが４００〜４１０ｎｍである、請求項５に記載の光ディスク。
【請求項７】
前記対物レンズの開口数（ＮＡ，Ｎｕｍｅｒｉｃａｌ  Ａｐｅｒｔｕｒｅ）が０．８４〜０．８６である、請求項５に記載の光ディスク。
【請求項８】
前記最短マーク長と前記最短スペース長との合計長（ＴＭ＋ＴＳ）が２３８．２ｎｍ未満（４０５／（２ｘ０．８５））である、請求項５に記載の光ディスク。
【請求項９】
前記記録対象のデータは、１−７変調則を用いて変調され、前記最短マーク長は２Ｔ、かつ、最短スペース長は２Ｔである、請求項５に記載の光ディスク。
【請求項１０】
請求項１に記載の光ディスクに記録されたデータを再生する再生方法であって、
前記光ディスクの前記トラックに記録されたビットパターンを再生した再生信号を検出するステップと、
前記再生信号のビットに位相同期したクロック信号を生成するステップと、
前記再生信号を適応等化したのちに２値化した２値化信号を出力するステップと、
前記データ領域において前記２値化信号を前記所定の変調則に従って復調することにより前記記録データを抽出するステップと
を包含し、
前記クロック信号を生成するステップは、前記ランイン領域では前記データ領域よりも高いゲインで前記再生信号と前記クロック信号の位相同期の引き込み制御を行い、
前記２値化信号を出力するステップは、前記ランイン領域では前記データ領域よりも高いゲインで適応等化の引き込み制御を行う、再生方法。
【請求項１１】
請求項５に記載の光ディスクに記録されたデータを再生する再生方法であって、
前記光ディスクの前記トラックに記録されたビットパターンを再生した再生信号を検出するステップと、
前記再生信号のビットに位相同期したクロック信号を生成するステップと、
前記再生信号を適応等化したのちに２値化した２値化信号を出力するステップと、
前記データ領域において前記２値化信号を前記所定の変調則に従って復調することにより前記記録データを抽出するステップと
を包含し、
前記クロック信号を生成するステップは、前記ランイン領域では前記データ領域よりも高いゲインで前記再生信号と前記クロック信号の位相同期の引き込み制御を行い、
前記２値化信号を出力するステップは、前記ランイン領域では前記データ領域よりも高いゲインで適応等化の引き込み制御を行う、再生方法。
【請求項１２】
請求項１に記載の光ディスクに対し、前記記録データを記録する光ディスク記録方法であって、
前記ランインビットパターンを生成するステップと、
前記記録対象のデータを所定の変調則に従って変調し、さらに所定のフレーム長毎に所定のフレーム同期パターンを挿入したデータビットパターンを生成するステップと、
各記録ブロックのランイン領域では前記ランインビットパターンを前記光ディスクに記録し、データ領域では前記データビットパターンを前記光ディスクに記録するステップと、
を包含し、前記ランインビットパターンは、前記複数種類のビット長のビットパターンのうち、空間周波数が前記ＯＴＦカットオフ周波数よりも高いビットパターンを除いたビットパターンで構成される、光ディスク記録方法。
【請求項１３】
請求項５に記載の光ディスクに対し、前記記録データを記録する光ディスク記録方法であって、
前記ランインビットパターンを生成するステップと、
前記記録対象のデータを所定の変調則に従って変調し、さらに所定のフレーム長毎に所定のフレーム同期パターンを挿入したデータビットパターンを生成するステップと、
各記録ブロックのランイン領域では前記ランインビットパターンを前記光ディスクに記録し、データ領域では前記データビットパターンを前記光ディスクに記録するステップと、
を包含し、前記ランインビットパターンは、前記複数種類のビット長のビットパターンのうち、空間周波数が前記ＯＴＦカットオフ周波数よりも高いビットパターンを除いたビットパターンで構成される、光ディスク記録方法。
【請求項１４】
複数の記録ブロックに分割された複数のトラックを備え、
前記複数の記録ブロックのそれぞれはランイン領域とデータ領域とを含み、
前記ランイン領域には所定のランインビットパターンが記録され、
前記データ領域には記録データを所定の変調則に従って変調し、さらに所定のフレーム長毎に所定のフレーム同期パターンを挿入したビットパターンが記録される光ディスクであって、
前記ランイン領域に記録されるランインビットパターンは、前記データ領域に記録されるビットパターンに含まれる最長ビット長およびフレーム同期パターンのビット長よりも長いビットパターンで構成されるランイン同期パターンを含む、光ディスク。
【請求項１５】
前記ランインビットパターンは、前記ランイン同期パターンを複数含み、複数のランイン同期パターンはそれぞれ異なるビットパターンである、請求項１４に記載の光ディスク。
【請求項１６】
請求項１４に記載の光ディスクから、前記記録データを再生する再生方法であって、
前記光ディスクの前記トラックに記録されたビットパターンを再生した再生信号を検出するステップと、
前記再生信号を２値化した２値化信号を出力するステップと、
前記２値化信号から前記ランイン領域に含まれるランイン同期パターンを検出するステップと、
前記２値化信号から前記データ領域に含まれるフレーム同期パターンを検出するステップと、
前記データ領域において前記２値化信号を前記所定の変調則に従って復調することにより前記記録データを抽出するステップと、
を包含し、前記記録データを抽出するステップは、各記録ブロックのランイン領域において前記ランイン同期検出ステップによりランイン同期パターンが検出され、ランイン領域につづくデータ領域の先頭付近において前記フレーム同期検出ステップによりフレーム同期パターンが検出できない場合、前記ランイン同期検出ステップによるランイン同期パターンを検出したタイミングを基準にデータ領域の復調処理を行う、再生方法。
【請求項１７】
請求項１４に記載の光ディスクに対し、前記記録データを記録する記録方法であって、
前記ランインビットパターンを生成するステップと、
前記記録データを所定の変調則に従って変調し、さらに所定のフレーム長毎に所定のフレーム同期パターンを挿入したデータビットパターンを生成するステップと、
各記録ブロックのランイン領域では前記ランインビットパターンを前記光ディスクに記録し、データ領域では前記データビットパターンを前記光ディスクに記録するステップと、
を包含し、前記ランインビットパターンは、前記データ領域に記録されるデータビットパターンに含まれる最長ビット長およびフレーム同期パターンのビット長よりも長いビットパターンで構成されるランイン同期パターンを含む、記録方法。
【手続補正３】
【補正対象書類名】図面
【補正対象項目名】全図
【補正方法】変更
【補正の内容】
【図１】
2009066460.tif 000027
【図２】
2009066460.tif 000028
【図３】
2009066460.tif 000029
【図４】
2009066460.tif 000030
【図５】
2009066460.tif 000031
【図６】
2009066460.tif 000032
【図７】
2009066460.tif 000033
【図８】
2009066460.tif 000034
【図９】
2009066460.tif 000035
【図１０】
2009066460.tif 000036
【図１１】
2009066460.tif 000037
【図１２】
2009066460.tif 000038
【図１３】
2009066460.tif 000039
【図１４】
2009066460.tif 000040
【図１５】
2009066460.tif 000041
【図１６】
2009066460.tif 000042
【図１７】
2009066460.tif 000043
【図１８】
2009066460.tif 000044
【図１９】
2009066460.tif 000045
【図２０】
2009066460.tif 000046
【図２１】
2009066460.tif 000047
【図２２】
2009066460.tif 000048
【図２３】
2009066460.tif 000049
【図２４】
2009066460.tif 000050
【国際調査報告】
2009066460.tif 000051
2009066460.tif 000052
2009066460.tif 000053
2009066460.tif 000054
2009066460.tif 000055
2009066460.tif 000056
2009066460.tif 000057